(57)【要約】【課題】切替回路部分の故障判断を行うことができる高信頼性の蓄電装置を提供することを目的とする。【解決手段】負荷１５への供給電力の切替回路部分が第１スイッチ１７と第２スイッチ２３からなり、第１スイッチ１７をオンにし、第２スイッチ２３をオフにした状態で電圧Ｖａが第１既定値以下であれば第１スイッチ１７が開放故障していると判断し、第１スイッチ１７と第２スイッチ２３をオフにした状態で電圧Ｖａが第２既定値以上であれば第１スイッチ１７、または第２スイッチ２３が短絡故障していると判断し、充電回路１９が蓄電部２１を充電中、または充電後に第１スイッチ１７をオフにし、第２スイッチ２３をオンにした状態で電圧Ｖａが第３既定値以下であれば第２スイッチ２３が開放故障していると判断するものである。【選択図】図１
2008182872.tif 000002
【特許請求の範囲】
【請求項１】
主電源と負荷との間に接続された蓄電装置であって、
前記蓄電装置は、前記主電源と前記負荷の間に接続された第１スイッチと、
前記主電源に接続された充電回路と、
前記充電回路に接続された蓄電部と、
前記蓄電部と前記負荷の間に接続された第２スイッチと、
前記主電源の電圧（Ｖｂ）、および前記負荷の電圧（Ｖａ）を検出する電圧検出回路と、前記第１スイッチ、第２スイッチ、充電回路、および電圧検出回路が接続された制御部とを備え、
前記制御部は前記第１スイッチをオンにし、前記第２スイッチをオフにした状態で前記電圧検出回路により検出した前記負荷の電圧（Ｖａ）が第１既定値以下であれば前記第１スイッチが開放故障していると判断し、
前記第１スイッチ、および前記第２スイッチをオフにした状態で前記電圧検出回路により検出した前記負荷の電圧（Ｖａ）が第２既定値以上であれば前記第１スイッチ、または前記第２スイッチが短絡故障していると判断し、
前記充電回路が前記蓄電部を充電中、または充電後に前記第１スイッチをオフにし、前記第２スイッチをオンにした状態で前記電圧検出回路により検出した前記負荷の電圧（Ｖａ）が第３既定値以下であれば前記第２スイッチが開放故障していると判断するようにした蓄電装置。
【請求項２】
主電源と負荷との間に接続された蓄電装置であって、
前記蓄電装置は、前記主電源と前記負荷の間に直列接続された主電源側バイパスＦＥＴ、および負荷側バイパスＦＥＴと、
前記主電源に接続された充電回路と、
前記充電回路に接続された蓄電部と、
前記蓄電部と前記負荷の間に直列接続された蓄電部側ＦＥＴ、および負荷側ＦＥＴと、
前記主電源の電圧（Ｖｂ）、前記負荷の電圧（Ｖａ）、前記主電源側バイパスＦＥＴと前記負荷側バイパスＦＥＴの接続点の電圧（Ｖｃ）、および前記蓄電部側ＦＥＴと前記負荷側ＦＥＴの接続点の電圧（Ｖｄ）を検出する電圧検出回路と、
前記主電源側バイパスＦＥＴ、負荷側バイパスＦＥＴ、蓄電部側ＦＥＴ、負荷側ＦＥＴ、充電回路、および電圧検出回路が接続された制御部とを備え、
前記制御部は前記主電源側バイパスＦＥＴをオンにし、前記蓄電部側ＦＥＴと前記負荷側ＦＥＴをオフにした状態で前記電圧検出回路により検出した前記負荷の電圧（Ｖａ）が第１既定値以下であれば前記主電源側バイパスＦＥＴ、または前記負荷側バイパスＦＥＴが開放故障していると判断し、
前記主電源側バイパスＦＥＴをオフにし、前記蓄電部側ＦＥＴ、または前記負荷側バイパスＦＥＴをオフにした状態で前記電圧検出回路により検出した前記主電源側バイパスＦＥＴと前記負荷側バイパスＦＥＴの接続点の電圧（Ｖｃ）が第２既定値以上であれば前記主電源側バイパスＦＥＴが短絡故障していると判断し、
前記充電回路が前記蓄電部を充電中、または充電後に前記主電源側バイパスＦＥＴをオンにし、前記蓄電部側ＦＥＴ、および前記負荷側ＦＥＴをオフにした状態で前記電圧検出回路により検出した前記蓄電部側ＦＥＴと前記負荷側ＦＥＴの接続点の電圧（Ｖｄ）が第３既定値以上であれば前記蓄電部側ＦＥＴ、または前記負荷側ＦＥＴが短絡故障していると判断し、
前記充電回路が前記蓄電部を充電中、または充電後に前記主電源側バイパスＦＥＴ、または前記負荷側ＦＥＴをオフにし、前記蓄電部側ＦＥＴをオンにした状態で前記電圧検出回路により検出した前記蓄電部側ＦＥＴと前記負荷側ＦＥＴの接続点の電圧（Ｖｄ）が第４既定値以下であれば前記蓄電部側ＦＥＴが開放故障していると判断し、
前記充電回路が前記蓄電部を充電中、または充電後に前記主電源側バイパスＦＥＴ、および前記負荷側バイパスＦＥＴをオフにし、前記蓄電部側ＦＥＴをオンにした状態で前記電圧検出回路により検出した前記主電源側バイパスＦＥＴと前記負荷側バイパスＦＥＴの接続点の電圧（Ｖｃ）が第５既定値以上であれば前記負荷側バイパスＦＥＴが短絡故障していると判断するとともに、
前記負荷の電圧（Ｖａ）が第６既定値以下であれば前記負荷側ＦＥＴが開放故障していると判断するようにした蓄電装置。
【請求項３】
主電源と負荷との間に接続された蓄電装置であって、
前記蓄電装置は、前記主電源と前記負荷の間に前記主電源側から順に直列接続された主電源側バイパスＦＥＴ、および前記主電源側バイパスＦＥＴにアノードを前記負荷にカソードを接続した負荷側バイパスダイオードと、
前記主電源に接続された充電回路と、
前記充電回路に接続された蓄電部と、
前記蓄電部と前記負荷の間に直列接続された蓄電部側ＦＥＴ、および負荷側ＦＥＴと、
前記主電源の電圧（Ｖｂ）、前記負荷の電圧（Ｖａ）、前記主電源側バイパスＦＥＴと前記負荷側バイパスダイオードの接続点の電圧（Ｖｃ）、および前記蓄電部側ＦＥＴと前記負荷側ＦＥＴの接続点の電圧（Ｖｄ）を検出する電圧検出回路と、
前記主電源側バイパスＦＥＴ、蓄電部側ＦＥＴ、負荷側ＦＥＴ、充電回路、および電圧検出回路が接続された制御部とを備え、
前記制御部は前記主電源側バイパスＦＥＴをオンにし、前記蓄電部側ＦＥＴと前記負荷側ＦＥＴをオフにした状態で前記電圧検出回路により検出した前記負荷の電圧（Ｖａ）が第１既定値以下であれば前記主電源側バイパスＦＥＴ、または前記負荷側バイパスダイオードが開放故障していると判断し、
前記主電源側バイパスＦＥＴをオフにした状態で前記電圧検出回路により検出した前記主電源側バイパスＦＥＴと前記負荷側バイパスダイオードの接続点の電圧（Ｖｃ）が第２既定値以上であれば前記主電源側バイパスＦＥＴが短絡故障していると判断し、
前記充電回路が前記蓄電部を充電中、または充電後に前記主電源側バイパスＦＥＴをオンにし、前記蓄電部側ＦＥＴ、および前記負荷側ＦＥＴをオフにした状態で前記電圧検出回路により検出した前記蓄電部側ＦＥＴと前記負荷側ＦＥＴの接続点の電圧（Ｖｄ）が第３既定値以上であれば前記蓄電部側ＦＥＴ、または前記負荷側ＦＥＴが短絡故障していると判断し、
前記充電回路が前記蓄電部を充電中、または充電後に前記主電源側バイパスＦＥＴ、または前記負荷側ＦＥＴをオフにし、前記蓄電部側ＦＥＴをオンにした状態で前記電圧検出回路により検出した前記蓄電部側ＦＥＴと前記負荷側ＦＥＴの接続点の電圧（Ｖｄ）が第４既定値以下であれば前記蓄電部側ＦＥＴが開放故障していると判断し、
前記充電回路が前記蓄電部を充電中、または充電後に前記主電源側バイパスＦＥＴをオフにし、前記蓄電部側ＦＥＴをオンにした状態で前記電圧検出回路により検出した前記主電源側バイパスＦＥＴと前記負荷側バイパスダイオードの接続点の電圧（Ｖｃ）が第５既定値以上であれば前記負荷側バイパスダイオードが短絡故障していると判断するとともに、前記負荷の電圧（Ｖａ）が第６既定値以下であれば前記負荷側ＦＥＴが開放故障していると判断するようにした蓄電装置。
【請求項４】
主電源と負荷との間に接続された蓄電装置であって、
前記蓄電装置は、前記主電源と前記負荷の間に直列接続された主電源側バイパスＦＥＴ、および負荷側バイパスＦＥＴと、
前記主電源に接続された充電回路と、
前記充電回路に接続された蓄電部と、
前記蓄電部と前記負荷の間に前記蓄電部側から順に直列接続された蓄電部側ＦＥＴ、および前記蓄電部側ＦＥＴにアノードを前記負荷にカソードを接続した負荷側ダイオードと、前記主電源の電圧（Ｖｂ）、前記負荷の電圧（Ｖａ）、前記主電源側バイパスＦＥＴと前記負荷側バイパスＦＥＴの接続点の電圧（Ｖｃ）、および前記蓄電部側ＦＥＴと前記負荷側ダイオードの接続点の電圧（Ｖｄ）を検出する電圧検出回路と、
前記主電源側バイパスＦＥＴ、負荷側バイパスＦＥＴ、蓄電部側ＦＥＴ、充電回路、および電圧検出回路が接続された制御部とを備え、
前記制御部は前記主電源側バイパスＦＥＴをオンにし、前記蓄電部側ＦＥＴをオフにした状態で前記電圧検出回路により検出した前記負荷の電圧（Ｖａ）が第１既定値以下であれば前記主電源側バイパスＦＥＴ、または前記負荷側バイパスＦＥＴが開放故障していると判断し、
前記主電源側バイパスＦＥＴをオフにし、前記蓄電部側ＦＥＴ、または前記負荷側バイパスＦＥＴをオフにした状態で前記電圧検出回路により検出した前記主電源側バイパスＦＥＴと前記負荷側バイパスＦＥＴの接続点の電圧（Ｖｃ）が第２既定値以上であれば前記主電源側バイパスＦＥＴが短絡故障していると判断し、
前記充電回路が前記蓄電部を充電中、または充電後に前記主電源側バイパスＦＥＴをオンにし、前記蓄電部側ＦＥＴをオフにした状態で前記電圧検出回路により検出した前記蓄電部側ＦＥＴと前記負荷側ダイオードの接続点の電圧（Ｖｄ）が第３既定値以上であれば前記蓄電部側ＦＥＴ、または前記負荷側ダイオードが短絡故障していると判断し、
前記充電回路が前記蓄電部を充電中、または充電後に前記蓄電部側ＦＥＴをオンにした状態で前記電圧検出回路により検出した前記蓄電部側ＦＥＴと前記負荷側ダイオードの接続点の電圧（Ｖｄ）が第４既定値以下であれば前記蓄電部側ＦＥＴが開放故障していると判断し、
前記充電回路が前記蓄電部を充電中、または充電後に前記主電源側バイパスＦＥＴ、および前記負荷側バイパスＦＥＴをオフにし、前記蓄電部側ＦＥＴをオンにした状態で前記電圧検出回路により検出した前記主電源側バイパスＦＥＴと前記負荷側バイパスＦＥＴの接続点の電圧（Ｖｃ）が第５既定値以上であれば前記負荷側バイパスＦＥＴが短絡故障していると判断するとともに、
前記負荷の電圧（Ｖａ）が第６既定値以下であれば前記負荷側ダイオードが開放故障していると判断するようにした蓄電装置。
【請求項５】
主電源と負荷との間に接続された蓄電装置であって、
前記蓄電装置は、前記主電源と前記負荷の間に前記主電源側から順に直列接続された主電源側バイパスＦＥＴ、および前記主電源側バイパスＦＥＴにアノードを前記負荷にカソードを接続した負荷側バイパスダイオードと、
前記主電源に接続された充電回路と、
前記充電回路に接続された蓄電部と、
前記蓄電部と前記負荷の間に前記蓄電部側から順に直列接続された蓄電部側ＦＥＴ、および前記蓄電部側ＦＥＴにアノードを前記負荷にカソードを接続した負荷側ダイオードと、前記主電源の電圧（Ｖｂ）、前記負荷の電圧（Ｖａ）、前記主電源側バイパスＦＥＴと前記負荷側バイパスダイオードの接続点の電圧（Ｖｃ）、および前記蓄電部側ＦＥＴと前記負荷側ダイオードの接続点の電圧（Ｖｄ）を検出する電圧検出回路と、
前記主電源側バイパスＦＥＴ、蓄電部側ＦＥＴ、充電回路、および電圧検出回路が接続された制御部とを備え、
前記制御部は前記主電源側バイパスＦＥＴをオンにし、前記蓄電部側ＦＥＴをオフにした状態で前記電圧検出回路により検出した前記負荷の電圧（Ｖａ）が第１既定値以下であれば前記主電源側バイパスＦＥＴ、または前記負荷側バイパスダイオードが開放故障していると判断し、
前記主電源側バイパスＦＥＴをオフにした状態で前記電圧検出回路により検出した前記主電源側バイパスＦＥＴと前記負荷側バイパスダイオードの接続点の電圧（Ｖｃ）が第２既定値以上であれば前記主電源側バイパスＦＥＴが短絡故障していると判断し、
前記充電回路が前記蓄電部を充電中、または充電後に前記主電源側バイパスＦＥＴをオンにし、前記蓄電部側ＦＥＴをオフにした状態で前記電圧検出回路により検出した前記蓄電部側ＦＥＴと前記負荷側ダイオードの接続点の電圧（Ｖｄ）が第３既定値以上であれば前記蓄電部側ＦＥＴ、または前記負荷側ダイオードが短絡故障していると判断し、
前記充電回路が前記蓄電部を充電中、または充電後に前記主電源側バイパスＦＥＴをオフにし、前記蓄電部側ＦＥＴをオンにした状態で前記電圧検出回路により検出した前記蓄電部側ＦＥＴと前記負荷側ダイオードの接続点の電圧（Ｖｄ）が第４既定値以下であれば前記蓄電部側ＦＥＴが開放故障していると判断し、
前記充電回路が前記蓄電部を充電中、または充電後に前記主電源側バイパスＦＥＴをオフにし、前記蓄電部側ＦＥＴをオンにした状態で前記電圧検出回路により検出した前記主電源側バイパスＦＥＴと前記負荷側バイパスダイオードの接続点の電圧（Ｖｃ）が第５既定値以上であれば前記負荷側バイパスダイオードが短絡故障していると判断するとともに、前記負荷の電圧（Ｖａ）が第６既定値以下であれば前記負荷側ダイオードが開放故障していると判断するようにした蓄電装置。
【請求項６】
主電源と負荷との間に接続された蓄電装置であって、
前記蓄電装置は、前記主電源と前記負荷の間に接続された負荷側バイパスＦＥＴと、
前記主電源に接続された充電回路と、
前記充電回路に接続された蓄電部と、
前記蓄電部と前記負荷の間に直列接続された蓄電部側ＦＥＴ、および負荷側ＦＥＴと、
前記主電源の電圧（Ｖｂ）、前記負荷の電圧（Ｖａ）、および前記蓄電部側ＦＥＴと前記負荷側ＦＥＴの接続点の電圧（Ｖｄ）を検出する電圧検出回路と、
前記負荷側バイパスＦＥＴ、蓄電部側ＦＥＴ、負荷側ＦＥＴ、充電回路、および電圧検出回路が接続された制御部とを備え、
前記制御部は前記蓄電部側ＦＥＴと前記負荷側ＦＥＴをオフにした状態で前記電圧検出回路により検出した前記負荷の電圧（Ｖａ）が第１既定値以下であれば前記負荷側バイパスＦＥＴが開放故障していると判断し、
前記負荷側バイパスＦＥＴ、前記蓄電部側ＦＥＴ、および前記負荷側ＦＥＴをオフにした状態で前記電圧検出回路により検出した前記負荷の電圧（Ｖａ）、および前記主電源の電圧（Ｖｂ）の差が第２既定値以下であれば前記負荷側バイパスＦＥＴが短絡故障していると判断し、
前記充電回路が前記蓄電部を充電中、または充電後に前記蓄電部側ＦＥＴ、および前記負荷側ＦＥＴをオフにした状態で前記電圧検出回路により検出した前記蓄電部側ＦＥＴと前記負荷側ＦＥＴの接続点の電圧（Ｖｄ）が第３既定値以上であれば前記蓄電部側ＦＥＴ、または前記負荷側ＦＥＴが短絡故障していると判断し、
前記充電回路が前記蓄電部を充電中、または充電後に前記負荷側ＦＥＴをオフにし、前記蓄電部側ＦＥＴをオンにした状態で前記電圧検出回路により検出した前記蓄電部側ＦＥＴと前記負荷側ＦＥＴの接続点の電圧（Ｖｄ）が第４既定値以下であれば前記蓄電部側ＦＥＴが開放故障していると判断し、
前記負荷の電圧（Ｖａ）と前記蓄電部の電圧（Ｖｔ）の差が第５既定値以下の時、または前記蓄電部の電圧（Ｖｔ）が前記負荷の電圧（Ｖａ）よりも大きい時で、かつ前記充電回路が前記蓄電部を充電中、または充電後に前記負荷側ＦＥＴをオンにした状態で前記電圧検出回路により検出した前記負荷の電圧（Ｖａ）、および前記蓄電部側ＦＥＴと前記負荷側ＦＥＴの接続点の電圧（Ｖｄ）の差が第６既定値以上であれば前記負荷側ＦＥＴが開放故障していると判断するようにした蓄電装置。
【請求項７】
前記負荷側バイパスＦＥＴに替えて、アノードを前記主電源に、カソードを前記負荷に接続した負荷側バイパスダイオードとし、
前記負荷側バイパスダイオードの故障判断として、前記制御部は前記蓄電部側ＦＥＴ、および前記負荷側ＦＥＴをオフにした状態で前記電圧検出回路により前記負荷の電圧（Ｖａ）、および前記主電源の電圧（Ｖｂ）を検出し、前記負荷の電圧（Ｖａ）が前記第１既定値以下であれば前記負荷側バイパスダイオードが開放故障しており、前記負荷の電圧（Ｖａ）と前記主電源の電圧（Ｖｂ）の差が前記第２既定値以下であれば前記負荷側バイパスダイオードが短絡故障していると判断するようにした請求項６に記載の蓄電装置。
【請求項８】
前記負荷側ＦＥＴに替えて、アノードを前記蓄電部側ＦＥＴに、カソードを前記負荷に接続した負荷側ダイオードとし、
前記負荷側ダイオードの故障判断として、前記制御部は前記蓄電部側ＦＥＴをオフにした状態で前記電圧検出回路により前記蓄電部側ＦＥＴと前記負荷側ダイオードの接続点の電圧（Ｖｄ）が前記第３既定値以上であれば前記負荷側ダイオードが短絡故障しており、前記負荷の電圧（Ｖａ）と前記蓄電部の電圧（Ｖｔ）の差が前記第５既定値以下の時、または前記蓄電部の電圧（Ｖｔ）が前記負荷の電圧（Ｖａ）よりも大きい時で、かつ前記充電回路が前記蓄電部を充電中、または充電後に前記電圧検出回路により検出した前記負荷の電圧（Ｖａ）、および前記蓄電部側ＦＥＴと前記負荷側ダイオードの接続点の電圧（Ｖｄ）の差が前記第６既定値以上であれば前記負荷側ダイオードが開放故障していると判断するようにした請求項６に記載の蓄電装置。
【請求項９】
前記負荷側バイパスＦＥＴに替えて、アノードを前記主電源に、カソードを前記負荷に接続した負荷側バイパスダイオードとするとともに、前記負荷側ＦＥＴに替えて、アノードを前記蓄電部側ＦＥＴに、カソードを前記負荷に接続した負荷側ダイオードとし、
前記負荷側バイパスダイオードの故障判断として、前記制御部は前記蓄電部側ＦＥＴをオフにした状態で前記電圧検出回路により前記負荷の電圧（Ｖａ）、および前記主電源の電圧（Ｖｂ）を検出し、前記負荷の電圧（Ｖａ）が前記第１既定値以下であれば前記負荷側バイパスダイオードが開放故障しており、前記負荷の電圧（Ｖａ）と前記主電源の電圧（Ｖｂ）の差が前記第２既定値以下であれば前記負荷側バイパスダイオードが短絡故障していると判断するとともに、
前記負荷側ダイオードの故障判断として、前記制御部は前記蓄電部側ＦＥＴをオフにした状態で前記電圧検出回路により前記蓄電部側ＦＥＴと前記負荷側ダイオードの接続点の電圧（Ｖｄ）が前記第３既定値以上であれば前記負荷側ダイオードが短絡故障しており、前記負荷の電圧（Ｖａ）と前記蓄電部の電圧（Ｖｔ）の差が前記第５既定値以下の時、または前記蓄電部の電圧（Ｖｔ）が前記負荷の電圧（Ｖａ）よりも大きい時で、かつ前記充電回路が前記蓄電部を充電中、または充電後に前記電圧検出回路により検出した前記負荷の電圧（Ｖａ）、および前記蓄電部側ＦＥＴと前記負荷側ダイオードの接続点の電圧（Ｖｄ）の差が前記第６既定値以上であれば前記負荷側ダイオードが開放故障していると判断するようにした請求項６に記載の蓄電装置。
【請求項１０】
主電源と負荷との間に接続された蓄電装置であって、
前記蓄電装置は、前記主電源と前記負荷の間に直列接続された主電源側バイパスＦＥＴ、および負荷側バイパスＦＥＴと、
前記主電源に接続された充電回路と、
前記充電回路に接続された蓄電部と、
前記蓄電部と前記負荷の間に直列接続された蓄電部側ＦＥＴ、および負荷側ＦＥＴと、
前記主電源の電圧（Ｖｂ）、前記負荷の電圧（Ｖａ）、前記主電源側バイパスＦＥＴと前記負荷側バイパスＦＥＴの接続点の電圧（Ｖｃ）、および前記蓄電部側ＦＥＴと前記負荷側ＦＥＴの接続点の電圧（Ｖｄ）を検出する電圧検出回路と、
前記主電源側バイパスＦＥＴ、負荷側バイパスＦＥＴ、蓄電部側ＦＥＴ、負荷側ＦＥＴ、充電回路、および電圧検出回路が接続された制御部とを備え、
前記制御部は、前記主電源側バイパスＦＥＴの開放故障を判断する際に、前記主電源側バイパスＦＥＴをオンにし、前記蓄電部側ＦＥＴと前記負荷側ＦＥＴをオフにした状態で、前記電圧検出回路により検出した前記負荷の電圧（Ｖａ）が第１既定値以下、または前記主電源側バイパスＦＥＴと前記負荷側バイパスＦＥＴの接続点の電圧（Ｖｃ）が第２既定値以下であれば開放故障していると判断し、
前記負荷側バイパスＦＥＴの開放故障を判断する際に、前記主電源側バイパスＦＥＴをオンにし、前記蓄電部側ＦＥＴと前記負荷側ＦＥＴをオフにした状態で、前記負荷の電圧（Ｖａ）が第３既定値以下であるか、あるいは前記充電回路が前記蓄電部を充電中、または充電後に、前記主電源側バイパスＦＥＴをオフにし、前記負荷側バイパスＦＥＴと前記蓄電部側ＦＥＴをオンにした状態で、前記主電源側バイパスＦＥＴと前記負荷側バイパスＦＥＴの接続点の電圧（Ｖｃ）が第４既定値以下であれば開放故障していると判断し、
前記蓄電部側ＦＥＴの開放故障を判断する際に、前記充電回路が前記蓄電部を充電中、または充電後に、前記主電源側バイパスＦＥＴをオフにし、前記蓄電部側ＦＥＴをオンにした状態とするか、あるいは前記充電回路が前記蓄電部を充電中、または充電後に、前記蓄電部側ＦＥＴをオンにし、前記負荷側ＦＥＴをオフにした状態で、前記蓄電部側ＦＥＴと前記負荷側ＦＥＴの接続点の電圧（Ｖｄ）が第５既定値以下であれば開放故障していると判断し、
前記負荷側ＦＥＴの開放故障を判断する際に、前記充電回路が前記蓄電部を充電中、または充電後に、前記主電源側バイパスＦＥＴと前記負荷側バイパスＦＥＴをオフにし、前記蓄電部側ＦＥＴと前記負荷側ＦＥＴをオンにした状態で、前記負荷の電圧（Ｖａ）が第６既定値以下であるか、あるいは前記充電回路が前記蓄電部を充電中、または充電後に、前記主電源側バイパスＦＥＴと前記負荷側ＦＥＴをオンにし、前記蓄電部側ＦＥＴをオフにした状態で、前記蓄電部側ＦＥＴと前記負荷側ＦＥＴの接続点の電圧（Ｖｄ）が第７既定値以下であれば開放故障していると判断し、
前記主電源側バイパスＦＥＴの短絡故障を判断する際に、前記主電源側バイパスＦＥＴと前記負荷側バイパスＦＥＴをオフにした状態とするか、あるいは前記主電源側バイパスＦＥＴと前記蓄電部側ＦＥＴをオフにした状態で、前記主電源側バイパスＦＥＴと前記負荷側バイパスＦＥＴの接続点の電圧（Ｖｃ）が第８既定値以上であれば短絡故障していると判断し、
前記負荷側バイパスＦＥＴの短絡故障を判断する際に、前記充電回路が前記蓄電部を充電中、または充電後に、前記主電源側バイパスＦＥＴと前記負荷側バイパスＦＥＴをオフにし、前記蓄電部側ＦＥＴをオンにした状態で、前記主電源側バイパスＦＥＴと前記負荷側バイパスＦＥＴの接続点の電圧（Ｖｃ）が第９既定値以上であれば短絡故障していると判断し、
前記蓄電部側ＦＥＴの短絡故障を判断する際に、前記充電回路が前記蓄電部を充電中、または充電後に、前記蓄電部側ＦＥＴと前記負荷側ＦＥＴをオフにした状態とするか、あるいは前記充電回路が前記蓄電部を充電中、または充電後に、前記主電源側バイパスＦＥＴと前記蓄電部側ＦＥＴをオフにした状態で、前記蓄電部側ＦＥＴと前記負荷側ＦＥＴの接続点の電圧（Ｖｄ）が第１０既定値以上であれば短絡故障していると判断し、
前記負荷側ＦＥＴの短絡故障を判断する際に、前記主電源側バイパスＦＥＴをオンにし、前記蓄電部側ＦＥＴと前記負荷側ＦＥＴをオフにした状態で、前記蓄電部側ＦＥＴと前記負荷側ＦＥＴの接続点の電圧（Ｖｄ）が第１１既定値以上であれば短絡故障していると判断するようにした蓄電装置。
【請求項１１】
前記主電源側バイパスＦＥＴ、負荷側バイパスＦＥＴ、蓄電部側ＦＥＴ、および負荷側ＦＥＴは、それぞれがオフの時に寄生ダイオードにより発生する電圧降下（ΔＶ）を有し、
前記制御部は、前記主電源側バイパスＦＥＴと前記負荷側バイパスＦＥＴをオンにし、前記蓄電部側ＦＥＴと前記負荷側ＦＥＴをオフにした状態で、前記負荷の電圧（Ｖａ）が前記第１既定値以下、または前記第３既定値以下であれば、前記主電源側バイパスＦＥＴ、または前記負荷側バイパスＦＥＴが開放故障していると判断し、
前記充電回路が前記蓄電部を充電中、または充電後に、前記主電源側バイパスＦＥＴと前記負荷側バイパスＦＥＴをオンにし、前記蓄電部側ＦＥＴと前記負荷側ＦＥＴをオフにした状態で、前記蓄電部側ＦＥＴと前記負荷側ＦＥＴの接続点の電圧（Ｖｄ）が前記第１０既定値以上、または前記第１１既定値以上であれば、前記蓄電部側ＦＥＴ、または前記負荷側ＦＥＴが短絡故障していると判断し、
前記充電回路が前記蓄電部を充電中、または充電後で、前記主電源の電圧（Ｖｂ）が前記蓄電部の電圧（Ｖｔ）と前記電圧降下（ΔＶ）の差（Ｖｔ−ΔＶ）以上の場合に、前記主電源側バイパスＦＥＴ、負荷側バイパスＦＥＴ、および蓄電部側ＦＥＴをオンにし、前記負荷側ＦＥＴをオフにした状態で、前記蓄電部側ＦＥＴと前記負荷側ＦＥＴの接続点の電圧（Ｖｄ）が前記第５既定値以下であれば、前記蓄電部側ＦＥＴが開放故障していると判断し、
前記充電回路が前記蓄電部を充電中、または充電後で、前記蓄電部の電圧（Ｖｔ）が前記主電源の電圧（Ｖｂ）と前記電圧降下（ΔＶ）の差（Ｖｂ−ΔＶ）以上の場合に、前記主電源側バイパスＦＥＴ、負荷側バイパスＦＥＴ、および負荷側ＦＥＴをオンにし、前記蓄電部側ＦＥＴをオフにした状態で、前記蓄電部側ＦＥＴと前記負荷側ＦＥＴの接続点の電圧（Ｖｄ）が前記第７既定値以下であれば、前記負荷側ＦＥＴが開放故障していると判断し、
前記充電回路が前記蓄電部を充電中、または充電後で、前記主電源の電圧（Ｖｂ）と前記蓄電部の電圧（Ｖｔ）の差の絶対値（｜Ｖｂ−Ｖｔ｜）が前記電圧降下（ΔＶ）以下の場合に、前記主電源側バイパスＦＥＴと前記負荷側バイパスＦＥＴをオフにし、前記蓄電部側ＦＥＴと前記負荷側ＦＥＴをオンにした状態で、前記主電源側バイパスＦＥＴと前記負荷側バイパスＦＥＴの接続点の電圧（Ｖｃ）が前記第８既定値以上、または前記第９既定値以上であれば、前記主電源側バイパスＦＥＴ、または前記負荷側バイパスＦＥＴが短絡故障していると判断するようにした請求項１０に記載の蓄電装置。
【請求項１２】
前記負荷側バイパスＦＥＴに替えて、アノードを前記主電源側バイパスＦＥＴに、カソードを前記負荷に接続した負荷側バイパスダイオードとし、
前記制御部は、前記主電源側バイパスＦＥＴの開放故障を判断する際に、前記主電源側バイパスＦＥＴをオンにし、前記蓄電部側ＦＥＴと前記負荷側ＦＥＴをオフにした状態で、前記電圧検出回路により検出した前記負荷の電圧（Ｖａ）が前記第１既定値以下、または前記主電源側バイパスＦＥＴと前記負荷側バイパスダイオードの接続点の電圧（Ｖｃ）が前記第２既定値以下であれば開放故障していると判断し、
前記負荷側バイパスダイオードの開放故障を判断する際に、前記主電源側バイパスＦＥＴをオンにし、前記蓄電部側ＦＥＴと前記負荷側ＦＥＴをオフにした状態で、前記負荷の電圧（Ｖａ）が前記第３既定値以下であれば開放故障していると判断し、
前記負荷側ＦＥＴの開放故障を判断する際に、前記充電回路が前記蓄電部を充電中、または充電後に、前記主電源側バイパスＦＥＴをオフにし、前記蓄電部側ＦＥＴと前記負荷側ＦＥＴをオンにした状態で、前記負荷の電圧（Ｖａ）が前記第６既定値以下であるか、あるいは前記充電回路が前記蓄電部を充電中、または充電後に、前記主電源側バイパスＦＥＴと前記負荷側ＦＥＴをオンにし、前記蓄電部側ＦＥＴをオフにした状態で、前記蓄電部側ＦＥＴと前記負荷側ＦＥＴの接続点の電圧（Ｖｄ）が前記第７既定値以下であれば開放故障していると判断し、
前記主電源側バイパスＦＥＴの短絡故障を判断する際に、前記主電源側バイパスＦＥＴをオフにした状態で、前記主電源側バイパスＦＥＴと前記負荷側バイパスダイオードの接続点の電圧（Ｖｃ）が前記第８既定値以上であれば短絡故障していると判断し、
前記負荷側バイパスダイオードの短絡故障を判断する際に、前記充電回路が前記蓄電部を充電中、または充電後に、前記主電源側バイパスＦＥＴをオフにし、前記蓄電部側ＦＥＴをオンにした状態で、前記主電源側バイパスＦＥＴと前記負荷側バイパスダイオードの接続点の電圧（Ｖｃ）が前記第９既定値以上であれば短絡故障していると判断するようにした請求項１０に記載の蓄電装置。
【請求項１３】
前記主電源側バイパスＦＥＴ、蓄電部側ＦＥＴ、および負荷側ＦＥＴは、それぞれがオフの時に寄生ダイオードにより発生する電圧降下（ΔＶ）を有するとともに、前記負荷側バイパスダイオードも前記電圧降下（ΔＶ）を有し、
前記制御部は、前記主電源側バイパスＦＥＴをオンにし、前記蓄電部側ＦＥＴと前記負荷側ＦＥＴをオフにした状態で、前記負荷の電圧（Ｖａ）が前記第１既定値以下、または前記第３既定値以下であれば、前記主電源側バイパスＦＥＴ、または前記負荷側バイパスダイオードが開放故障していると判断し、
前記充電回路が前記蓄電部を充電中、または充電後に、前記主電源側バイパスＦＥＴをオンにし、前記蓄電部側ＦＥＴと前記負荷側ＦＥＴをオフにした状態で、前記蓄電部側ＦＥＴと前記負荷側ＦＥＴの接続点の電圧（Ｖｄ）が前記第１０既定値以上、または前記第１１既定値以上であれば、前記蓄電部側ＦＥＴ、または前記負荷側ＦＥＴが短絡故障していると判断し、
前記充電回路が前記蓄電部を充電中、または充電後に、前記主電源側バイパスＦＥＴと前記蓄電部側ＦＥＴをオンにし、前記負荷側ＦＥＴをオフにした状態で、前記蓄電部側ＦＥＴと前記負荷側ＦＥＴの接続点の電圧（Ｖｄ）が前記第５既定値以下であれば、前記蓄電部側ＦＥＴが開放故障していると判断し、
前記充電回路が前記蓄電部を充電中、または充電後で、前記蓄電部の電圧（Ｖｔ）が前記主電源の電圧（Ｖｂ）と前記電圧降下（ΔＶ）の差（Ｖｂ−ΔＶ×２）以上の場合に、前記主電源側バイパスＦＥＴと前記負荷側ＦＥＴをオンにし、前記蓄電部側ＦＥＴをオフにした状態で、前記蓄電部側ＦＥＴと前記負荷側ＦＥＴの接続点の電圧（Ｖｄ）が前記第７既定値以下であれば、前記負荷側ＦＥＴが開放故障していると判断し、
前記充電回路が前記蓄電部を充電中、または充電後で、前記主電源の電圧（Ｖｂ）と前記蓄電部の電圧（Ｖｔ）の差の絶対値（｜Ｖｂ−Ｖｔ｜）が前記電圧降下（ΔＶ）以下の場合に、前記主電源側バイパスＦＥＴをオフにし、前記蓄電部側ＦＥＴと前記負荷側ＦＥＴをオンにした状態で、前記主電源側バイパスＦＥＴと前記負荷側バイパスダイオードの接続点の電圧（Ｖｃ）が前記第８既定値以上、または前記第９既定値以上であれば、前記主電源側バイパスＦＥＴ、または前記負荷側バイパスダイオードが短絡故障していると判断するようにした請求項１２に記載の蓄電装置。
【請求項１４】
前記負荷側ＦＥＴに替えて、アノードを前記蓄電部側ＦＥＴに、カソードを前記負荷に接続した負荷側ダイオードとし、
前記制御部は、前記主電源側バイパスＦＥＴの開放故障を判断する際に、前記主電源側バイパスＦＥＴをオンにし、前記蓄電部側ＦＥＴをオフにした状態で、前記電圧検出回路により検出した前記負荷の電圧（Ｖａ）が前記第１既定値以下、または前記主電源側バイパスＦＥＴと前記負荷側バイパスＦＥＴの接続点の電圧（Ｖｃ）が前記第２既定値以下であれば開放故障していると判断し、
前記負荷側バイパスＦＥＴの開放故障を判断する際に、前記主電源側バイパスＦＥＴをオンにし、前記蓄電部側ＦＥＴをオフにした状態で、前記負荷の電圧（Ｖａ）が前記第３既定値以下であるか、あるいは前記充電回路が前記蓄電部を充電中、または充電後に、前記主電源側バイパスＦＥＴをオフにし、前記負荷側バイパスＦＥＴと前記蓄電部側ＦＥＴをオンにした状態で、前記主電源側バイパスＦＥＴと前記負荷側バイパスＦＥＴの接続点の電圧（Ｖｃ）が前記第４既定値以下であれば開放故障していると判断し、
前記蓄電部側ＦＥＴの開放故障を判断する際に、前記充電回路が前記蓄電部を充電中、または充電後に、前記蓄電部側ＦＥＴをオンにした状態で、前記蓄電部側ＦＥＴと前記負荷側ダイオードの接続点の電圧（Ｖｄ）が前記第５既定値以下であれば開放故障していると判断し、
前記負荷側ダイオードの開放故障を判断する際に、前記充電回路が前記蓄電部を充電中、または充電後に、前記主電源側バイパスＦＥＴと前記負荷側バイパスＦＥＴをオフにし、前記蓄電部側ＦＥＴをオンにした状態で、前記負荷の電圧（Ｖａ）が前記第６既定値以下であれば開放故障していると判断し、
前記蓄電部側ＦＥＴの短絡故障を判断する際に、前記充電回路が前記蓄電部を充電中、または充電後に、前記蓄電部側ＦＥＴをオフにした状態で、前記蓄電部側ＦＥＴと前記負荷側ダイオードの接続点の電圧（Ｖｄ）が前記第１０既定値以上であれば短絡故障していると判断し、
前記負荷側ダイオードの短絡故障を判断する際に、前記主電源側バイパスＦＥＴをオンにし、前記蓄電部側ＦＥＴをオフにした状態で、前記蓄電部側ＦＥＴと前記負荷側ダイオードの接続点の電圧（Ｖｄ）が前記第１１既定値以上であれば短絡故障していると判断するようにした請求項１０に記載の蓄電装置。
【請求項１５】
前記主電源側バイパスＦＥＴ、負荷側バイパスＦＥＴ、および蓄電部側ＦＥＴは、それぞれがオフの時に寄生ダイオードにより発生する電圧降下（ΔＶ）を有するとともに、前記負荷側ダイオードも前記電圧降下（ΔＶ）を有し、
前記制御部は、前記主電源側バイパスＦＥＴと前記負荷側バイパスＦＥＴをオンにし、前記蓄電部側ＦＥＴをオフにした状態で、前記負荷の電圧（Ｖａ）が前記第１既定値以下、または前記第３既定値以下であれば、前記主電源側バイパスＦＥＴ、または前記負荷側バイパスＦＥＴが開放故障していると判断し、
前記充電回路が前記蓄電部を充電中、または充電後に、前記主電源側バイパスＦＥＴと前記負荷側バイパスＦＥＴをオンにし、前記蓄電部側ＦＥＴをオフにした状態で、前記蓄電部側ＦＥＴと前記負荷側ダイオードの接続点の電圧（Ｖｄ）が前記第１０既定値以上、または前記第１１既定値以上であれば、前記蓄電部側ＦＥＴ、または前記負荷側ダイオードが短絡故障していると判断し、
前記充電回路が前記蓄電部を充電中、または充電後で、前記主電源の電圧（Ｖｂ）が前記蓄電部の電圧（Ｖｔ）と前記電圧降下（ΔＶ）の差（Ｖｔ−ΔＶ）以上の場合に、前記主電源側バイパスＦＥＴ、負荷側バイパスＦＥＴ、および蓄電部側ＦＥＴをオンにした状態で、前記負荷の電圧（Ｖａ）前記蓄電部側ＦＥＴと前記負荷側ダイオードの接続点の電圧（Ｖｄ）が前記第５既定値以下であれば、前記蓄電部側ＦＥＴが開放故障していると判断し、
前記充電回路が前記蓄電部を充電中、または充電後で、前記主電源の電圧（Ｖｂ）が、前記蓄電部の電圧（Ｖｔ）と、前記寄生ダイオードおよび前記負荷側ダイオードによる前記電圧降下（ΔＶ）の差（Ｖｔ−ΔＶ×２）以上の場合に、前記主電源側バイパスＦＥＴと前記負荷側バイパスＦＥＴをオフにし、前記蓄電部側ＦＥＴをオンにした状態で、前記負荷の電圧（Ｖａ）が前記第６既定値以下であれば、前記負荷側ダイオードが開放故障していると判断し、
前記充電回路が前記蓄電部を充電中、または充電後で、前記主電源の電圧（Ｖｂ）が、前記蓄電部の電圧（Ｖｔ）と、前記寄生ダイオードおよび前記負荷側ダイオードによる前記電圧降下（ΔＶ）の差（Ｖｔ−ΔＶ×２）以上の場合に、前記主電源側バイパスＦＥＴと前記負荷側バイパスＦＥＴをオフにし、前記蓄電部側ＦＥＴをオンにした状態で、前記主電源側バイパスＦＥＴと前記負荷側バイパスＦＥＴの接続点の電圧（Ｖｃ）が前記第８既定値以上、または前記第９既定値以上であれば、前記主電源側バイパスＦＥＴ、または前記負荷側バイパスＦＥＴが短絡故障していると判断するようにした請求項１４に記載の蓄電装置。
【請求項１６】
前記負荷側バイパスＦＥＴに替えて、アノードを前記主電源側バイパスＦＥＴに、カソードを前記負荷に接続した負荷側バイパスダイオードとするとともに、前記負荷側ＦＥＴに替えて、アノードを前記蓄電部側ＦＥＴに、カソードを前記負荷に接続した負荷側ダイオードとし、
前記制御部は、前記主電源側バイパスＦＥＴの開放故障を判断する際に、前記主電源側バイパスＦＥＴをオンにし、前記蓄電部側ＦＥＴをオフにした状態で、前記電圧検出回路により検出した前記負荷の電圧（Ｖａ）が前記第１既定値以下であるか、あるいは前記主電源側バイパスＦＥＴをオンにした状態で前記主電源側バイパスＦＥＴと前記負荷側バイパスダイオードの接続点の電圧（Ｖｃ）が前記第２既定値以下であれば開放故障していると判断し、
前記負荷側バイパスダイオードの開放故障を判断する際に、前記主電源側バイパスＦＥＴをオンにし、前記蓄電部側ＦＥＴをオフにした状態で、前記負荷の電圧（Ｖａ）が前記第３既定値以下であれば開放故障していると判断し、
前記蓄電部側ＦＥＴの開放故障を判断する際に、前記充電回路が前記蓄電部を充電中、または充電後に、前記蓄電部側ＦＥＴをオンにした状態で、前記蓄電部側ＦＥＴと前記負荷側ダイオードの接続点の電圧（Ｖｄ）が前記第５既定値以下であれば開放故障していると判断し、
前記負荷側ダイオードの開放故障を判断する際に、前記充電回路が前記蓄電部を充電中、または充電後に、前記主電源側バイパスＦＥＴをオフにし、前記蓄電部側ＦＥＴをオンにした状態で、前記負荷の電圧（Ｖａ）が前記第６既定値以下であれば開放故障していると判断し、
前記主電源側バイパスＦＥＴの短絡故障を判断する際に、前記主電源側バイパスＦＥＴをオフにした状態で、前記主電源側バイパスＦＥＴと前記負荷側バイパスダイオードの接続点の電圧（Ｖｃ）が前記第８既定値以上であれば短絡故障していると判断し、
前記負荷側バイパスダイオードの短絡故障を判断する際に、前記充電回路が前記蓄電部を充電中、または充電後に、前記主電源側バイパスＦＥＴをオフにし、前記蓄電部側ＦＥＴをオンにした状態で、前記主電源側バイパスＦＥＴと前記負荷側バイパスダイオードの接続点の電圧（Ｖｃ）が前記第９既定値以上であれば短絡故障していると判断し、
前記蓄電部側ＦＥＴの短絡故障を判断する際に、前記充電回路が前記蓄電部を充電中、または充電後に、前記蓄電部側ＦＥＴをオフにした状態で、前記蓄電部側ＦＥＴと前記負荷側ダイオードの接続点の電圧（Ｖｄ）が前記第１０既定値以上であれば短絡故障していると判断し、
前記負荷側ダイオードの短絡故障を判断する際に、前記主電源側バイパスＦＥＴをオンにし、前記蓄電部側ＦＥＴをオフにした状態で、前記蓄電部側ＦＥＴと前記負荷側ダイオードの接続点の電圧（Ｖｄ）が前記第１１既定値以上であれば短絡故障していると判断するようにした請求項１０に記載の蓄電装置。
【請求項１７】
前記主電源側バイパスＦＥＴと前記蓄電部側ＦＥＴは、それぞれがオフの時に寄生ダイオードにより発生する電圧降下（ΔＶ）を有するとともに、前記負荷側バイパスダイオードと前記負荷側ダイオードも前記電圧降下（ΔＶ）を有し、
前記制御部は、前記主電源側バイパスＦＥＴをオンにし、前記蓄電部側ＦＥＴをオフにした状態で、前記負荷の電圧（Ｖａ）が前記第１既定値以下、または前記第３既定値以下であれば、前記主電源側バイパスＦＥＴ、または前記負荷側バイパスダイオードが開放故障していると判断し、
前記充電回路が前記蓄電部を充電中、または充電後に、前記主電源側バイパスＦＥＴをオンにし、前記蓄電部側ＦＥＴをオフにした状態で、前記蓄電部側ＦＥＴと前記負荷側ダイオードの接続点の電圧（Ｖｄ）が前記第１０既定値以上、または前記第１１既定値以上であれば、前記蓄電部側ＦＥＴ、または前記負荷側ダイオードが短絡故障していると判断し、
前記充電回路が前記蓄電部を充電中、または充電後に、前記主電源側バイパスＦＥＴと前記蓄電部側ＦＥＴをオンにした状態で、前記蓄電部側ＦＥＴと前記負荷側ダイオードの接続点の電圧（Ｖｄ）が前記第５既定値以下であれば、前記蓄電部側ＦＥＴが開放故障していると判断し、
前記充電回路が前記蓄電部を充電中、または充電後で、前記主電源の電圧（Ｖｂ）が、前記蓄電部の電圧（Ｖｔ）と、前記寄生ダイオードおよび前記負荷側ダイオードによる前記電圧降下（ΔＶ）の差（Ｖｔ−ΔＶ×２）以上の場合に、前記主電源側バイパスＦＥＴをオフにし、前記蓄電部側ＦＥＴをオンにした状態で、前記負荷の電圧（Ｖａ）が前記第６既定値以下であれば、前記負荷側ダイオードが開放故障していると判断し、
前記充電回路が前記蓄電部を充電中、または充電後で、前記主電源の電圧（Ｖｂ）が、前記蓄電部の電圧（Ｖｔ）と、前記寄生ダイオードおよび前記負荷側ダイオードによる前記電圧降下（ΔＶ）の差（Ｖｔ−ΔＶ×２）以上の場合に、前記主電源側バイパスＦＥＴをオフにし、前記蓄電部側ＦＥＴをオンにした状態で、前記主電源側バイパスＦＥＴと前記負荷側バイパスダイオードの接続点の電圧（Ｖｃ）が前記第８既定値以上、または前記第９既定値以上であれば、前記主電源側バイパスＦＥＴ、または前記負荷側バイパスダイオードが短絡故障していると判断するようにした請求項１６に記載の蓄電装置。
【請求項１８】
前記主電源側バイパスＦＥＴを廃して、前記主電源と前記負荷の間に負荷側バイパスＦＥＴのみを接続した構成とし、
前記制御部は、前記負荷側バイパスＦＥＴの開放故障を判断する際に、前記蓄電部側ＦＥＴと前記負荷側ＦＥＴをオフにした状態で、前記負荷の電圧（Ｖａ）が前記第３既定値以下であれば開放故障していると判断し、
前記蓄電部側ＦＥＴの開放故障を判断する際に、前記充電回路が前記蓄電部を充電中、または充電後に、前記蓄電部側ＦＥＴをオンにし、前記負荷側ＦＥＴをオフにした状態で、前記蓄電部側ＦＥＴと前記負荷側ＦＥＴの接続点の電圧（Ｖｄ）が前記第５既定値以下であれば開放故障していると判断し、
前記負荷側ＦＥＴの開放故障を判断する際に、前記充電回路が前記蓄電部を充電中、または充電後に、前記負荷側ＦＥＴをオンにし、前記蓄電部側ＦＥＴをオフにした状態で、前記蓄電部側ＦＥＴと前記負荷側ＦＥＴの接続点の電圧（Ｖｄ）が前記第７既定値以下であれば開放故障していると判断し、
前記負荷側バイパスＦＥＴの短絡故障を判断する際に、前記負荷側バイパスＦＥＴ、蓄電部側ＦＥＴ、および負荷側ＦＥＴをオフにした状態で、前記主電源の電圧（Ｖｂ）と前記負荷の電圧（Ｖａ）の差が第１２既定値以下であれば短絡故障していると判断し、
前記蓄電部側ＦＥＴの短絡故障を判断する際に、前記充電回路が前記蓄電部を充電中、または充電後に、前記蓄電部側ＦＥＴと前記負荷側ＦＥＴをオフにした状態で、前記蓄電部側ＦＥＴと前記負荷側ＦＥＴの接続点の電圧（Ｖｄ）が前記第１０既定値以上であれば短絡故障していると判断し、
前記負荷側ＦＥＴの短絡故障を判断する際に、前記蓄電部側ＦＥＴと前記負荷側ＦＥＴをオフにした状態で、前記蓄電部側ＦＥＴと前記負荷側ＦＥＴの接続点の電圧（Ｖｄ）が前記第１１既定値以上であれば短絡故障していると判断するようにした請求項１０に記載の蓄電装置。
【請求項１９】
前記負荷側バイパスＦＥＴ、蓄電部側ＦＥＴ、および負荷側ＦＥＴは、それぞれがオフの時に寄生ダイオードにより発生する電圧降下（ΔＶ）を有し、
前記制御部は、前記負荷側バイパスＦＥＴをオンにし、前記蓄電部側ＦＥＴと前記負荷側ＦＥＴをオフにした状態で、前記負荷の電圧（Ｖａ）が前記第３既定値以下であれば前記負荷側バイパスＦＥＴが開放故障していると判断し、
前記負荷側バイパスＦＥＴ、蓄電部側ＦＥＴ、および負荷側ＦＥＴをオフにした状態で、前記主電源の電圧（Ｖｂ）と前記負荷の電圧（Ｖａ）の差が前記第１２既定値以下であれば前記負荷側バイパスＦＥＴが短絡故障していると判断し、
前記充電回路が前記蓄電部を充電中、または充電後に、前記負荷側バイパスＦＥＴをオンにし、前記蓄電部側ＦＥＴと前記負荷側ＦＥＴをオフにした状態で、前記蓄電部側ＦＥＴと前記負荷側ＦＥＴの接続点の電圧（Ｖｄ）が前記第１０既定値以上、または前記第１１既定値以上であれば、前記蓄電部側ＦＥＴ、または前記負荷側ＦＥＴが短絡故障していると判断し、
前記充電回路が前記蓄電部を充電中、または充電後で、前記主電源の電圧（Ｖｂ）が前記蓄電部の電圧（Ｖｔ）と前記電圧降下（ΔＶ）の差（Ｖｔ−ΔＶ）以上の場合に、前記負荷側バイパスＦＥＴと前記蓄電部側ＦＥＴをオンにし、前記負荷側ＦＥＴをオフにした状態で、前記蓄電部側ＦＥＴと前記負荷側ＦＥＴの接続点の電圧（Ｖｄ）が前記第５既定値以下であれば、前記蓄電部側ＦＥＴが開放故障していると判断し、
前記充電回路が前記蓄電部を充電中、または充電後で、前記蓄電部の電圧（Ｖｔ）が前記主電源の電圧（Ｖｂ）と前記電圧降下（ΔＶ）の差（Ｖｂ−ΔＶ）以上の場合に、前記負荷側バイパスＦＥＴと前記負荷側ＦＥＴをオンにし、前記蓄電部側ＦＥＴをオフにした状態で、前記蓄電部側ＦＥＴと前記負荷側ＦＥＴの接続点の電圧（Ｖｄ）が前記第７既定値以下であれば、前記負荷側ＦＥＴが開放故障していると判断するようにした請求項１８に記載の蓄電装置。
【請求項２０】
前記負荷側バイパスＦＥＴに替えて、アノードを前記主電源に、カソードを前記負荷に接続した負荷側バイパスダイオードとし、
前記制御部は、前記負荷側バイパスダイオードの開放故障を判断する際に、前記蓄電部側ＦＥＴと前記負荷側ＦＥＴをオフにした状態で、前記負荷の電圧（Ｖａ）が前記第３既定値以下であれば開放故障していると判断し、
前記負荷側バイパスダイオードの短絡故障を判断する際に、前記蓄電部側ＦＥＴと前記負荷側ＦＥＴをオフにした状態で、前記主電源の電圧（Ｖｂ）と前記負荷の電圧（Ｖａ）の差が前記第１２既定値以下であれば短絡故障していると判断するようにした請求項１８に記載の蓄電装置。
【請求項２１】
前記蓄電部側ＦＥＴと前記負荷側ＦＥＴは、それぞれがオフの時に寄生ダイオードにより発生する電圧降下（ΔＶ）を有するとともに、前記負荷側バイパスダイオードも前記電圧降下（ΔＶ）を有し、
前記制御部は、前記蓄電部側ＦＥＴと前記負荷側ＦＥＴをオフにした状態で、前記負荷の電圧（Ｖａ）が前記第３既定値以下であれば前記負荷側バイパスダイオードが開放故障していると判断し、
前記蓄電部側ＦＥＴと前記負荷側ＦＥＴをオフにした状態で、前記主電源の電圧（Ｖｂ）と前記負荷の電圧（Ｖａ）の差が前記第１２既定値以下であれば前記負荷側バイパスＦＥＴが短絡故障していると判断し、
前記充電回路が前記蓄電部を充電中、または充電後に、前記蓄電部側ＦＥＴと前記負荷側ＦＥＴをオフにした状態で、前記蓄電部側ＦＥＴと前記負荷側ＦＥＴの接続点の電圧（Ｖｄ）が前記第１０既定値以上、または前記第１１既定値以上であれば、前記蓄電部側ＦＥＴ、または前記負荷側ＦＥＴが短絡故障していると判断し、
前記充電回路が前記蓄電部を充電中、または充電後で、前記蓄電部の電圧（Ｖｔ）が、前記主電源の電圧（Ｖｂ）と、前記寄生ダイオードおよび前記負荷側バイパスダイオードによる前記電圧降下（ΔＶ）の差（Ｖｔ−ΔＶ×２）以上の場合に、前記蓄電部側ＦＥＴをオンにし、前記負荷側ＦＥＴをオフにした状態で、前記蓄電部側ＦＥＴと前記負荷側ＦＥＴの接続点の電圧（Ｖｄ）が前記第５既定値以下であれば、前記蓄電部側ＦＥＴが開放故障していると判断し、
前記充電回路が前記蓄電部を充電中、または充電後に、前記負荷側ＦＥＴをオンにし、前記蓄電部側ＦＥＴをオフにした状態で、前記蓄電部側ＦＥＴと前記負荷側ＦＥＴの接続点の電圧（Ｖｄ）が前記第７既定値以下であれば、前記負荷側ＦＥＴが開放故障していると判断するようにした請求項２０に記載の蓄電装置。
【請求項２２】
前記制御部は、始動後に前記主電源側バイパスＦＥＴ、または前記負荷側バイパスＦＥＴの開放故障を判断した後、前記蓄電部の充電後に残りの故障判断を行うとともに、前記主電源側バイパスＦＥＴの短絡故障を判断する時は、前記主電源側バイパスＦＥＴと前記負荷側バイパスＦＥＴをオフにし、前記蓄電部側ＦＥＴをオンにするようにした請求項２、４、または１０のいずれかに記載の蓄電装置。
【請求項２３】
前記制御部は、始動後に前記主電源側バイパスＦＥＴ、または前記負荷側バイパスダイオードの開放故障を判断した後、前記蓄電部の充電後に残りの故障判断を行うとともに、前記主電源側バイパスＦＥＴの短絡故障を判断する時は、前記蓄電部側ＦＥＴをオンにするようにした請求項３、５、１２、または１６のいずれかに記載の蓄電装置。
【請求項２４】
前記制御部は、始動後に前記負荷側バイパスＦＥＴの開放故障を判断した後、前記蓄電部の充電後に残りの故障判断を行うようにした請求項６、または１８に記載の蓄電装置。
【請求項２５】
前記制御部はいずれかの故障を判断すれば故障信号を出力するようにした請求項１、２、３、４、５、６、または１０のいずれかに記載の蓄電装置。
【請求項２６】
前記制御部は使用終了後に故障判断を行い、故障判断結果を前記制御部に内蔵したメモリに記憶しておくようにした請求項１、２、３、４、５、６、または１０のいずれかに記載の蓄電装置。
【請求項２７】
前記制御部は、始動後に外部制御回路へ前記故障判断結果を送信する請求項２６に記載の蓄電装置。
【請求項２８】
前記故障判断の後に前記蓄電部の電力を放電するようにした請求項２６に記載の蓄電装置。
【請求項２９】
前記制御部は使用終了後に故障判断を行い、その結果を外部制御回路に送信するようにした請求項１、２、３、４、５、６、または１０のいずれかに記載の蓄電装置。
【請求項３０】
前記故障判断を前記外部制御回路に送信する際に、前記蓄電部の電力で前記外部制御回路を駆動するようにした請求項２９に記載の蓄電装置。
【発明の詳細な説明】
【技術分野】
【０００１】
本発明は、主電源の電圧低下時に蓄電部から電力を供給する補助電源用の蓄電装置に関するものである。
【背景技術】
【０００２】
近年、環境への配慮や燃費向上のために停車時にエンジン駆動を停止するアイドリングストップ機能を搭載した自動車（以下、車両という）が市販されている。このような車両は使用中に断続的に大電流を消費するスタータを駆動する際に、一時的にバッテリの電圧が下がる。その結果、オーディオやカーナビゲーション等の負荷への供給電圧も下がり、動作が不安定になる可能性があった。
【０００３】
また、車両の制動についても、従来の機械的な油圧制御から電気的な油圧制御への各種車両制動システムの提案がなされてきているが、バッテリが異常になった時、車両制動回路等の負荷が動作しなくなる可能性があった。
【０００４】
これらに対し、一時的なバッテリの電圧低下時にも負荷に十分な電力を供給したり、バッテリ異常時に車両制動システムに電力を供給するための補助電源としての蓄電装置が、例えば特許文献１に提案されている。
【０００５】
この蓄電装置の概略回路図を図１９に示す。図１９において、点線で囲まれた部分が特許文献１に示された回路図に相当する。
【０００６】
まず、点線で囲まれた回路部分について説明する。主電源に相当するバッテリ１０１にはイグニションスイッチとしての第１スイッチ手段１０３が接続されている。車両起動時に第１スイッチ手段１０３をオンにすると、それと直列に接続された第１ダイオード１０５を介して車両全体に電圧ＶＣＣの電力が供給される。
【０００７】
一方、車両の使用に関わらず常時駆動が必要な時計や半導体メモリ等の負荷に対しては、バッテリ１０１の出力を分岐して、第２ダイオード１０７、および抵抗１０９を介して電圧ＶＤＤが常に供給されている。また、バッテリ１０１を交換等のため外してもＶＤＤ出力が維持されるように補助電源としてコンデンサ１１１が接続されている。これにより、コンデンサ１１１が電力を供給するので、時計や半導体メモリ等を駆動し続けられる。
【０００８】
次に、このような構成の回路をアイドリングストップ車や車両制動システム等の補助電源として応用した場合について説明する。概略回路図は図１９の全体のようになる。すなわち、ＶＣＣはそのまま負荷１１３に接続されるとともに、コンデンサ１１１の出力を含むＶＤＤは、斜点線で示したように第１スイッチ手段１０３と連動した第２スイッチ手段１１５、および第３ダイオード１１７を介して負荷１１３に接続される。従って、負荷１１３には２系統の電源が接続されたことに相当する。
【０００９】
次に、補助電源としての動作を説明する。なお、第１スイッチ手段１０３と第２スイッチ手段１１５は図１９に示す通り２個を連動して使用する構成として説明する。また、コンデンサ１１１には常にバッテリ１０１が接続されているので、満充電の状態にある。
【００１０】
この状態で第１スイッチ手段１０３と第２スイッチ手段１１５をオンにすると、バッテリ１０１のＶＣＣが正常であればＶＣＣが負荷１１３に供給される。なぜなら、ＶＤＤ側には第２ダイオード１０７と第３ダイオード１１７が２個直列に接続されているので、ＶＣＣ側に比べて電圧降下が大きくなる。その結果、ＶＤＤは出力されずＶＣＣが優先的に負荷１１３に供給されることになる。
【００１１】
ここで、スタータ駆動やバッテリ１０１の異常等によりバッテリ１０１の電圧ＶＣＣがＶＤＤより下がったとすると、第１ダイオード１０５と第３ダイオード１１７の両端電圧がそれぞれ逆転するため、第１ダイオード１０５はオフに、第３ダイオード１１７はオンになる。その結果、コンデンサ１１１の電圧ＶＤＤが負荷１１３に供給される。
【００１２】
このような動作により、バッテリ１０１の電圧が下がっても、第１ダイオード１０５と第３ダイオード１１７により自動的にコンデンサ１１１の電圧ＶＤＤが負荷１１３に供給されるので、その駆動が停止することはなくなる。
【特許文献１】実用新案登録第２５６５０１８号公報
【発明の開示】
【発明が解決しようとする課題】
【００１３】
以上のような蓄電装置によって、確かにバッテリ１０１の電圧低下時にも負荷１１３を駆動し続けられるのであるが、特に車両に適用する場合にはバッテリ１０１の電圧低下時に確実に第１ダイオード１０５と第３ダイオード１１７が切り替わる必要がある。しかし、従来の構成ではこのような切替回路部分の故障を判断することができないため、十分な信頼性が得られないという課題があった。
【００１４】
本発明は、前記従来の課題を解決するもので、切替回路部分の故障判断を行うことができる高信頼性の蓄電装置を提供することを目的とする。
【課題を解決するための手段】
【００１５】
前記従来の課題を解決するために、本発明の蓄電装置は、主電源と負荷との間に接続された蓄電装置であって、前記蓄電装置は、前記主電源と前記負荷の間に接続された第１スイッチと、前記主電源に接続された充電回路と、前記充電回路に接続された蓄電部と、前記蓄電部と前記負荷の間に接続された第２スイッチと、前記主電源の電圧（Ｖｂ）、および前記負荷の電圧（Ｖａ）を検出する電圧検出回路と、前記第１スイッチ、第２スイッチ、充電回路、および電圧検出回路が接続された制御部とを備え、前記制御部は前記第１スイッチをオンにし、前記第２スイッチをオフにした状態で前記電圧検出回路により検出した前記負荷の電圧（Ｖａ）が第１既定値以下であれば前記第１スイッチが開放故障していると判断し、前記第１スイッチ、および前記第２スイッチをオフにした状態で前記電圧検出回路により検出した前記負荷の電圧（Ｖａ）が第２既定値以上であれば前記第１スイッチ、または前記第２スイッチが短絡故障していると判断し、前記充電回路が前記蓄電部を充電中、または充電後に前記第１スイッチをオフにし、前記第２スイッチをオンにした状態で前記電圧検出回路により検出した前記負荷の電圧（Ｖａ）が第３既定値以下であれば前記第２スイッチが開放故障していると判断するようにしたものである。
【００１６】
また、本発明の蓄電装置は、主電源と負荷との間に接続された蓄電装置であって、前記蓄電装置は、前記主電源と前記負荷の間に直列接続された主電源側バイパスＦＥＴ、および負荷側バイパスＦＥＴと、前記主電源に接続された充電回路と、前記充電回路に接続された蓄電部と、前記蓄電部と前記負荷の間に直列接続された蓄電部側ＦＥＴ、および負荷側ＦＥＴと、前記主電源の電圧（Ｖｂ）、前記負荷の電圧（Ｖａ）、前記主電源側バイパスＦＥＴと前記負荷側バイパスＦＥＴの接続点の電圧（Ｖｃ）、および前記蓄電部側ＦＥＴと前記負荷側ＦＥＴの接続点の電圧（Ｖｄ）を検出する電圧検出回路と、前記主電源側バイパスＦＥＴ、負荷側バイパスＦＥＴ、蓄電部側ＦＥＴ、負荷側ＦＥＴ、充電回路、および電圧検出回路が接続された制御部とを備え、前記制御部は前記主電源側バイパスＦＥＴをオンにし、前記蓄電部側ＦＥＴと前記負荷側ＦＥＴをオフにした状態で前記電圧検出回路により検出した前記負荷の電圧（Ｖａ）が第１既定値以下であれば前記主電源側バイパスＦＥＴ、または前記負荷側バイパスＦＥＴが開放故障していると判断し、前記主電源側バイパスＦＥＴをオフにし、前記蓄電部側ＦＥＴ、または前記負荷側バイパスＦＥＴをオフにした状態で前記電圧検出回路により検出した前記主電源側バイパスＦＥＴと前記負荷側バイパスＦＥＴの接続点の電圧（Ｖｃ）が第２既定値以上であれば前記主電源側バイパスＦＥＴが短絡故障していると判断し、前記充電回路が前記蓄電部を充電中、または充電後に前記主電源側バイパスＦＥＴをオンにし、前記蓄電部側ＦＥＴ、および前記負荷側ＦＥＴをオフにした状態で前記電圧検出回路により検出した前記蓄電部側ＦＥＴと前記負荷側ＦＥＴの接続点の電圧（Ｖｄ）が第３既定値以上であれば前記蓄電部側ＦＥＴ、または前記負荷側ＦＥＴが短絡故障していると判断し、前記充電回路が前記蓄電部を充電中、または充電後に前記主電源側バイパスＦＥＴ、または前記負荷側ＦＥＴをオフにし、前記蓄電部側ＦＥＴをオンにした状態で前記電圧検出回路により検出した前記蓄電部側ＦＥＴと前記負荷側ＦＥＴの接続点の電圧（Ｖｄ）が第４既定値以下であれば前記蓄電部側ＦＥＴが開放故障していると判断し、前記充電回路が前記蓄電部を充電中、または充電後に前記主電源側バイパスＦＥＴ、および前記負荷側バイパスＦＥＴをオフにし、前記蓄電部側ＦＥＴをオンにした状態で前記電圧検出回路により検出した前記主電源側バイパスＦＥＴと前記負荷側バイパスＦＥＴの接続点の電圧（Ｖｃ）が第５既定値以上であれば前記負荷側バイパスＦＥＴが短絡故障していると判断するとともに、前記負荷の電圧（Ｖａ）が第６既定値以下であれば前記負荷側ＦＥＴが開放故障していると判断するようにしたものである。
【００１７】
また、本発明の蓄電装置は、主電源と負荷との間に接続された蓄電装置であって、前記蓄電装置は、前記主電源と前記負荷の間に前記主電源側から順に直列接続された主電源側バイパスＦＥＴ、および前記主電源側バイパスＦＥＴにアノードを前記負荷にカソードを接続した負荷側バイパスダイオードと、前記主電源に接続された充電回路と、前記充電回路に接続された蓄電部と、前記蓄電部と前記負荷の間に直列接続された蓄電部側ＦＥＴ、および負荷側ＦＥＴと、前記主電源の電圧（Ｖｂ）、前記負荷の電圧（Ｖａ）、前記主電源側バイパスＦＥＴと前記負荷側バイパスダイオードの接続点の電圧（Ｖｃ）、および前記蓄電部側ＦＥＴと前記負荷側ＦＥＴの接続点の電圧（Ｖｄ）を検出する電圧検出回路と、前記主電源側バイパスＦＥＴ、蓄電部側ＦＥＴ、負荷側ＦＥＴ、充電回路、および電圧検出回路が接続された制御部とを備え、前記制御部は前記主電源側バイパスＦＥＴをオンにし、前記蓄電部側ＦＥＴと前記負荷側ＦＥＴをオフにした状態で前記電圧検出回路により検出した前記負荷の電圧（Ｖａ）が第１既定値以下であれば前記主電源側バイパスＦＥＴ、または前記負荷側バイパスダイオードが開放故障していると判断し、前記主電源側バイパスＦＥＴをオフにした状態で前記電圧検出回路により検出した前記主電源側バイパスＦＥＴと前記負荷側バイパスダイオードの接続点の電圧（Ｖｃ）が第２既定値以上であれば前記主電源側バイパスＦＥＴが短絡故障していると判断し、前記充電回路が前記蓄電部を充電中、または充電後に前記主電源側バイパスＦＥＴをオンにし、前記蓄電部側ＦＥＴ、および前記負荷側ＦＥＴをオフにした状態で前記電圧検出回路により検出した前記蓄電部側ＦＥＴと前記負荷側ＦＥＴの接続点の電圧（Ｖｄ）が第３既定値以上であれば前記蓄電部側ＦＥＴ、または前記負荷側ＦＥＴが短絡故障していると判断し、前記充電回路が前記蓄電部を充電中、または充電後に前記主電源側バイパスＦＥＴ、または前記負荷側ＦＥＴをオフにし、前記蓄電部側ＦＥＴをオンにした状態で前記電圧検出回路により検出した前記蓄電部側ＦＥＴと前記負荷側ＦＥＴの接続点の電圧（Ｖｄ）が第４既定値以下であれば前記蓄電部側ＦＥＴが開放故障していると判断し、前記充電回路が前記蓄電部を充電中、または充電後に前記主電源側バイパスＦＥＴをオフにし、前記蓄電部側ＦＥＴをオンにした状態で前記電圧検出回路により検出した前記主電源側バイパスＦＥＴと前記負荷側バイパスダイオードの接続点の電圧（Ｖｃ）が第５既定値以上であれば前記負荷側バイパスダイオードが短絡故障していると判断するとともに、前記負荷の電圧（Ｖａ）が第６既定値以下であれば前記負荷側ＦＥＴが開放故障していると判断するようにしたものである。
【００１８】
また、本発明の蓄電装置は、主電源と負荷との間に接続された蓄電装置であって、前記蓄電装置は、前記主電源と前記負荷の間に直列接続された主電源側バイパスＦＥＴ、および負荷側バイパスＦＥＴと、前記主電源に接続された充電回路と、前記充電回路に接続された蓄電部と、前記蓄電部と前記負荷の間に前記蓄電部側から順に直列接続された蓄電部側ＦＥＴ、および前記蓄電部側ＦＥＴにアノードを前記負荷にカソードを接続した負荷側ダイオードと、前記主電源の電圧（Ｖｂ）、前記負荷の電圧（Ｖａ）、前記主電源側バイパスＦＥＴと前記負荷側バイパスＦＥＴの接続点の電圧（Ｖｃ）、および前記蓄電部側ＦＥＴと前記負荷側ダイオードの接続点の電圧（Ｖｄ）を検出する電圧検出回路と、前記主電源側バイパスＦＥＴ、負荷側バイパスＦＥＴ、蓄電部側ＦＥＴ、充電回路、および電圧検出回路が接続された制御部とを備え、前記制御部は前記主電源側バイパスＦＥＴをオンにし、前記蓄電部側ＦＥＴをオフにした状態で前記電圧検出回路により検出した前記負荷の電圧（Ｖａ）が第１既定値以下であれば前記主電源側バイパスＦＥＴ、または前記負荷側バイパスＦＥＴが開放故障していると判断し、前記主電源側バイパスＦＥＴをオフにし、前記蓄電部側ＦＥＴ、または前記負荷側バイパスＦＥＴをオフにした状態で前記電圧検出回路により検出した前記主電源側バイパスＦＥＴと前記負荷側バイパスＦＥＴの接続点の電圧（Ｖｃ）が第２既定値以上であれば前記主電源側バイパスＦＥＴが短絡故障していると判断し、前記充電回路が前記蓄電部を充電中、または充電後に前記主電源側バイパスＦＥＴをオンにし、前記蓄電部側ＦＥＴをオフにした状態で前記電圧検出回路により検出した前記蓄電部側ＦＥＴと前記負荷側ダイオードの接続点の電圧（Ｖｄ）が第３既定値以上であれば前記蓄電部側ＦＥＴ、または前記負荷側ダイオードが短絡故障していると判断し、前記充電回路が前記蓄電部を充電中、または充電後に前記蓄電部側ＦＥＴをオンにした状態で前記電圧検出回路により検出した前記蓄電部側ＦＥＴと前記負荷側ダイオードの接続点の電圧（Ｖｄ）が第４既定値以下であれば前記蓄電部側ＦＥＴが開放故障していると判断し、前記充電回路が前記蓄電部を充電中、または充電後に前記主電源側バイパスＦＥＴ、および前記負荷側バイパスＦＥＴをオフにし、前記蓄電部側ＦＥＴをオンにした状態で前記電圧検出回路により検出した前記主電源側バイパスＦＥＴと前記負荷側バイパスＦＥＴの接続点の電圧（Ｖｃ）が第５既定値以上であれば前記負荷側バイパスＦＥＴが短絡故障していると判断するとともに、前記負荷の電圧（Ｖａ）が第６既定値以下であれば前記負荷側ダイオードが開放故障していると判断するようにしたものである。
【００１９】
また、本発明の蓄電装置は、主電源と負荷との間に接続された蓄電装置であって、前記蓄電装置は、前記主電源と前記負荷の間に前記主電源側から順に直列接続された主電源側バイパスＦＥＴ、および前記主電源側バイパスＦＥＴにアノードを前記負荷にカソードを接続した負荷側バイパスダイオードと、前記主電源に接続された充電回路と、前記充電回路に接続された蓄電部と、前記蓄電部と前記負荷の間に前記蓄電部側から順に直列接続された蓄電部側ＦＥＴ、および前記蓄電部側ＦＥＴにアノードを前記負荷にカソードを接続した負荷側ダイオードと、前記主電源の電圧（Ｖｂ）、前記負荷の電圧（Ｖａ）、前記主電源側バイパスＦＥＴと前記負荷側バイパスダイオードの接続点の電圧（Ｖｃ）、および前記蓄電部側ＦＥＴと前記負荷側ダイオードの接続点の電圧（Ｖｄ）を検出する電圧検出回路と、前記主電源側バイパスＦＥＴ、蓄電部側ＦＥＴ、充電回路、および電圧検出回路が接続された制御部とを備え、前記制御部は前記主電源側バイパスＦＥＴをオンにし、前記蓄電部側ＦＥＴをオフにした状態で前記電圧検出回路により検出した前記負荷の電圧（Ｖａ）が第１既定値以下であれば前記主電源側バイパスＦＥＴ、または前記負荷側バイパスダイオードが開放故障していると判断し、前記主電源側バイパスＦＥＴをオフにした状態で前記電圧検出回路により検出した前記主電源側バイパスＦＥＴと前記負荷側バイパスダイオードの接続点の電圧（Ｖｃ）が第２既定値以上であれば前記主電源側バイパスＦＥＴが短絡故障していると判断し、前記充電回路が前記蓄電部を充電中、または充電後に前記主電源側バイパスＦＥＴをオンにし、前記蓄電部側ＦＥＴをオフにした状態で前記電圧検出回路により検出した前記蓄電部側ＦＥＴと前記負荷側ダイオードの接続点の電圧（Ｖｄ）が第３既定値以上であれば前記蓄電部側ＦＥＴ、または前記負荷側ダイオードが短絡故障していると判断し、前記充電回路が前記蓄電部を充電中、または充電後に前記主電源側バイパスＦＥＴをオフにし、前記蓄電部側ＦＥＴをオンにした状態で前記電圧検出回路により検出した前記蓄電部側ＦＥＴと前記負荷側ダイオードの接続点の電圧（Ｖｄ）が第４既定値以下であれば前記蓄電部側ＦＥＴが開放故障していると判断し、前記充電回路が前記蓄電部を充電中、または充電後に前記主電源側バイパスＦＥＴをオフにし、前記蓄電部側ＦＥＴをオンにした状態で前記電圧検出回路により検出した前記主電源側バイパスＦＥＴと前記負荷側バイパスダイオードの接続点の電圧（Ｖｃ）が第５既定値以上であれば前記負荷側バイパスダイオードが短絡故障していると判断するとともに、前記負荷の電圧（Ｖａ）が第６既定値以下であれば前記負荷側ダイオードが開放故障していると判断するようにしたものである。
【００２０】
また、本発明の蓄電装置は、主電源と負荷との間に接続された蓄電装置であって、前記蓄電装置は、前記主電源と前記負荷の間に接続された負荷側バイパスＦＥＴと、前記主電源に接続された充電回路と、前記充電回路に接続された蓄電部と、前記蓄電部と前記負荷の間に直列接続された蓄電部側ＦＥＴ、および負荷側ＦＥＴと、前記主電源の電圧（Ｖｂ）、前記負荷の電圧（Ｖａ）、および前記蓄電部側ＦＥＴと前記負荷側ＦＥＴの接続点の電圧（Ｖｄ）を検出する電圧検出回路と、前記負荷側バイパスＦＥＴ、蓄電部側ＦＥＴ、負荷側ＦＥＴ、充電回路、および電圧検出回路が接続された制御部とを備え、前記制御部は前記蓄電部側ＦＥＴと前記負荷側ＦＥＴをオフにした状態で前記電圧検出回路により検出した前記負荷の電圧（Ｖａ）が第１既定値以下であれば前記負荷側バイパスＦＥＴが開放故障していると判断し、前記負荷側バイパスＦＥＴ、前記蓄電部側ＦＥＴ、および前記負荷側ＦＥＴをオフにした状態で前記電圧検出回路により検出した前記負荷の電圧（Ｖａ）、および前記主電源の電圧（Ｖｂ）の差が第２既定値以下であれば前記負荷側バイパスＦＥＴが短絡故障していると判断し、前記充電回路が前記蓄電部を充電中、または充電後に前記蓄電部側ＦＥＴ、および前記負荷側ＦＥＴをオフにした状態で前記電圧検出回路により検出した前記蓄電部側ＦＥＴと前記負荷側ＦＥＴの接続点の電圧（Ｖｄ）が第３既定値以上であれば前記蓄電部側ＦＥＴ、または前記負荷側ＦＥＴが短絡故障していると判断し、前記充電回路が前記蓄電部を充電中、または充電後に前記負荷側ＦＥＴをオフにし、前記蓄電部側ＦＥＴをオンにした状態で前記電圧検出回路により検出した前記蓄電部側ＦＥＴと前記負荷側ＦＥＴの接続点の電圧（Ｖｄ）が第４既定値以下であれば前記蓄電部側ＦＥＴが開放故障していると判断し、前記負荷の電圧（Ｖａ）と前記蓄電部の電圧（Ｖｔ）の差が第５既定値以下の時、または前記蓄電部の電圧（Ｖｔ）が前記負荷の電圧（Ｖａ）よりも大きい時で、かつ前記充電回路が前記蓄電部を充電中、または充電後に前記負荷側ＦＥＴをオンにした状態で前記電圧検出回路により検出した前記負荷の電圧（Ｖａ）、および前記蓄電部側ＦＥＴと前記負荷側ＦＥＴの接続点の電圧（Ｖｄ）の差が第６既定値以上であれば前記負荷側ＦＥＴが開放故障していると判断するようにしたものである。
【００２１】
また、本発明の蓄電装置は、主電源と負荷との間に接続された蓄電装置であって、前記蓄電装置は、前記主電源と前記負荷の間に直列接続された主電源側バイパスＦＥＴ、および負荷側バイパスＦＥＴと、前記主電源に接続された充電回路と、前記充電回路に接続された蓄電部と、前記蓄電部と前記負荷の間に直列接続された蓄電部側ＦＥＴ、および負荷側ＦＥＴと、前記主電源の電圧（Ｖｂ）、前記負荷の電圧（Ｖａ）、前記主電源側バイパスＦＥＴと前記負荷側バイパスＦＥＴの接続点の電圧（Ｖｃ）、および前記蓄電部側ＦＥＴと前記負荷側ＦＥＴの接続点の電圧（Ｖｄ）を検出する電圧検出回路と、前記主電源側バイパスＦＥＴ、負荷側バイパスＦＥＴ、蓄電部側ＦＥＴ、負荷側ＦＥＴ、充電回路、および電圧検出回路が接続された制御部とを備え、前記制御部は、前記主電源側バイパスＦＥＴの開放故障を判断する際に、前記主電源側バイパスＦＥＴをオンにし、前記蓄電部側ＦＥＴと前記負荷側ＦＥＴをオフにした状態で、前記電圧検出回路により検出した前記負荷の電圧（Ｖａ）が第１既定値以下、または前記主電源側バイパスＦＥＴと前記負荷側バイパスＦＥＴの接続点の電圧（Ｖｃ）が第２既定値以下であれば開放故障していると判断し、前記負荷側バイパスＦＥＴの開放故障を判断する際に、前記主電源側バイパスＦＥＴをオンにし、前記蓄電部側ＦＥＴと前記負荷側ＦＥＴをオフにした状態で、前記負荷の電圧（Ｖａ）が第３既定値以下であるか、あるいは前記充電回路が前記蓄電部を充電中、または充電後に、前記主電源側バイパスＦＥＴをオフにし、前記負荷側バイパスＦＥＴと前記蓄電部側ＦＥＴをオンにした状態で、前記主電源側バイパスＦＥＴと前記負荷側バイパスＦＥＴの接続点の電圧（Ｖｃ）が第４既定値以下であれば開放故障していると判断し、前記蓄電部側ＦＥＴの開放故障を判断する際に、前記充電回路が前記蓄電部を充電中、または充電後に、前記主電源側バイパスＦＥＴをオフにし、前記蓄電部側ＦＥＴをオンにした状態とするか、あるいは前記充電回路が前記蓄電部を充電中、または充電後に、前記蓄電部側ＦＥＴをオンにし、前記負荷側ＦＥＴをオフにした状態で、前記蓄電部側ＦＥＴと前記負荷側ＦＥＴの接続点の電圧（Ｖｄ）が第５既定値以下であれば開放故障していると判断し、前記負荷側ＦＥＴの開放故障を判断する際に、前記充電回路が前記蓄電部を充電中、または充電後に、前記主電源側バイパスＦＥＴと前記負荷側バイパスＦＥＴをオフにし、前記蓄電部側ＦＥＴと前記負荷側ＦＥＴをオンにした状態で、前記負荷の電圧（Ｖａ）が第６既定値以下であるか、あるいは前記充電回路が前記蓄電部を充電中、または充電後に、前記主電源側バイパスＦＥＴと前記負荷側ＦＥＴをオンにし、前記蓄電部側ＦＥＴをオフにした状態で、前記蓄電部側ＦＥＴと前記負荷側ＦＥＴの接続点の電圧（Ｖｄ）が第７既定値以下であれば開放故障していると判断し、前記主電源側バイパスＦＥＴの短絡故障を判断する際に、前記主電源側バイパスＦＥＴと前記負荷側バイパスＦＥＴをオフにした状態とするか、あるいは前記主電源側バイパスＦＥＴと前記蓄電部側ＦＥＴをオフにした状態で、前記主電源側バイパスＦＥＴと前記負荷側バイパスＦＥＴの接続点の電圧（Ｖｃ）が第８既定値以上であれば短絡故障していると判断し、前記負荷側バイパスＦＥＴの短絡故障を判断する際に、前記充電回路が前記蓄電部を充電中、または充電後に、前記主電源側バイパスＦＥＴと前記負荷側バイパスＦＥＴをオフにし、前記蓄電部側ＦＥＴをオンにした状態で、前記主電源側バイパスＦＥＴと前記負荷側バイパスＦＥＴの接続点の電圧（Ｖｃ）が第９既定値以上であれば短絡故障していると判断し、前記蓄電部側ＦＥＴの短絡故障を判断する際に、前記充電回路が前記蓄電部を充電中、または充電後に、前記蓄電部側ＦＥＴと前記負荷側ＦＥＴをオフにした状態とするか、あるいは前記充電回路が前記蓄電部を充電中、または充電後に、前記主電源側バイパスＦＥＴと前記蓄電部側ＦＥＴをオフにした状態で、前記蓄電部側ＦＥＴと前記負荷側ＦＥＴの接続点の電圧（Ｖｄ）が第１０既定値以上であれば短絡故障していると判断し、前記負荷側ＦＥＴの短絡故障を判断する際に、前記主電源側バイパスＦＥＴをオンにし、前記蓄電部側ＦＥＴと前記負荷側ＦＥＴをオフにした状態で、前記蓄電部側ＦＥＴと前記負荷側ＦＥＴの接続点の電圧（Ｖｄ）が第１１既定値以上であれば短絡故障していると判断するようにしたものである。
【発明の効果】
【００２２】
本発明の蓄電装置によれば、切替回路部分である第１スイッチと第２スイッチをオンオフ制御した時の負荷の電圧（Ｖａ）から、第１スイッチと第２スイッチの短絡、および開放故障を判断できるので、高信頼な蓄電装置を実現できるという効果が得られる。
【００２３】
また、本発明の蓄電装置によれば、切替回路部分である主電源側バイパスＦＥＴ、負荷側バイパスＦＥＴ、および蓄電部側ＦＥＴをオンオフ制御した時の負荷の電圧（Ｖａ）、主電源側バイパスＦＥＴと負荷側バイパスＦＥＴの接続点の電圧（Ｖｃ）、蓄電部側ＦＥＴと負荷側ＦＥＴの接続点の電圧（Ｖｄ）から、前記４つのＦＥＴの短絡、および開放故障を判断できるので、高信頼な蓄電装置を実現できるという効果が得られる。
【００２４】
また、本発明の蓄電装置によれば、切替回路部分である主電源側バイパスＦＥＴ、および蓄電部側ＦＥＴをオンオフ制御した時の負荷の電圧（Ｖａ）、主電源側バイパスＦＥＴと負荷側バイパスダイオードの接続点の電圧（Ｖｃ）、蓄電部側ＦＥＴと負荷側ＦＥＴの接続点の電圧（Ｖｄ）から、前記３つのＦＥＴと負荷側バイパスダイオードの短絡、および開放故障を判断できるので、高信頼な蓄電装置を実現できるという効果が得られる。
【００２５】
また、本発明の蓄電装置によれば、切替回路部分である主電源側バイパスＦＥＴ、負荷側バイパスＦＥＴ、および蓄電部側ＦＥＴをオンオフ制御した時の負荷の電圧（Ｖａ）、主電源側バイパスＦＥＴと負荷側バイパスＦＥＴの接続点の電圧（Ｖｃ）、蓄電部側ＦＥＴと負荷側ダイオードの接続点の電圧（Ｖｄ）から、前記３つのＦＥＴと負荷側ダイオードの短絡、および開放故障を判断できるので、高信頼な蓄電装置を実現できるという効果が得られる。
【００２６】
また、本発明の蓄電装置によれば、切替回路部分である主電源側バイパスＦＥＴ、および蓄電部側ＦＥＴをオンオフ制御した時の負荷の電圧（Ｖａ）、主電源側バイパスＦＥＴと負荷側バイパスダイオードの接続点の電圧（Ｖｃ）、蓄電部側ＦＥＴと負荷側ダイオードの接続点の電圧（Ｖｄ）から、前記２つのＦＥＴと前記２つのダイオードの短絡、および開放故障を判断できるので、高信頼な蓄電装置を実現できるという効果が得られる。
【００２７】
また、本発明の蓄電装置によれば、切替回路部分である負荷側バイパスＦＥＴ、蓄電部側ＦＥＴ、および負荷側ＦＥＴをオンオフ制御した時の負荷の電圧（Ｖａ）、主電源の電圧（Ｖｂ）、蓄電部側ＦＥＴと負荷側ＦＥＴの接続点の電圧（Ｖｄ）から、前記３つのＦＥＴの短絡、および開放故障を判断できるので、高信頼な蓄電装置を実現できるという効果が得られる。
【００２８】
また、本発明の蓄電装置によれば、切替回路部分である主電源側バイパスＦＥＴ、負荷側バイパスＦＥＴ、蓄電部側ＦＥＴ、および負荷側ＦＥＴを限定された条件内で任意にオンオフ制御することにより、負荷に供給する電圧変動を低減した状態で、負荷の電圧（Ｖａ）、主電源側バイパスＦＥＴと負荷側バイパスＦＥＴの接続点の電圧（Ｖｃ）、蓄電部側ＦＥＴと負荷側ＦＥＴの接続点の電圧（Ｖｄ）から、前記４つのＦＥＴの短絡、および開放故障を判断できるので、さらに高信頼な蓄電装置を実現できるという効果が得られる。
【発明を実施するための最良の形態】
【００２９】
以下、本発明を実施するための最良の形態について図面を参照しながら説明する。なお、以下の説明においては、蓄電装置をアイドリングストップ車に適用した場合について述べる。また、説明中で特にオンオフ状態が記載されていないスイッチやＦＥＴは、どちらの状態でもよいことを示す。
【００３０】
（実施の形態１）
図１は、本発明の実施の形態１における蓄電装置のブロック回路図である。図２は、本発明の実施の形態１における蓄電装置の故障判断時のタイミングチャートと電圧経時特性図である。なお、図１において、太線は電力系配線を、細線は信号系配線をそれぞれ示す。また、図２の電圧経時特性図においてカッコつきの記号はその時点での電圧値を示す。
【００３１】
図１において、蓄電装置１１は主電源１３と負荷１５との間に接続されている。主電源１３はバッテリであり、負荷１５はオーディオやナビゲーション等である。
【００３２】
蓄電装置１１は次の構成を有する。まず、主電源１３と負荷１５の間には第１スイッチ１７が接続されている。従って、第１スイッチ１７をオンにすると、蓄電回路系をバイパスして直接主電源１３から負荷１５に電力を供給できる。なお、第１スイッチ１７にはできるだけ内部抵抗値が小さく、かつ外部からオンオフ制御が可能な、例えばリレーが用いられている。
【００３３】
また、主電源１３には充電回路１９が接続され、さらに充電回路１９には蓄電部２１が接続されている。従って、蓄電部２１は充電回路１９によって所定の電圧まで充電される。なお、充電回路１９は充電を制御する際に蓄電部２１の電圧Ｖｔを検出しているが、この電圧Ｖｔを出力する機能を有している。また、蓄電部２１は急速充放電特性に優れる電気二重層キャパシタを用いた。
【００３４】
蓄電部２１と負荷１５の間には第２スイッチ２３が接続されている。従って、第２スイッチ２３をオンにすると、蓄電部２１の電力が負荷１５に供給される。なお、第２スイッチ２３は第１スイッチ１７と同様にリレーを用いた。また、第２スイッチ２３の出力側には外部電源供給スイッチ２５が接続されている。外部電源供給スイッチ２５の出力は車両側の外部制御回路（図示せず）の電源端子Ｖｃｃに接続されている。従って、例えば車両の使用を終了した後に外部制御回路を駆動する際に、外部電源供給スイッチ２５をオンにすることにより蓄電部２１から電力を供給することができる。なお、外部電源供給スイッチ２５は外部からオンオフ制御が可能なリレーやＦＥＴ等で構成される。
【００３５】
主電源１３には、その電圧Ｖｂを検出するための電圧検出回路２７が接続されている。また、電圧検出回路２７は負荷１５にも接続されているので、その電圧Ｖａも検出することができる。なお、電圧検出回路２７は主電源１３の電圧Ｖｂと負荷１５の電圧Ｖａを切り替えて検出する構成とした。
【００３６】
第１スイッチ１７、第２スイッチ２３、外部電源供給スイッチ２５、充電回路１９、および電圧検出回路２７には制御部２９が接続されている。制御部２９はマイクロコンピュータとその周辺回路から構成され、第１スイッチ１７、第２スイッチ２３、および外部電源供給スイッチ２５のオンオフ制御を、それぞれオンオフ信号Ｓｏｆ１、Ｓｏｆ２、Ｇｏｆにより行っている。また、制御部２９は充電回路１９に充電制御信号Ｃｃｏｎｔを送信することで充電制御を行うとともに、電圧信号Ｖｔにより蓄電部２１の電圧Ｖｔを取り込んでいる。さらに、電圧検出回路２７に電圧切替信号Ｖｃｏｎｔを送信することで検出したい電圧を選択し、電圧信号Ｖｉｎにより選択した電圧を取り込んでいる。また、制御部２９は外部制御回路とデータ信号ｄａｔａにより各種制御信号やデータ信号を送受信している。
【００３７】
次に、このような蓄電装置の動作について説明する。
【００３８】
基本的な制御部２９の動作の流れは、まず車両始動後に第１スイッチ１７をオンにして負荷１５に主電源１３の電力を供給するとともに、充電回路１９により主電源１３の電力を蓄電部２１に充電する。その後、電圧検出回路２７により主電源１３の電圧Ｖｂを検出し、スタータ（図示せず）駆動により主電源１３の電圧が負荷１５を駆動するための最低電圧（例えば１０．５Ｖ）を下回れば、第１スイッチ１７をオフにすると同時に蓄電部２１の電力を負荷１５に供給するために第２スイッチ２３をオンにする。この時、第１スイッチ１７はオフなので、蓄電部２１の電力が主電源１３に逆流することはない。
【００３９】
その後、スタータ駆動が完了し、主電源１３の電圧Ｖｂが回復すれば、第２スイッチ２３をオフにすると同時に第１スイッチ１７をオンにして、再び主電源１３から負荷１５に電力を直接供給する。この時、次の電圧Ｖｂの低下に備えて再び蓄電部２１を充電する。
【００４０】
このような動作を繰り返すことで、アイドリングストップ後の主電源１３の電圧Ｖｂの低下時にも負荷１５に電力を供給し続けられるので、負荷１５を継続して駆動できる。
【００４１】
車両の使用が終了すれば、蓄電部２１を構成する電気二重層キャパシタの寿命を延ばすために、蓄電部２１の電力を放電する。
【００４２】
以上の動作が蓄電装置１１の基本動作であるが、切替回路部分である第１スイッチ１７と第２スイッチ２３の高信頼性を得るために、制御部２９は以下のようにしてそれらの故障判断を行っている。なお、故障判断の動作は図２を用いて説明する。
【００４３】
図２において、横軸は時間を、縦軸は上から順に蓄電部２１の電圧Ｖｔ、負荷１５の電圧Ｖａ、および主電源１３の電圧Ｖｂを示す。また、下の２つのグラフは第１スイッチ１７と第２スイッチ２３のタイミングチャートである。
【００４４】
時間ｔ０で車両を始動すると、制御部２９は前記したように第１スイッチ１７をオンに、第２スイッチ２３をオフにする。この状態で電圧検出回路２７により負荷１５の電圧Ｖａを検出する。第１スイッチ１７が正常であれば、電圧Ｖａは主電源１３の電圧Ｖｂと等しくなる。従って、もし負荷１５の電圧Ｖａが第１既定値（本実施の形態１では負荷１５を駆動できる最低電圧Ｖｍｉｎ＝１０．５Ｖとした）以下であれば第１スイッチ１７が開放故障していると判断する。なお、開放故障とはスイッチがオフのままでオンにならない故障と定義する。
【００４５】
ここで、もし第１スイッチ１７が開放故障していれば、制御部２９は直ちに外部制御回路に対し蓄電装置１１が故障していることを故障信号により知らせる。これを受け、外部制御回路は運転者に警告する等により修理を促す。この場合、１ヶ所でも故障していれば蓄電装置１１として動作できないので、以降の故障判断は行わない。なお、以下の説明では何らかの故障が判断された時点で、それ以降の故障判断は行わないこととする。
【００４６】
一方、第１スイッチ１７が開放故障していなければ、次に制御部２９は時間ｔ１で第１スイッチ１７をオフにする。これにより第１スイッチ１７、および第２スイッチ２３がオフになるため、負荷１５の電圧Ｖａは理想的には０Ｖに下がる。しかし、実際にはリーク電流が流れたりノイズの影響等があるため、完全に０Ｖになるわけではなく、僅かに電圧を有する。この電圧値Ｖｎは様々な検討の結果、０．１Ｖを超えることはなかったので、以後０．１Ｖ未満の時は０Ｖであるものとみなす。従って、第１スイッチ１７と第２スイッチ２３がオフの状態で電圧検出回路２７により検出した負荷１５の電圧Ｖａが第２既定値（上記した理由でＶｎ＝０．１Ｖとする）以上の電圧になれば、第１スイッチ１７、または第２スイッチ２３が短絡故障していると判断する。なお、短絡故障とはスイッチがオンのままでオフにならない故障と定義する。
【００４７】
もし、第１スイッチ１７、または第２スイッチ２３が短絡故障していれば、前記したように故障信号を外部制御回路に送信する。短絡故障していなければ、次に時間ｔ２で第１スイッチ１７をオンにする。これにより、負荷１５には再び主電源１３の電力が供給される。従って、時間ｔ１からｔ２の間は故障判断のために負荷１５への電力供給が一時的に停止する。
【００４８】
その後、制御部２９は充電回路１９を制御して蓄電部２１を充電する。充電が終わると、時間ｔ３で第１スイッチ１７をオフにし、第２スイッチ２３をオンにする。これにより、負荷１５へは一時的に蓄電部２１の電力が供給されるので、負荷１５の電圧Ｖａは蓄電部２１の電圧Ｖｔと等しくなる。ここで、例えばエンジンが駆動している時の主電源１３の電圧Ｖｂを約１４Ｖ、蓄電部２１の満充電時の電圧Ｖｔを１２．８Ｖとすると、電圧Ｖｔは電圧Ｖｂより小さくなるので、図２に示すように電圧Ｖａは時間ｔ３で若干低くなる。しかし、負荷１５には十分駆動可能な電圧Ｖｔ（１２．８Ｖ）が供給されているので、負荷１５が停止することはない。
【００４９】
この状態で制御部２９は電圧検出回路２７により検出した負荷１５の電圧Ｖａが第３既定値（ここでも第１既定値と同様に負荷駆動最低電圧Ｖｍｉｎとした）以下であれば、蓄電部２１の電圧が正しく負荷１５に印加されていないことになるので、第２スイッチ２３が開放故障していると判断する。第２スイッチ２３が開放故障した時の動作は他の故障時の動作と同じである。
【００５０】
第２スイッチ２３が開放故障していなければ、制御部２９は時間ｔ４で第１スイッチ１７をオンにし、第２スイッチ２３をオフにする。これにより、負荷１５へは主電源１３の電力が供給される。
【００５１】
このような動作によって、第１スイッチ１７と第２スイッチ２３の故障判断を終了し、以後は前記した基本動作を継続する。なお、故障判断のために必要な時間は極めて短いので、蓄電装置１１の本来の動作を阻害することはない。また、制御部２９はいずれかの故障を判断すれば故障信号を出力するので、高信頼性が得られる。
【００５２】
以上の構成、動作により、切替回路部分である第１スイッチ１７と第２スイッチ２３をオンオフ制御した時の負荷１５の電圧Ｖａから、第１スイッチ１７と第２スイッチ２３の短絡、および開放故障を判断できるので、高信頼な蓄電装置を実現できた。
【００５３】
なお、本実施の形態１では車両の始動後に蓄電装置１１の故障判断を行っているが、これは車両使用後でもよい。この場合、制御部２９は蓄電部２１の電力で故障判断を行い、故障判断結果を制御部２９に内蔵したメモリ（図示せず）に記憶した後、蓄電部２１の電力を放電し、次回の車両始動後に直ちに外部制御回路へ故障判断結果を送信する。これにより車両走行前にすぐに蓄電装置１１の故障がわかるので、より高信頼性が得られる。
【００５４】
また、車両使用後に故障判断を行った結果を直ちに外部制御回路に送信してもよい。この場合、次回の車両始動後にすでに蓄電装置１１の故障判断結果が得られているので、さらなる高信頼性が得られる。但し、車両使用後は外部制御回路の電源が切れるので、外部制御回路が故障判断結果を受信できるように、蓄電部２１の電力で外部制御回路を駆動する必要がある。具体的には、車両使用後に蓄電部２１を放電するために第２スイッチ２３をオンにするが、同時に外部電源供給スイッチ２５をオンにして蓄電部２１の電力を外部制御回路に供給している。これにより、蓄電部２１の電力を有効に使用しながら放電できる。
【００５５】
（実施の形態２）
図３は、本発明の実施の形態２における蓄電装置のブロック回路図である。図４は、本発明の実施の形態２における蓄電装置の故障判断時のタイミングチャートと電圧経時特性図である。なお、図３の太線と細線の意味は図１と同じである。また、図４の電圧経時特性図におけるカッコつきの記号の意味も図２と同じである。
【００５６】
図３における本実施の形態２の構成で、図１の構成と同じものには同じ番号を付して詳細な説明を省略する。すなわち、本実施の形態２の特徴は以下の通りである。
【００５７】
１）第１スイッチ１７に替わって、主電源１３と負荷１５の間に主電源側バイパスＦＥＴ３１、および負荷側バイパスＦＥＴ３３を直列接続した。なお、いずれも寄生ダイオード３５が形成されている。
【００５８】
２）第２スイッチ２３に替わって、蓄電部２１と負荷１５の間に蓄電部側ＦＥＴ３７、および負荷側ＦＥＴ３９を直列接続した。これらにも寄生ダイオード３５が形成されている。このように第１スイッチ１７や第２スイッチ２３を構成するリレーの替わりにＦＥＴを用いたので、可動部分がなくなり高信頼な構成が得られる。
【００５９】
３）制御部２９は主電源側バイパスＦＥＴ３１、負荷側バイパスＦＥＴ３３、蓄電部側ＦＥＴ３７、および負荷側ＦＥＴ３９の４つのＦＥＴを独立してオンオフ制御するためにオンオフ信号Ｆｏｆ１、Ｆｏｆ２、Ｆｏｆ３、およびＦｏｆ４をそれぞれ送信する構成とした。
【００６０】
４）主電源側バイパスＦＥＴ３１と負荷側バイパスＦＥＴ３３の接続点の電圧Ｖｃ、および蓄電部側ＦＥＴ３７と負荷側ＦＥＴ３９の接続点の電圧Ｖｄを電圧検出回路２７で検出する構成とした。これにより、電圧検出回路２７は電圧Ｖａ、Ｖｂ、Ｖｃ、Ｖｄを切り替えて検出することになる。
【００６１】
次に、このような蓄電装置１１の動作について説明する。基本動作については実施の形態１とほぼ同じであり、第１スイッチ１７をオンオフする時は、本実施の形態２では主電源側バイパスＦＥＴ３１と負荷側バイパスＦＥＴ３３を同時にオンオフすればよく、第２スイッチ２３をオンオフする時は、本実施の形態２では蓄電部側ＦＥＴ３７と負荷側ＦＥＴ３９を同時にオンオフすればよい。
【００６２】
次に、切替回路部分である４つのＦＥＴの故障判断動作について図４を参照しながら説明する。図４において、横軸は時間を、縦軸は上から順に蓄電部２１の電圧Ｖｔ、負荷１５の電圧Ｖａ、主電源１３の電圧Ｖｂ、主電源側バイパスＦＥＴ３１と負荷側バイパスＦＥＴ３３の接続点の電圧Ｖｃ、および蓄電部側ＦＥＴ３７と負荷側ＦＥＴ３９の接続点の電圧Ｖｄを示す。また、下の４つのグラフはそれぞれ４つのＦＥＴのタイミングチャートである。
【００６３】
時間ｔ０で、制御部２９は主電源側バイパスＦＥＴ３１と負荷側バイパスＦＥＴ３３をオンに、蓄電部側ＦＥＴ３７と負荷側ＦＥＴ３９をオフにする。これにより、負荷１５に主電源１３の電力が供給される。なお、主電源側バイパスＦＥＴ３１と負荷側バイパスＦＥＴ３３のオンオフ設定を、ノーマリーオンとし、蓄電部側ＦＥＴ３７と負荷側ＦＥＴ３９のオンオフ設定を、ノーマリーオフとすれば、起動時から主電源側バイパスＦＥＴ３１と負荷側バイパスＦＥＴ３３をオンに、蓄電部側ＦＥＴ３７と負荷側ＦＥＴ３９をオフにしておくことができる。
【００６４】
この状態で電圧検出回路２７により負荷１５の電圧Ｖａを検出する。主電源側バイパスＦＥＴ３１と負荷側バイパスＦＥＴ３３が正常であれば、電圧Ｖａは主電源１３の電圧Ｖｂと等しくなる。従って、もし負荷１５の電圧Ｖａが第１既定値（本実施の形態２においても負荷駆動最低電圧Ｖｍｉｎとした）以下であれば主電源側バイパスＦＥＴ３１、または負荷側バイパスＦＥＴ３３が開放故障していると判断する。なお、この故障判断は負荷側バイパスＦＥＴ３３がオフであってもよい。但し、この場合は負荷側バイパスＦＥＴ３３の寄生ダイオード３５により電圧降下ΔＶ（≒０．７Ｖ）が起こるので、電圧ＶａはＶｂ−ΔＶとなる。
【００６５】
主電源側バイパスＦＥＴ３１と負荷側バイパスＦＥＴ３３が開放故障していなければ、制御部２９は時間ｔ１で蓄電部２１を充電する。充電後の時間ｔ２で制御部２９は主電源側バイパスＦＥＴ３１と負荷側バイパスＦＥＴ３３をオフにし、蓄電部側ＦＥＴ３７をオンにする。これにより、負荷１５へは蓄電部２１の電力が供給される。但し、負荷側ＦＥＴ３９はオフなので、電圧Ｖａは蓄電部２１の電圧Ｖｔより寄生ダイオード３５の電圧降下ΔＶだけ低くなるが、負荷１５を駆動し続けることはできる。この状態では主電源側バイパスＦＥＴ３１と負荷側バイパスＦＥＴ３３がオフなので、これらのＦＥＴが正常ならば電圧検出回路２７により検出した主電源側バイパスＦＥＴ３１と負荷側バイパスＦＥＴ３３の接続点の電圧Ｖｃは０Ｖ近傍になる。これがもし第２既定値（実施の形態１で述べたＶｎ＝０．１Ｖ）以上であれば主電源側バイパスＦＥＴ３１が短絡故障していると判断する。なお、この故障判断は負荷側バイパスＦＥＴ３３の替わりに蓄電部側ＦＥＴ３７をオフにしてもよいが、この場合は故障判断中に負荷１５への電力供給が断たれる。また、この故障判断は蓄電部２１の充電後に行っているが、これは故障判断中に蓄電部２１の電力を負荷１５に供給し続けるためである。負荷１５への電力供給が断たれてもよい場合は蓄電部２１の充電前に上記故障判断を行ってもよい。
【００６６】
次に時間ｔ３で制御部２９は主電源側バイパスＦＥＴ３１と負荷側バイパスＦＥＴ３３をオンにし、蓄電部側ＦＥＴ３７と負荷側ＦＥＴ３９をオフにする。これにより、負荷１５へは再び主電源１３の電力が供給される。この時、蓄電部２１は充電された状態なので、蓄電部側ＦＥＴ３７と負荷側ＦＥＴ３９が正常にオフ状態であれば、両者の接続点の電圧Ｖｄは０Ｖ近傍になるが、蓄電部側ＦＥＴ３７が短絡故障をしていれば電圧Ｖｄは蓄電部２１の電圧Ｖｔに、負荷側ＦＥＴ３９が短絡故障をしていれば電圧Ｖｄは負荷１５の電圧Ｖａになる。従って、上記した４つのＦＥＴの状態で電圧検出回路２７により検出した蓄電部側ＦＥＴ３７と負荷側ＦＥＴ３９の接続点の電圧Ｖｄが第３既定値（Ｖｎ）以上であれば蓄電部側ＦＥＴ３７、または負荷側ＦＥＴ３９が短絡故障していると判断する。なお、この故障判断の際に負荷側バイパスＦＥＴ３３はオフでもよい。但し、この場合は負荷１５への電力供給が寄生ダイオード３５を介してなされるため、負荷１５の電圧ＶａはＶｂ−ΔＶとなる。
【００６７】
次に時間ｔ４で制御部２９は蓄電部側ＦＥＴ３７をオンにする。これにより、蓄電部側ＦＥＴ３７が正常であれば蓄電部側ＦＥＴ３７と負荷側ＦＥＴ３９の接続点の電圧Ｖｄは蓄電部２１の電圧Ｖｔまで上昇する。従って、電圧検出回路２７により検出した蓄電部側ＦＥＴ３７と負荷側ＦＥＴ３９の接続点の電圧Ｖｄが第４既定値（ここでもＶｍｉｎとした）以下であれば蓄電部側ＦＥＴ３７が開放故障していると判断する。なお、時間ｔ４からｔ５の故障判断は時間ｔ３からｔ４の故障判断時の４つのＦＥＴの状態から蓄電部側ＦＥＴ３７のみをオンにしているが、時間ｔ４からｔ５の故障判断を行うための条件は主電源側バイパスＦＥＴ３１、または負荷側ＦＥＴ３９をオフにして、蓄電部側ＦＥＴ３７をオンにする必要がある。
【００６８】
次に時間ｔ５で制御部２９は主電源側バイパスＦＥＴ３１と負荷側バイパスＦＥＴ３３をオフにする。この時、時間ｔ４からｔ５で蓄電部側ＦＥＴ３７がオンであるので、負荷１５には蓄電部２１の電力が供給される。但し、負荷側ＦＥＴ３９はオフであるので、寄生ダイオード３５の電圧降下ΔＶが起こるため、負荷１５の電圧ＶａはＶｔ−ΔＶとなる。この状態では、主電源側バイパスＦＥＴ３１と負荷側バイパスＦＥＴ３３が正常にオフになっていれば両者の接続点の電圧Ｖｃは０Ｖ近傍になる。従って、電圧検出回路２７により検出した主電源側バイパスＦＥＴ３１と負荷側バイパスＦＥＴ３３の接続点の電圧Ｖｃが第５既定値（Ｖｎ）以上であれば負荷１５の電圧Ｖａが前記接続点に回り込んでいることになるので、負荷側バイパスＦＥＴ３３が短絡故障していると判断する。なお、この短絡故障は主電源側バイパスＦＥＴ３１と負荷側バイパスＦＥＴ３３をオフにし、蓄電部側ＦＥＴ３７をオンにする必要がある。
【００６９】
制御部２９は上記した負荷側バイパスＦＥＴ３３の短絡故障判断と同時に、負荷側ＦＥＴ３９の開放故障判断も行う。具体的には、負荷側ＦＥＴ３９が正常であれば負荷１５の電圧Ｖａは前記したようにＶｔ−ΔＶとなる。従って、負荷１５の電圧Ｖａが第６既定値（ここでもＶｍｉｎとした）以下であれば負荷側ＦＥＴ３９が開放故障していると判断する。
【００７０】
なお、上記故障判断を行う時の４つのＦＥＴの状態は時間ｔ２からｔ３の場合と全く同じであるので、時間ｔ２からｔ３の故障判断を充電後に行う際は、時間ｔ２からｔ３の故障判断と時間ｔ５からｔ６の故障判断を同時に行ってもよい。この場合、電圧Ｖｃが第２既定値（＝第５既定値＝Ｖｎ）以上であれば主電源側バイパスＦＥＴ３１、または負荷側バイパスＦＥＴ３３が短絡故障していると判断する。このようにすれば、３つの故障判断を同時に行えるので、さらに短時間で故障判断が可能となる。但し、時間ｔ２からｔ３の故障判断を蓄電部２１の充電前に行う場合は、主電源側バイパスＦＥＴ３１の短絡故障を別に行う必要がある。
【００７１】
以上で故障判断が終了したので、時間ｔ６で主電源バイパスＦＥＴ３１と負荷側バイパスＦＥＴ３３をオンに、蓄電部側ＦＥＴ３７と負荷側ＦＥＴ３９をオフにした後、通常動作状態とする。
【００７２】
以上の構成、動作により、切替回路部分である主電源側バイパスＦＥＴ３１、負荷側バイパスＦＥＴ３３、および蓄電部側ＦＥＴ３７をオンオフ制御した時の負荷の電圧Ｖａ、主電源側バイパスＦＥＴ３１と負荷側バイパスＦＥＴ３３の接続点の電圧Ｖｃ、蓄電部側ＦＥＴ３７と負荷側ＦＥＴ３９の接続点の電圧Ｖｄから、前記４つのＦＥＴの短絡、および開放故障を判断できるので、高信頼な蓄電装置を実現できた。
【００７３】
なお、本実施の形態２で説明したように、制御部２９が車両始動後に主電源側バイパスＦＥＴ３１、または負荷側バイパスＦＥＴ３３の開放故障を判断した後、蓄電部２１の充電後に残りの故障判断を行うとともに、主電源側バイパスＦＥＴ３１の短絡故障を判断する時（時間ｔ２からｔ３）は、主電源側バイパスＦＥＴ３１と負荷側バイパスＦＥＴ３３をオフにし、蓄電部側ＦＥＴ３７をオンにするように制御することにより、負荷１５への電力供給を断つことなく４つのＦＥＴの故障判断を行うことができる。この際、負荷側ＦＥＴ３９はオンでもオフでもよいが、オフの場合は寄生ダイオード３５による電圧降下ΔＶが発生するので、負荷１５にできるだけ安定な電圧を供給するために、負荷側ＦＥＴ３９をオンにする方が望ましい。同様の理由で、時間ｔ５からｔ６においても負荷側ＦＥＴ３９をオンにする方が望ましい。
【００７４】
また、実施の形態１と同様に、上記故障判断を車両の使用後に行ってもよい。この場合の外部制御回路とのやり取り等の動作は実施の形態１と全く同じである。
【００７５】
（実施の形態３）
図５は、本発明の実施の形態３における蓄電装置の故障判断時のタイミングチャートと電圧経時特性図である。なお、図５の電圧経時特性図におけるカッコつきの記号の意味は図２と同じである。
【００７６】
本実施の形態３における蓄電装置１１の構成は図３と同じであるので、構成上の説明を省略し、本実施の形態３の特徴となる故障判断方法について述べる。
【００７７】
主電源側バイパスＦＥＴ３１、負荷側バイパスＦＥＴ３３、蓄電部側ＦＥＴ３７、および負荷側ＦＥＴ３９の故障判断は、前記した実施の形態２における方法も含め、以下の条件の組み合わせで行うことができる。なお、特に記載していないＦＥＴはオンでもオフでもよい。また、複数の条件が記載されている場合はいずれかの条件を用いればよい。
【００７８】
１）主電源側バイパスＦＥＴ３１の開放故障を判断する場合
１−１）主電源側バイパスＦＥＴ３１をオン、蓄電部側ＦＥＴ３７と負荷側ＦＥＴ３９をオフにした状態で、負荷１５の電圧Ｖａが第１既定値以下、または主電源側バイパスＦＥＴ３１と負荷側バイパスＦＥＴ３３の接続点の電圧Ｖｃが第２既定値以下であれば開放故障
２）負荷側バイパスＦＥＴ３３の開放故障を判断する場合
２−１）主電源側バイパスＦＥＴ３１をオン、蓄電部側ＦＥＴ３７と負荷側ＦＥＴ３９をオフにした状態で、負荷１５の電圧Ｖａが第３既定値以下であれば開放故障
２−２）充電回路１９が蓄電部２１を充電中、または充電後に、主電源側バイパスＦＥＴ３１をオフにし、負荷側バイパスＦＥＴ３３と蓄電部側ＦＥＴ３７をオンにした状態で、主電源側バイパスＦＥＴ３１と負荷側バイパスＦＥＴ３３の接続点の電圧Ｖｃが第４既定値以下であれば開放故障
３）蓄電部側ＦＥＴ３７の開放故障を判断する場合
３−１）充電回路１９が蓄電部２１を充電中、または充電後に、主電源側バイパスＦＥＴ３１をオフにし、蓄電部側ＦＥＴ３７をオンにした状態で、蓄電部側ＦＥＴ３７と負荷側ＦＥＴ３９の接続点の電圧Ｖｄが第５既定値以下であれば開放故障
３−２）充電回路１９が蓄電部２１を充電中、または充電後に、蓄電部側ＦＥＴ３７をオンにし、負荷側ＦＥＴ３９をオフにした状態で、蓄電部側ＦＥＴ３７と負荷側ＦＥＴ３９の接続点の電圧Ｖｄが第５既定値以下であれば開放故障
４）負荷側ＦＥＴ３９の開放故障を判断する場合
４−１）充電回路１９が蓄電部２１を充電中、または充電後に、主電源側バイパスＦＥＴ３１と負荷側バイパスＦＥＴ３３をオフにし、蓄電部側ＦＥＴ３７と負荷側ＦＥＴ３９をオンにした状態で、負荷１５の電圧Ｖａが第６既定値以下であれば開放故障
４−２）充電回路１９が蓄電部２１を充電中、または充電後に、主電源側バイパスＦＥＴ３１と負荷側ＦＥＴ３９をオンにし、蓄電部側ＦＥＴ３７をオフにした状態で、蓄電部側ＦＥＴ３７と負荷側ＦＥＴ３９の接続点の電圧Ｖｄが第７既定値以下であれば開放故障
５）主電源側バイパスＦＥＴ３１の短絡故障を判断する場合
５−１）主電源側バイパスＦＥＴ３１と負荷側バイパスＦＥＴ３３をオフにした状態で、主電源側バイパスＦＥＴ３１と負荷側バイパスＦＥＴ３３の接続点の電圧Ｖｃが第８既定値以上であれば短絡故障
５−２）主電源側バイパスＦＥＴ３１と蓄電部側ＦＥＴ３７をオフにした状態で、主電源側バイパスＦＥＴ３１と負荷側バイパスＦＥＴ３３の接続点の電圧Ｖｃが第８既定値以上であれば短絡故障
６）負荷側バイパスＦＥＴ３３の短絡故障を判断する場合
６−１）充電回路１９が蓄電部２１を充電中、または充電後に、主電源側バイパスＦＥＴ３１と負荷側バイパスＦＥＴ３３をオフにし、蓄電部側ＦＥＴ３７をオンにした状態で、主電源側バイパスＦＥＴ３１と負荷側バイパスＦＥＴ３３の接続点の電圧Ｖｃが第９既定値以上であれば短絡故障
７）蓄電部側ＦＥＴ３７の短絡故障を判断する場合
７−１）充電回路１９が蓄電部２１を充電中、または充電後に、蓄電部側ＦＥＴ３７と負荷側ＦＥＴ３９をオフにした状態で、蓄電部側ＦＥＴ３７と負荷側ＦＥＴ３９の接続点の電圧Ｖｄが第１０既定値以上であれば短絡故障
７−２）充電回路１９が蓄電部２１を充電中、または充電後に、主電源側バイパスＦＥＴ３１と蓄電部側ＦＥＴ３７をオフにした状態で、蓄電部側ＦＥＴ３７と負荷側ＦＥＴ３９の接続点の電圧Ｖｄが第１０既定値以上であれば短絡故障
８）負荷側ＦＥＴ３９の短絡故障を判断する場合
８−１）主電源側バイパスＦＥＴ３１をオンにし、蓄電部側ＦＥＴ３７と負荷側ＦＥＴ３９をオフにした状態で、蓄電部側ＦＥＴ３７と負荷側ＦＥＴ３９の接続点の電圧Ｖｄが第１１既定値以上であれば短絡故障
なお、上記した第１既定値から第１１既定値は故障判断時の蓄電部２１の充電状態や各ＦＥＴの特性バラツキ等を考慮して適宜決定すればよい。例えば、実施の形態２の場合に対応してみると、上記した第１既定値から第７既定値はＶｍｉｎに相当し、第８既定値から第１１既定値はＶｎに相当する。また、蓄電部２１が充電中に故障判断を行う場合は、第１既定値から第７既定値を故障判断時の各電圧（Ｖａ、Ｖｃ、Ｖｄ）の変化に応じて決定しておけばよい。さらに、第８既定値から第１１既定値は、各ＦＥＴの漏れ電流特性のバラツキやノイズ等の影響があるため、それらをあらかじめ加味して、それぞれの値を決定しておいてもよい。なお、実施の形態２で説明した第１既定値から第６既定値は、本実施の形態３で述べた第１既定値から第６既定値とは異なる。
【００７９】
上記のような条件の組み合わせの内、最適な故障判断動作例について図５により説明する。なお、図５の各グラフの内容は図４のものと同じである。また、第１既定値から第７既定値はＶｍｉｎとし、第８既定値から第１１既定値はＶｎとした。
【００８０】
まず、時間ｔ０で、制御部２９は主電源側バイパスＦＥＴ３１と負荷側バイパスＦＥＴ３３をオンに、蓄電部側ＦＥＴ３７と負荷側ＦＥＴ３９をオフにする。この状態は図４の時間ｔ０と同じ状態であるので、電圧検出回路２７で検出した負荷１５の電圧Ｖａが第１既定値（Ｖｍｉｎ）以下であるか、または第３既定値（Ｖｍｉｎ）以下であれば、主電源側バイパスＦＥＴ３１、または負荷側バイパスＦＥＴ３３が開放故障していると判断する。
【００８１】
主電源側バイパスＦＥＴ３１と負荷側バイパスＦＥＴ３３が開放故障していなければ、制御部２９は時間ｔ１で蓄電部２１を充電する。この際、蓄電部２１の電圧Ｖｔが主電源１３の電圧Ｖｂと充電回路１９の充電精度内で一致するように充電を行っている。従って、充電後の時間ｔ２では蓄電部２１の電圧Ｖｔは、図５に示すように主電源１３の電圧Ｖｂとほぼ等しくなる。
【００８２】
次に、蓄電部２１の充電後である時間ｔ２で、制御部２９は主電源側バイパスＦＥＴ３１と負荷側バイパスＦＥＴ３３をオンにし、蓄電部側ＦＥＴ３７と負荷側ＦＥＴ３９をオフにする。この状態は前記した時間ｔ０と同じであるので、本実施の形態３では制御部２９は時間ｔ２で各ＦＥＴのオンオフ制御を行わなくてもよいことになる。このような故障判断条件の組合せとすることで、制御部２９の負担が軽減される。
【００８３】
上記各ＦＥＴの状態は、図４の時間ｔ３からｔ４と同じであるので、実施の形態２と同様に、電圧検出回路２７により検出した蓄電部側ＦＥＴ３７と負荷側ＦＥＴ３９の接続点の電圧Ｖｄが第１０既定値（Ｖｎ）以上であるか、または第１１既定値（Ｖｎ）以上であれば、蓄電部側ＦＥＴ３７、または負荷側ＦＥＴ３９が短絡故障していると判断する。
【００８４】
次に、制御部２９は時間ｔ３で電圧検出回路２７より主電源１３の電圧Ｖｂを、充電回路１９より蓄電部２１の電圧Ｖｔをそれぞれ読み込む。ここで、主電源１３の電圧Ｖｂが蓄電部２１の電圧Ｖｔと寄生ダイオード３５による電圧降下ΔＶの差（＝Ｖｔ−ΔＶ）以上であるか否かを判断する。もし、電圧Ｖｂが前記差よりも小さければ、時間ｔ３で各ＦＥＴを制御した時に、蓄電部２１から主電源１３に電流が逆流することになるので、これを避けるために前記判断を行っている。
【００８５】
ここで、本実施の形態３では各ＦＥＴの寄生ダイオード３５による電圧降下ΔＶは全て等しいとして説明するが、実際には電圧降下ΔＶのバラツキがあるため、あらかじめＦＥＴ毎の電圧降下ΔＶを求めておき、上記計算を行う際に適用されるＦＥＴの電圧降下ΔＶの値を用いるようにしてもよい。また、電圧Ｖｂが電圧差（Ｖｔ−ΔＶ）より小さかったとしても僅かに小さい場合は、前記電流の逆流はごく僅かとなり、実使用上問題になることはない。従って、許容できる逆流電流の範囲内であれば、電圧降下ΔＶに幅を持たせてもよい。この時、前記した電圧降下ΔＶのバラツキを含めて幅を持たせるようにしてもよい。
【００８６】
制御部２９は、電圧Ｖｂが前記電圧差（Ｖｔ−ΔＶ）以上であることを判断すると、主電源側バイパスＦＥＴ３１、負荷側バイパスＦＥＴ３３、および蓄電部側ＦＥＴ３７をオンにし、負荷側ＦＥＴ３９をオフにする。但し、図５の時間ｔ２からｔ３ではすでに主電源側バイパスＦＥＴ３１と負荷側バイパスＦＥＴ３３がオン、負荷側ＦＥＴ３９がオフであるので、本実施の形態３では蓄電部側ＦＥＴ３７をオンにするだけでよい。これにより、蓄電部側ＦＥＴ３７が正常であれば蓄電部側ＦＥＴ３７と負荷側ＦＥＴ３９の接続点の電圧Ｖｄは蓄電部２１の電圧Ｖｔまで上昇する。従って、電圧検出回路２７により検出した蓄電部側ＦＥＴ３７と負荷側ＦＥＴ３９の接続点の電圧Ｖｄが第５既定値（Ｖｍｉｎ）以下であれば蓄電部側ＦＥＴ３７が開放故障していると判断する。
【００８７】
次に、制御部２９は時間ｔ４で電圧検出回路２７より主電源１３の電圧Ｖｂを、充電回路１９より蓄電部２１の電圧Ｖｔをそれぞれ読み込む。ここで、蓄電部２１の電圧Ｖｔが主電源１３の電圧Ｖｂと寄生ダイオード３５による電圧降下ΔＶの差（＝Ｖｂ−ΔＶ）以上であるか否かを判断する。もし、電圧Ｖｔが前記差よりも小さければ、時間ｔ４で各ＦＥＴを制御した時に、主電源１３から蓄電部２１に電流が急激に流れることになるので、これを避けるために前記判断を行っている。制御部２９は、電圧Ｖｂが前記差以上であることを判断すると、主電源側バイパスＦＥＴ３１、負荷側バイパスＦＥＴ３３、および負荷側ＦＥＴ３９をオンにし、蓄電部側ＦＥＴ３７をオフにする。但し、図５の時間ｔ３からｔ４ではすでに主電源側バイパスＦＥＴ３１と負荷側バイパスＦＥＴ３３がオンであるので、本実施の形態３では、蓄電部側ＦＥＴ３７をオフに、負荷側ＦＥＴ３９をオンにするだけでよい。これにより、負荷側ＦＥＴ３９が正常であれば蓄電部側ＦＥＴ３７と負荷側ＦＥＴ３９の接続点の電圧Ｖｄは主電源１３の電圧Ｖｂとほぼ等しくなる。従って、電圧検出回路２７により検出した蓄電部側ＦＥＴ３７と負荷側ＦＥＴ３９の接続点の電圧Ｖｄが第７既定値（Ｖｍｉｎ）以下であれば負荷側ＦＥＴ３９が開放故障していると判断する。
【００８８】
次に、制御部２９は時間ｔ５で電圧検出回路２７より主電源１３の電圧Ｖｂを、充電回路１９より蓄電部２１の電圧Ｖｔをそれぞれ読み込む。ここで、主電源１３の電圧Ｖｂと蓄電部２１の電圧Ｖｔの差の絶対値（＝｜Ｖｂ−Ｖｔ｜）が寄生ダイオード３５による電圧降下ΔＶ以下であるか否かを判断する。もし、前記絶対値が電圧降下ΔＶよりも大きければ、時間ｔ５で各ＦＥＴを制御した時に、主電源側バイパスＦＥＴ３１が短絡故障していれば、主電源１３から蓄電部２１に、また負荷側バイパスＦＥＴ３３が短絡故障していれば、その逆方向に電流が急峻に流れることになるので、これを避けるために前記判断を行っている。制御部２９は、前記絶対値が電圧降下ΔＶ以下であることを判断すると、主電源側バイパスＦＥＴ３１と負荷側バイパスＦＥＴ３３をオフにし、蓄電部側ＦＥＴ３７と負荷側ＦＥＴ３９をオンにする。但し、図５の時間ｔ４からｔ５ではすでに負荷側ＦＥＴ３９がオンであるので、本実施の形態３では時間ｔ５で負荷側ＦＥＴ３９のオン制御をしなくてもよい。これにより、主電源側バイパスＦＥＴ３１と負荷側バイパスＦＥＴ３３がオフなので、これらのＦＥＴが正常ならば電圧検出回路２７により検出した主電源側バイパスＦＥＴ３１と負荷側バイパスＦＥＴ３３の接続点の電圧Ｖｃは電圧検出回路２７により０Ｖ近傍になる。これがもし第８既定値（Ｖｎ）以上であるか、または第９既定値（Ｖｎ）以上であれば、主電源側バイパスＦＥＴ３１、または負荷側バイパスＦＥＴ３３が短絡故障していると判断する。
【００８９】
以上で故障判断が終了したので、実施の形態２と同様に時間ｔ６で蓄電部側ＦＥＴ３７と負荷側ＦＥＴ３９をオフに、主電源バイパスＦＥＴ３１と負荷側バイパスＦＥＴ３３をオンにした後、通常動作状態とする。
【００９０】
このように故障判断動作を行うことで、４つのＦＥＴの開放故障、および短絡故障を判断することができる上に、図５より明らかなように、負荷１５の電圧Ｖａは図４と比較して故障判断を行ってもほとんど変動しないことがわかる。従って、故障判断時に実施の形態２よりも安定した電圧を負荷１５に供給することができる。
【００９１】
以上の構成、動作により、切替回路部分である主電源側バイパスＦＥＴ３１、負荷側バイパスＦＥＴ３３、蓄電部側ＦＥＴ３７、および負荷側ＦＥＴ３９を限定された条件内で任意にオンオフ制御することにより、負荷１５に供給する電圧変動を低減した状態で、負荷１５の電圧Ｖａ、主電源側バイパスＦＥＴ３１と負荷側バイパスＦＥＴ３３の接続点の電圧Ｖｃ、蓄電部側ＦＥＴ３７と負荷側ＦＥＴ３９の接続点の電圧Ｖｄから、４つのＦＥＴの短絡、および開放故障を判断できるので、さらに高信頼な蓄電装置を実現できた。
【００９２】
なお、本実施の形態３においても実施の形態２と同様に、制御部２９が車両始動後に主電源側バイパスＦＥＴ３１、または負荷側バイパスＦＥＴ３３の開放故障を判断した後、蓄電部２１の充電後に残りの故障判断を行うとともに、主電源側バイパスＦＥＴ３１の短絡故障を判断する時（時間ｔ５からｔ６）は、主電源側バイパスＦＥＴ３１と負荷側バイパスＦＥＴ３３をオフにし、蓄電部側ＦＥＴ３７をオンにするように制御することにより、負荷１５への電力供給を断つことなく４つのＦＥＴの故障判断を行うことができる。
【００９３】
また、実施の形態１と同様に、上記故障判断を車両の使用後に行ってもよい。この場合の外部制御回路とのやり取り等の動作は実施の形態１と全く同じである。
【００９４】
（実施の形態４）
図６は、本発明の実施の形態４における蓄電装置のブロック回路図である。図７は、本発明の実施の形態４における蓄電装置の故障判断時のタイミングチャートと電圧経時特性図である。なお、図６の太線と細線の意味は図１と同じである。また、図７の電圧経時特性図におけるカッコつきの記号の意味も図２と同じである。
【００９５】
図６における本実施の形態４の構成で、図３の構成と同じものには同じ番号を付して詳細な説明を省略する。すなわち、本実施の形態４の特徴は以下の通りである。
【００９６】
１）負荷側バイパスＦＥＴ３３に替わって、主電源側バイパスＦＥＴ３１にアノードを負荷１５にカソードを接続した負荷側バイパスダイオード４１を設けた。従って、主電源側バイパスＦＥＴ３１と負荷側バイパスダイオード４１は直列接続される。
【００９７】
２）制御部２９は主電源側バイパスＦＥＴ３１、蓄電部側ＦＥＴ３７、および負荷側ＦＥＴ３９の３つのＦＥＴを独立してオンオフ制御するためにオンオフ信号Ｆｏｆ１、Ｆｏｆ３、およびＦｏｆ４をそれぞれ送信する構成とした。これにより負荷側バイパスＦＥＴ３３、およびその制御が不要になるので、実施の形態２に比べ簡単な構成となる。
【００９８】
次に、このような蓄電装置１１の動作について説明する。基本動作については実施の形態２とほぼ同じであるが、主電源１３から負荷１５への直接電力供給のオンオフ制御は主電源側バイパスＦＥＴ３１のみをオンオフすればよい。
【００９９】
次に、切替回路部分である３つのＦＥＴと負荷側バイパスダイオード４１の故障判断動作について図７を参照しながら説明する。図７において、横軸は時間を、縦軸は上から順に蓄電部２１の電圧Ｖｔ、負荷１５の電圧Ｖａ、主電源１３の電圧Ｖｂ、主電源側バイパスＦＥＴ３１と負荷側バイパスダイオード４１の接続点の電圧Ｖｃ、および蓄電部側ＦＥＴ３７と負荷側ＦＥＴ３９の接続点の電圧Ｖｄを示す。また、下の３つのグラフはそれぞれ３つのＦＥＴのタイミングチャートである。
【０１００】
時間ｔ０で、制御部２９は主電源側バイパスＦＥＴ３１をオンに、蓄電部側ＦＥＴ３７と負荷側ＦＥＴ３９をオフにする。これにより、負荷１５に主電源１３の電力が供給される。なお、主電源側バイパスＦＥＴ３１のオンオフ設定を、ノーマリーオンとし、蓄電部側ＦＥＴ３７と負荷側ＦＥＴ３９のオンオフ設定を、ノーマリーオフとすれば、起動時から主電源側バイパスＦＥＴ３１をオンに、蓄電部側ＦＥＴ３７と負荷側ＦＥＴ３９をオフにしておくことができる。
【０１０１】
この状態で電圧検出回路２７により負荷１５の電圧Ｖａを検出する。主電源側バイパスＦＥＴ３１と負荷側バイパスダイオード４１が正常であれば、電圧Ｖａは主電源１３の電圧Ｖｂから負荷側バイパスダイオード４１の電圧降下ΔＶを差し引いた値（Ｖｂ−ΔＶ）と等しくなる。従って、もし負荷１５の電圧Ｖａが第１既定値（本実施の形態４においても負荷駆動最低電圧Ｖｍｉｎとした）以下であれば主電源側バイパスＦＥＴ３１、または負荷側バイパスダイオード４１が開放故障していると判断する。
【０１０２】
主電源側バイパスＦＥＴ３１と負荷側バイパスダイオード４１が開放故障していなければ、制御部２９は時間ｔ１で蓄電部２１を充電する。充電後の時間ｔ２で制御部２９は主電源側バイパスＦＥＴ３１をオフにし、蓄電部側ＦＥＴ３７をオンにする。これにより、負荷１５へは蓄電部２１の電力が供給される。但し、負荷側ＦＥＴ３９はオフなので、電圧Ｖａは蓄電部２１の電圧Ｖｔより寄生ダイオード３５の電圧降下ΔＶだけ低くなるが、負荷１５を駆動し続けることはできる。この状態で主電源側バイパスＦＥＴ３１が正常にオフならば電圧検出回路２７により検出した主電源側バイパスＦＥＴ３１と負荷側バイパスダイオード４１の接続点の電圧Ｖｃは０Ｖ近傍になる。これがもし第２既定値（ここでもＶｎとした）以上であれば主電源側バイパスＦＥＴ３１が短絡故障していると判断する。なお、この故障判断は蓄電部側ＦＥＴ３７をオフにしても可能であるが、この場合は故障判断中に負荷１５への電力供給が断たれる。また、この故障判断は蓄電部２１の充電後に行っているが、これは故障判断中に蓄電部２１の電力を負荷１５に供給し続けるためである。負荷１５への電力供給が断たれてもよい場合は蓄電部２１の充電前に上記故障判断を行ってもよい。
【０１０３】
次に時間ｔ３で制御部２９は主電源側バイパスＦＥＴ３１をオンにし、蓄電部側ＦＥＴ３７と負荷側ＦＥＴ３９をオフにする。これにより、負荷１５へは再び主電源１３の電力が供給される。この時、蓄電部２１は充電された状態なので、蓄電部側ＦＥＴ３７と負荷側ＦＥＴ３９が正常にオフ状態であれば、両者の接続点の電圧Ｖｄは０Ｖ近傍になるが、蓄電部側ＦＥＴ３７が短絡故障をしていれば電圧Ｖｄは蓄電部２１の電圧Ｖｔに、負荷側ＦＥＴ３９が短絡故障をしていれば電圧Ｖｄは負荷１５の電圧Ｖａになる。従って、上記した３つのＦＥＴの状態で電圧検出回路２７により検出した蓄電部側ＦＥＴ３７と負荷側ＦＥＴ３９の接続点の電圧Ｖｄが第３既定値（Ｖｎ）以上であれば蓄電部側ＦＥＴ３７、または負荷側ＦＥＴ３９が短絡故障していると判断する。
【０１０４】
次に時間ｔ４で制御部２９は蓄電部側ＦＥＴ３７をオンにする。これにより、蓄電部側ＦＥＴ３７が正常であれば蓄電部側ＦＥＴ３７と負荷側ＦＥＴ３９の接続点の電圧Ｖｄは蓄電部２１の電圧Ｖｔまで上昇する。従って、電圧検出回路２７により検出した蓄電部側ＦＥＴ３７と負荷側ＦＥＴ３９の接続点の電圧Ｖｄが第４既定値（ここでもＶｍｉｎとした）以下であれば蓄電部側ＦＥＴ３７が開放故障していると判断する。なお、時間ｔ４からｔ５の故障判断は時間ｔ３からｔ４の故障判断時の３つのＦＥＴの状態から蓄電部側ＦＥＴ３７のみをオンにしているが、時間ｔ４からｔ５の故障判断を行うための条件は主電源側バイパスＦＥＴ３１、または負荷側ＦＥＴ３９をオフにして、蓄電部側ＦＥＴ３７をオンにする必要がある。
【０１０５】
次に時間ｔ５で制御部２９は主電源側バイパスＦＥＴ３１をオフにする。この時、時間ｔ４からｔ５で蓄電部側ＦＥＴ３７がオンであるので、負荷１５には蓄電部２１の電力が供給される。但し、負荷側ＦＥＴ３９はオフであるので、寄生ダイオード３５の電圧降下ΔＶが起こるため、負荷１５の電圧ＶａはＶｔ−ΔＶとなる。この状態では、主電源側バイパスＦＥＴ３１が正常にオフになっており、負荷側バイパスダイオード４１が正常であれば両者の接続点の電圧Ｖｃは０Ｖ近傍になる。従って、電圧検出回路２７により検出した主電源側バイパスＦＥＴ３１と負荷側バイパスダイオード４１の接続点の電圧Ｖｃが第５既定値（Ｖｎ）以上であれば負荷１５の電圧Ｖａが前記接続点に回り込んでいることになるので、負荷側バイパスダイオード４１が短絡故障していると判断する。なお、この短絡故障は主電源側バイパスＦＥＴ３１をオフにして、蓄電部側ＦＥＴ３７をオンにする必要がある。
【０１０６】
制御部２９は上記した負荷側バイパスダイオード４１の短絡故障判断と同時に、負荷側ＦＥＴ３９の開放故障判断も行う。具体的には、負荷側ＦＥＴ３９が正常であれば負荷１５の電圧Ｖａは前記したようにＶｔ−ΔＶとなる。従って、負荷１５の電圧Ｖａが第６既定値（ここでもＶｍｉｎとした）以下であれば負荷側ＦＥＴ３９が開放故障していると判断する。
【０１０７】
なお、上記故障判断を行う時の３つのＦＥＴの状態は時間ｔ２からｔ３の場合と全く同じであるので、実施の形態２で述べたように両者の故障判断を同時に行ってもよい。この場合、電圧Ｖｃが第２既定値（＝第５既定値＝Ｖｎ）以上であれば主電源側バイパスＦＥＴ３１、または負荷側バイパスダイオード４１が短絡故障していると判断する。このようにすれば、３つの故障判断を同時に行えるので、さらに短時間で故障判断が可能となる。但し、時間ｔ２からｔ３の故障判断を蓄電部２１の充電前に行う場合は、主電源側バイパスＦＥＴ３１の短絡故障を別に行う必要がある。
【０１０８】
以上で故障判断が終了したので、時間ｔ６で主電源バイパスＦＥＴ３１をオンに、蓄電部側ＦＥＴ３７と負荷側ＦＥＴ３９をオフにした後、通常動作状態とする。
【０１０９】
以上の構成、動作により、切替回路部分である主電源側バイパスＦＥＴ３１、および蓄電部側ＦＥＴ３７をオンオフ制御した時の負荷の電圧Ｖａ、主電源側バイパスＦＥＴ３１と負荷側バイパスダイオード４１の接続点の電圧Ｖｃ、蓄電部側ＦＥＴ３７と負荷側ＦＥＴ３９の接続点の電圧Ｖｄから、前記３つのＦＥＴと負荷側バイパスダイオード４１の短絡、および開放故障を判断できるので、高信頼な蓄電装置を実現できた。
【０１１０】
なお、本実施の形態４で説明したように、制御部２９が車両始動後に主電源側バイパスＦＥＴ３１、または負荷側バイパスダイオード４１の開放故障を判断した後、蓄電部２１の充電後に残りの故障判断を行うとともに、主電源側バイパスＦＥＴ３１の短絡故障を判断する時（時間ｔ２からｔ３）は、蓄電部側ＦＥＴ３７をオンにするように制御することにより、負荷１５への電力供給を断つことなく３つのＦＥＴと負荷側バイパスダイオード４１の故障判断を行うことができる。この際、および時間ｔ５からｔ６においても負荷側ＦＥＴ３９は実施の形態２で述べた同じ理由によりオンにする方が望ましい。
【０１１１】
また、実施の形態１と同様に、上記故障判断を車両の使用後に行ってもよい。この場合の外部制御回路とのやり取り等の動作は実施の形態１と全く同じである。
【０１１２】
（実施の形態５）
図８は、本発明の実施の形態５における蓄電装置の故障判断時のタイミングチャートと電圧経時特性図である。なお、図８の電圧経時特性図におけるカッコつきの記号の意味は図２と同じである。
【０１１３】
本実施の形態５における蓄電装置１１の構成は図６と同じであるので、構成上の説明を省略し、本実施の形態５の特徴となる故障判断方法について述べる。
【０１１４】
主電源側バイパスＦＥＴ３１、負荷側バイパスダイオード４１、蓄電部側ＦＥＴ３７、および負荷側ＦＥＴ３９の故障判断は、前記した実施の形態４における方法も含め、以下の条件の組み合わせで行うことができる。なお、特に記載していないＦＥＴはオンでもオフでもよい。また、複数の条件が記載されている場合はいずれかの条件を用いればよい。
【０１１５】
１）主電源側バイパスＦＥＴ３１の開放故障を判断する場合
１−１）主電源側バイパスＦＥＴ３１をオン、蓄電部側ＦＥＴ３７と負荷側ＦＥＴ３９をオフにした状態で、負荷１５の電圧Ｖａが第１既定値以下、または主電源側バイパスＦＥＴ３１と負荷側バイパスダイオード４１の接続点の電圧Ｖｃが第２既定値以下であれば開放故障
２）負荷側バイパスダイオード４１の開放故障を判断する場合
２−１）主電源側バイパスＦＥＴ３１をオン、蓄電部側ＦＥＴ３７と負荷側ＦＥＴ３９をオフにした状態で、負荷１５の電圧Ｖａが第３既定値以下であれば開放故障
３）蓄電部側ＦＥＴ３７の開放故障を判断する場合
３−１）充電回路１９が蓄電部２１を充電中、または充電後に、主電源側バイパスＦＥＴ３１をオフにし、蓄電部側ＦＥＴ３７をオンにした状態で、蓄電部側ＦＥＴ３７と負荷側ＦＥＴ３９の接続点の電圧Ｖｄが第５既定値以下であれば開放故障
３−２）充電回路１９が蓄電部２１を充電中、または充電後に、蓄電部側ＦＥＴ３７をオンにし、負荷側ＦＥＴ３９をオフにした状態で、蓄電部側ＦＥＴ３７と負荷側ＦＥＴ３９の接続点の電圧Ｖｄが第５既定値以下であれば開放故障
４）負荷側ＦＥＴ３９の開放故障を判断する場合
４−１）充電回路１９が蓄電部２１を充電中、または充電後に、主電源側バイパスＦＥＴ３１をオフにし、蓄電部側ＦＥＴ３７と負荷側ＦＥＴ３９をオンにした状態で、負荷１５の電圧Ｖａが第６既定値以下であれば開放故障
４−２）充電回路１９が蓄電部２１を充電中、または充電後に、主電源側バイパスＦＥＴ３１と負荷側ＦＥＴ３９をオンにし、蓄電部側ＦＥＴ３７をオフにした状態で、蓄電部側ＦＥＴ３７と負荷側ＦＥＴ３９の接続点の電圧Ｖｄが第７既定値以下であれば開放故障
５）主電源側バイパスＦＥＴ３１の短絡故障を判断する場合
５−１）主電源側バイパスＦＥＴ３１をオフにした状態で、主電源側バイパスＦＥＴ３１と負荷側バイパスダイオード４１の接続点の電圧Ｖｃが第８既定値以上であれば短絡故障
６）負荷側バイパスダイオード４１の短絡故障を判断する場合
６−１）充電回路１９が蓄電部２１を充電中、または充電後に、主電源側バイパスＦＥＴ３１をオフにし、蓄電部側ＦＥＴ３７をオンにした状態で、主電源側バイパスＦＥＴ３１と負荷側バイパスダイオード４１の接続点の電圧Ｖｃが第９既定値以上であれば短絡故障
７）蓄電部側ＦＥＴ３７の短絡故障を判断する場合
７−１）充電回路１９が蓄電部２１を充電中、または充電後に、蓄電部側ＦＥＴ３７と負荷側ＦＥＴ３９をオフにした状態で、蓄電部側ＦＥＴ３７と負荷側ＦＥＴ３９の接続点の電圧Ｖｄが第１０既定値以上であれば短絡故障
７−２）充電回路１９が蓄電部２１を充電中、または充電後に、主電源側バイパスＦＥＴ３１と蓄電部側ＦＥＴ３７をオフにした状態で、蓄電部側ＦＥＴ３７と負荷側ＦＥＴ３９の接続点の電圧Ｖｄが第１０既定値以上であれば短絡故障
８）負荷側ＦＥＴ３９の短絡故障を判断する場合
８−１）主電源側バイパスＦＥＴ３１をオンにし、蓄電部側ＦＥＴ３７と負荷側ＦＥＴ３９をオフにした状態で、蓄電部側ＦＥＴ３７と負荷側ＦＥＴ３９の接続点の電圧Ｖｄが第１１既定値以上であれば短絡故障
なお、上記した第１既定値から第１１既定値は実施の形態３で述べたように、故障判断時の蓄電部２１の充電状態や各ＦＥＴの特性バラツキ等を考慮して適宜決定すればよい。また、本実施の形態５においても第１既定値から第７既定値はＶｍｉｎとし、第８既定値から第１１既定値はＶｎとした。また、実施の形態４で説明した第１既定値から第６既定値は、本実施の形態５で述べた第１既定値から第６既定値とは異なる。
【０１１６】
上記のような条件の組み合わせの内、最適な故障判断動作例について図８により説明する。なお、図８の各グラフの内容は図７のものと同じである。
【０１１７】
まず、時間ｔ０で、制御部２９は主電源側バイパスＦＥＴ３１をオンに、蓄電部側ＦＥＴ３７と負荷側ＦＥＴ３９をオフにする。この状態は図７の時間ｔ０と同じ状態であるので、電圧検出回路２７で検出した負荷１５の電圧Ｖａが第１既定値（Ｖｍｉｎ）以下であるか、または第３既定値（Ｖｍｉｎ）以下であれば、主電源側バイパスＦＥＴ３１、または負荷側バイパスダイオード４１が開放故障していると判断する。
【０１１８】
主電源側バイパスＦＥＴ３１と負荷側バイパスダイオード４１が開放故障していなければ、制御部２９は時間ｔ１で蓄電部２１を充電する。この際、蓄電部２１の電圧Ｖｔが主電源１３の電圧Ｖｂと充電回路１９の充電精度内で一致するように充電を行っている。従って、充電後の時間ｔ２では蓄電部２１の電圧Ｖｔは、図８に示すように主電源１３の電圧Ｖｂとほぼ等しくなる。
【０１１９】
次に、蓄電部２１の充電後である時間ｔ２で、制御部２９は主電源側バイパスＦＥＴ３１をオンにし、蓄電部側ＦＥＴ３７と負荷側ＦＥＴ３９をオフにする。この状態は前記した時間ｔ０と同じであるので、本実施の形態５でも実施の形態３と同様に時間ｔ２で各ＦＥＴのオンオフ制御を行わなくてもよい。
【０１２０】
上記各ＦＥＴの状態は、図７の時間ｔ３からｔ４と同じであるので、実施の形態４と同様に、電圧検出回路２７により検出した蓄電部側ＦＥＴ３７と負荷側ＦＥＴ３９の接続点の電圧Ｖｄが第１０既定値（Ｖｎ）以上であるか、または第１１既定値（Ｖｎ）以上であれば、蓄電部側ＦＥＴ３７、または負荷側ＦＥＴ３９が短絡故障していると判断する。
【０１２１】
次に、制御部２９は時間ｔ３で主電源側バイパスＦＥＴ３１と蓄電部側ＦＥＴ３７をオンにし、負荷側ＦＥＴ３９をオフにする。但し、図８の時間ｔ２からｔ３ではすでに主電源側バイパスＦＥＴ３１がオン、負荷側ＦＥＴ３９がオフであるので、本実施の形態５では蓄電部側ＦＥＴ３７をオンにするだけでよい。これにより、蓄電部側ＦＥＴ３７が正常であれば蓄電部側ＦＥＴ３７と負荷側ＦＥＴ３９の接続点の電圧Ｖｄは蓄電部２１の電圧Ｖｔまで上昇する。従って、電圧検出回路２７により検出した蓄電部側ＦＥＴ３７と負荷側ＦＥＴ３９の接続点の電圧Ｖｄが第５既定値（Ｖｍｉｎ）以下であれば蓄電部側ＦＥＴ３７が開放故障していると判断する。
【０１２２】
次に、制御部２９は時間ｔ４で電圧検出回路２７より主電源１３の電圧Ｖｂを、充電回路１９より蓄電部２１の電圧Ｖｔをそれぞれ読み込む。ここで、蓄電部２１の電圧Ｖｔが主電源１３の電圧Ｖｂと電圧降下ΔＶの差（＝Ｖｂ−ΔＶ×２）以上であるか否かを判断する。なお、本実施の形態５において、電圧降下ΔＶは寄生ダイオード３５によるものと、負荷側バイパスダイオード４１によるものの両方を指し、電圧降下ΔＶは全て等しいものとする。もし、電圧Ｖｔが前記差よりも小さければ、時間ｔ４で各ＦＥＴを制御した時に、主電源１３から蓄電部２１に電流が急激に流れることになるので、これを避けるために前記判断を行っている。なお、上記電流が流れる経路には寄生ダイオード３５と負荷側バイパスダイオード４１が存在するため、電圧降下ΔＶは２倍している。制御部２９は、電圧Ｖｂが前記差以上であることを判断すると、主電源側バイパスＦＥＴ３１と負荷側ＦＥＴ３９をオンにし、蓄電部側ＦＥＴ３７をオフにする。但し、図８の時間ｔ３からｔ４ではすでに主電源側バイパスＦＥＴ３１がオンであるので、本実施の形態５では、蓄電部側ＦＥＴ３７をオフに、負荷側ＦＥＴ３９をオンにするだけでよい。これにより、負荷側ＦＥＴ３９が正常であれば蓄電部側ＦＥＴ３７と負荷側ＦＥＴ３９の接続点の電圧Ｖｄは主電源１３の電圧Ｖｂから負荷側バイパスダイオード４１の電圧降下ΔＶを差し引いた値（＝Ｖｂ−ΔＶ）とほぼ等しくなる。従って、電圧検出回路２７により検出した蓄電部側ＦＥＴ３７と負荷側ＦＥＴ３９の接続点の電圧Ｖｄが第７既定値（Ｖｍｉｎ）以下であれば負荷側ＦＥＴ３９が開放故障していると判断する。
【０１２３】
次に、制御部２９は時間ｔ５で電圧検出回路２７より主電源１３の電圧Ｖｂを、充電回路１９より蓄電部２１の電圧Ｖｔをそれぞれ読み込む。ここで、主電源１３の電圧Ｖｂと蓄電部２１の電圧Ｖｔの差の絶対値（＝｜Ｖｂ−Ｖｔ｜）が電圧降下ΔＶ以下であるか否かを判断する。もし、前記絶対値が電圧降下ΔＶよりも大きければ、時間ｔ５で各ＦＥＴを制御した時に、主電源側バイパスＦＥＴ３１が短絡故障していれば、主電源１３から蓄電部２１に、また負荷側バイパスダイオード４１が短絡故障していれば、その逆方向に電流が急峻に流れることになるので、これを避けるために前記判断を行っている。制御部２９は、前記絶対値が電圧降下ΔＶ以下であることを判断すると、主電源側バイパスＦＥＴ３１をオフにし、蓄電部側ＦＥＴ３７と負荷側ＦＥＴ３９をオンにする。これにより、主電源側バイパスＦＥＴ３１がオフであり、負荷側バイパスダイオード４１はＦＥＴがオフの状態と等価であるので、主電源側バイパスＦＥＴ３１と負荷側バイパスダイオード４１が正常ならば電圧検出回路２７により検出した主電源側バイパスＦＥＴ３１と負荷側バイパスダイオード４１の接続点の電圧Ｖｃは電圧検出回路２７により０Ｖ近傍になる。これがもし第８既定値（Ｖｎ）以上であるか、または第９既定値（Ｖｎ）以上であれば、主電源側バイパスＦＥＴ３１か、または負荷側バイパスダイオード４１が短絡故障していると判断する。なお、この時の負荷１５の電圧Ｖａは、蓄電部側ＦＥＴ３７と負荷側ＦＥＴ３９がオンであるので、蓄電部２１の電圧Ｖｔと等しくなる。ここで、主電源１３の電圧Ｖｂと蓄電部２１の電圧Ｖｔがほぼ等しくなるように充電しているため、図８に示すように時間ｔ５からｔ６で負荷１５の電圧Ｖａは電圧降下ΔＶだけ高くなる。
【０１２４】
以上で故障判断が終了したので、実施の形態４と同様に時間ｔ６で蓄電部側ＦＥＴ３７と負荷側ＦＥＴ３９をオフに、主電源バイパスＦＥＴ３１をオンにした後、通常動作状態とする。この時、負荷１５には主電源１３から電力が供給されるので、その電圧Ｖａは図８に示すようにＶｂ−ΔＶに戻る。
【０１２５】
このように故障判断動作を行うことで、３つのＦＥＴと負荷側バイパスダイオード４１の開放故障、および短絡故障を判断することができる上に、図８より明らかなように、負荷１５の電圧Ｖａは故障判断を行っても、時間ｔ５からｔ６で僅かに電圧値が上がるものの、図７と比較して全体的にほとんど変動しないことがわかる。従って、故障判断時に実施の形態４よりも安定した電圧を負荷１５に供給することができる。
【０１２６】
以上の構成、動作により、主電源側バイパスＦＥＴ３１、蓄電部側ＦＥＴ３７、および負荷側ＦＥＴ３９を限定された条件内で任意にオンオフ制御することにより、負荷１５に供給する電圧変動を低減した状態で、負荷１５の電圧Ｖａ、主電源側バイパスＦＥＴ３１と負荷側バイパスダイオード４１の接続点の電圧Ｖｃ、蓄電部側ＦＥＴ３７と負荷側ＦＥＴ３９の接続点の電圧Ｖｄから、３つのＦＥＴと負荷側バイパスダイオード４１の短絡、および開放故障を判断できるので、さらに高信頼な蓄電装置を実現できた。
【０１２７】
なお、本実施の形態５においても実施の形態２と同様に、制御部２９が車両始動後に主電源側バイパスＦＥＴ３１、または負荷側バイパスダイオード４１の開放故障を判断した後、蓄電部２１の充電後に残りの故障判断を行うとともに、主電源側バイパスＦＥＴ３１の短絡故障を判断する時（時間ｔ５からｔ６）は、主電源側バイパスＦＥＴ３１をオフにし、蓄電部側ＦＥＴ３７をオンにするように制御することにより、負荷１５への電力供給を断つことなく３つのＦＥＴと負荷側バイパスダイオード４１の故障判断を行うことができる。
【０１２８】
また、実施の形態１と同様に、上記故障判断を車両の使用後に行ってもよい。この場合の外部制御回路とのやり取り等の動作は実施の形態１と全く同じである。
【０１２９】
（実施の形態６）
図９は、本発明の実施の形態６における蓄電装置のブロック回路図である。図１０は、本発明の実施の形態６における蓄電装置の故障判断時のタイミングチャートと電圧経時特性図である。なお、図９の太線と細線の意味は図１と同じである。また、図１０の電圧経時特性図におけるカッコつきの記号の意味も図２と同じである。
【０１３０】
図９における本実施の形態６の構成で、図３の構成と同じものには同じ番号を付して詳細な説明を省略する。すなわち、本実施の形態６の特徴は以下の通りである。
【０１３１】
１）負荷側ＦＥＴ３９に替わって、蓄電部側ＦＥＴ３７にアノードを負荷１５にカソードを接続した負荷側ダイオード４３を設けた。従って、蓄電部側ＦＥＴ３７と負荷側ダイオード４３は直列接続される。
【０１３２】
２）制御部２９は主電源側バイパスＦＥＴ３１、負荷側バイパスＦＥＴ３３、および蓄電部側ＦＥＴ３７の３つのＦＥＴを独立してオンオフ制御するためにオンオフ信号Ｆｏｆ１、Ｆｏｆ２、およびＦｏｆ３をそれぞれ送信する構成とした。これにより負荷側ＦＥＴ３９、およびその制御が不要になるので、実施の形態２に比べ簡単な構成となる。
【０１３３】
次に、このような蓄電装置１１の動作について説明する。基本動作については実施の形態２とほぼ同じであるが、蓄電部２１から負荷１５への電力供給のオンオフ制御は蓄電部側ＦＥＴ３７のみをオンオフすればよい。
【０１３４】
次に、切替回路部分である３つのＦＥＴと負荷側ダイオード４３の故障判断動作について図１０を参照しながら説明する。図１０において、横軸は時間を、縦軸は上から順に蓄電部２１の電圧Ｖｔ、負荷１５の電圧Ｖａ、主電源１３の電圧Ｖｂ、主電源側バイパスＦＥＴ３１と負荷側バイパスＦＥＴ３３の接続点の電圧Ｖｃ、および蓄電部側ＦＥＴ３７と負荷側ダイオード４３の接続点の電圧Ｖｄを示す。また、下の３つのグラフはそれぞれ３つのＦＥＴのタイミングチャートである。
【０１３５】
時間ｔ０で、制御部２９は主電源側バイパスＦＥＴ３１と負荷側バイパスＦＥＴ３３をオンに、蓄電部側ＦＥＴ３７をオフにする。これにより、負荷１５に主電源１３の電力が供給される。なお、主電源側バイパスＦＥＴ３１と負荷側バイパスＦＥＴ３３のオンオフ設定を、ノーマリーオンとし、蓄電部側ＦＥＴ３７のオンオフ設定を、ノーマリーオフとすれば、起動時から主電源側バイパスＦＥＴ３１と負荷側バイパスＦＥＴ３３をオンに、蓄電部側ＦＥＴ３７をオフにしておくことができる。
【０１３６】
この状態で電圧検出回路２７により負荷１５の電圧Ｖａを検出する。主電源側バイパスＦＥＴ３１と負荷側バイパスＦＥＴ３３が正常であれば、電圧Ｖａは主電源１３の電圧Ｖｂと等しくなる。従って、もし負荷１５の電圧Ｖａが第１既定値（本実施の形態６においても負荷駆動最低電圧Ｖｍｉｎとした）以下であれば主電源側バイパスＦＥＴ３１、または負荷側バイパスＦＥＴ３３が開放故障していると判断する。なお、この故障判断は負荷側バイパスＦＥＴ３３がオフであってもよい。但し、この場合は負荷側バイパスＦＥＴ３３の寄生ダイオード３５により電圧降下ΔＶ（≒０．７Ｖ）が起こるので、電圧ＶａはＶｂ−ΔＶとなる。
【０１３７】
主電源側バイパスＦＥＴ３１と負荷側バイパスＦＥＴ３３が開放故障していなければ、制御部２９は時間ｔ１で蓄電部２１を充電する。充電後の時間ｔ２で制御部２９は主電源側バイパスＦＥＴ３１と負荷側バイパスＦＥＴ３３をオフにし、蓄電部側ＦＥＴ３７をオンにする。これにより、負荷１５へは蓄電部２１の電力が供給される。但し、負荷側ダイオード４３を経由するので、電圧Ｖａは蓄電部２１の電圧Ｖｔより負荷側ダイオード４３の電圧降下ΔＶだけ低くなるが、負荷１５を駆動し続けることはできる。この状態では主電源側バイパスＦＥＴ３１と負荷側バイパスＦＥＴ３３がオフなので、これらのＦＥＴが正常ならば電圧検出回路２７により検出した主電源側バイパスＦＥＴ３１と負荷側バイパスＦＥＴ３３の接続点の電圧Ｖｃは０Ｖ近傍になる。これがもし第２既定値（ここでもＶｎとした）以上であれば主電源側バイパスＦＥＴ３１が短絡故障していると判断する。なお、この故障判断は負荷側バイパスＦＥＴ３３の替わりに蓄電部側ＦＥＴ３７をオフにしてもよいが、この場合は故障判断中に負荷１５への電力供給が断たれる。また、この故障判断は蓄電部２１の充電後に行っているが、これは故障判断中に蓄電部２１の電力を負荷１５に供給し続けるためである。負荷１５への電力供給が断たれてもよい場合は蓄電部２１の充電前に上記故障判断を行ってもよい。
【０１３８】
次に時間ｔ３で制御部２９は主電源側バイパスＦＥＴ３１と負荷側バイパスＦＥＴ３３をオンにし、蓄電部側ＦＥＴ３７をオフにする。これにより、負荷１５へは再び主電源１３の電力が供給される。この時、蓄電部２１は充電された状態なので、蓄電部側ＦＥＴ３７が正常にオフ状態であり、負荷側ダイオード４３が正常であれば、両者の接続点の電圧Ｖｄは０Ｖ近傍になるが、蓄電部側ＦＥＴ３７が短絡故障をしていれば電圧Ｖｄは蓄電部２１の電圧Ｖｔに、負荷側ダイオード４３が短絡故障をしていれば電圧Ｖｄは負荷１５の電圧Ｖａになる。従って、上記した３つのＦＥＴの状態で電圧検出回路２７により検出した蓄電部側ＦＥＴ３７と負荷側ダイオード４３の接続点の電圧Ｖｄが第３既定値（Ｖｎ）以上であれば蓄電部側ＦＥＴ３７、または負荷側ダイオード４３が短絡故障していると判断する。なお、この故障判断の際に負荷側バイパスＦＥＴ３３はオフでもよい。但し、この場合は負荷１５への電力供給が寄生ダイオード３５を介してなされるため、負荷１５の電圧ＶａはＶｂ−ΔＶとなる。
【０１３９】
次に時間ｔ４で制御部２９は蓄電部側ＦＥＴ３７をオンにする。これにより、蓄電部側ＦＥＴ３７が正常であれば蓄電部側ＦＥＴ３７と負荷側ダイオード４３の接続点の電圧Ｖｄは蓄電部２１の電圧Ｖｔまで上昇する。従って、電圧検出回路２７により検出した蓄電部側ＦＥＴ３７と負荷側ダイオード４３の接続点の電圧Ｖｄが第４既定値（ここでもＶｍｉｎとした）以下であれば蓄電部側ＦＥＴ３７が開放故障していると判断する。
【０１４０】
次に時間ｔ５で制御部２９は主電源側バイパスＦＥＴ３１と負荷側バイパスＦＥＴ３３をオフにする。この時、時間ｔ４からｔ５で蓄電部側ＦＥＴ３７がオンであるので、負荷１５には蓄電部２１の電力が供給される。但し、負荷側ダイオード４３を経由するので、負荷側ダイオード４３の電圧降下ΔＶが起こり、負荷１５の電圧ＶａはＶｔ−ΔＶとなる。この状態では、主電源側バイパスＦＥＴ３１と負荷側バイパスＦＥＴ３３が正常にオフになっていれば両者の接続点の電圧Ｖｃは０Ｖ近傍になる。従って、電圧検出回路２７により検出した主電源側バイパスＦＥＴ３１と負荷側バイパスＦＥＴ３３の接続点の電圧Ｖｃが第５既定値（Ｖｎ）以上であれば負荷１５の電圧Ｖａが前記接続点に回り込んでいることになるので、負荷側バイパスＦＥＴ３３が短絡故障していると判断する。なお、この短絡故障は主電源側バイパスＦＥＴ３１と負荷側バイパスＦＥＴ３３をオフにし、蓄電部側ＦＥＴ３７をオンにする必要がある。また、上記故障判断を行う時の３つのＦＥＴの状態は時間ｔ２からｔ３の場合と全く同じであるので、実施の形態２で述べたように両者の故障判断を同時に行ってもよい。この場合、電圧Ｖｃが第２既定値（＝第５既定値＝Ｖｎ）以上であれば主電源側バイパスＦＥＴ３１、または負荷側バイパスＦＥＴ３３が短絡故障していると判断する。但し、時間ｔ２からｔ３の故障判断を蓄電部２１の充電前に行う場合は、主電源側バイパスＦＥＴ３１と負荷側バイパスＦＥＴ３３の短絡故障を別々に行う必要がある。
【０１４１】
また、時間ｔ５からｔ６の状態では負荷１５には蓄電部２１の電力が供給されている。従って、これまでの故障判断の結果、時間ｔ５からｔ６では蓄電部側ＦＥＴ３７が正常であるので、負荷側ダイオード４３が正常であれば負荷１５の電圧ＶａはＶｔ−ΔＶとなる。従って、制御部２９は電圧検出回路２７により検出した負荷１５の電圧Ｖａが第６既定値（ここでもＶｍｉｎとした）以下であれば負荷側ダイオード４３が開放故障していると判断する。
【０１４２】
これらのことから、時間ｔ５からｔ６では負荷側バイパスＦＥＴ３３の短絡故障と負荷側ダイオード４３の開放故障を同時に判断する。さらに、前記したように時間ｔ２からｔ３の故障判断も同時に行うことができるので、より短時間で故障判断を行うことができる。
【０１４３】
以上で故障判断が終了したので、時間ｔ６で主電源バイパスＦＥＴ３１と負荷側バイパスＦＥＴ３３をオンに、蓄電部側ＦＥＴ３７をオフにした後、通常動作状態とする。
【０１４４】
以上の構成、動作により、切替回路部分である主電源側バイパスＦＥＴ３１、負荷側バイパスＦＥＴ３３、および蓄電部側ＦＥＴ３７をオンオフ制御した時の負荷の電圧Ｖａ、主電源側バイパスＦＥＴ３１と負荷側バイパスＦＥＴ３３の接続点の電圧Ｖｃ、蓄電部側ＦＥＴ３７と負荷側ダイオード４３の接続点の電圧Ｖｄから、前記３つのＦＥＴと負荷側ダイオード４３の短絡、および開放故障を判断できるので、高信頼な蓄電装置を実現できた。
【０１４５】
なお、本実施の形態６で説明したように、制御部２９が車両始動後に主電源側バイパスＦＥＴ３１、または負荷側バイパスＦＥＴ３３の開放故障を判断した後、蓄電部２１の充電後に残りの故障判断を行うとともに、主電源側バイパスＦＥＴ３１の短絡故障を判断する時は、主電源側バイパスＦＥＴ３１と負荷側バイパスＦＥＴ３３をオフにし、蓄電部側ＦＥＴ３７をオンにするように制御することにより、負荷１５への電力供給を断つことなく３つのＦＥＴと負荷側ダイオード４３の故障判断を行うことができる。
【０１４６】
また、実施の形態１と同様に、上記故障判断を車両の使用後に行ってもよい。この場合の外部制御回路とのやり取り等の動作は実施の形態１と全く同じである。
【０１４７】
（実施の形態７）
図１１は、本発明の実施の形態７における蓄電装置の故障判断時のタイミングチャートと電圧経時特性図である。なお、図１１の電圧経時特性図におけるカッコつきの記号の意味は図２と同じである。
【０１４８】
本実施の形態７における蓄電装置１１の構成は図９と同じであるので、構成上の説明を省略し、本実施の形態７の特徴となる故障判断方法について述べる。
【０１４９】
主電源側バイパスＦＥＴ３１、負荷側バイパスＦＥＴ３３、蓄電部側ＦＥＴ３７、および負荷側ダイオード４３の故障判断は、前記した実施の形態６における方法も含め、以下の条件の組み合わせで行うことができる。なお、特に記載していないＦＥＴはオンでもオフでもよい。また、複数の条件が記載されている場合はいずれかの条件を用いればよい。
【０１５０】
１）主電源側バイパスＦＥＴ３１の開放故障を判断する場合
１−１）主電源側バイパスＦＥＴ３１をオン、蓄電部側ＦＥＴ３７をオフにした状態で、負荷１５の電圧Ｖａが第１既定値以下、または主電源側バイパスＦＥＴ３１と負荷側バイパスＦＥＴ３３の接続点の電圧Ｖｃが第２既定値以下であれば開放故障
２）負荷側バイパスＦＥＴ３３の開放故障を判断する場合
２−１）主電源側バイパスＦＥＴ３１をオン、蓄電部側ＦＥＴ３７をオフにした状態で、負荷１５の電圧Ｖａが第３既定値以下であれば開放故障
２−２）充電回路１９が蓄電部２１を充電中、または充電後に、主電源側バイパスＦＥＴ３１をオフにし、負荷側バイパスＦＥＴ３３と蓄電部側ＦＥＴ３７をオンにした状態で、主電源側バイパスＦＥＴ３１と負荷側バイパスＦＥＴ３３の接続点の電圧Ｖｃが第４既定値以下であれば開放故障
３）蓄電部側ＦＥＴ３７の開放故障を判断する場合
３−１）充電回路１９が蓄電部２１を充電中、または充電後に、蓄電部側ＦＥＴ３７をオンにした状態で、蓄電部側ＦＥＴ３７と負荷側ダイオード４３の接続点の電圧Ｖｄが第５既定値以下であれば開放故障
４）負荷側ダイオード４３の開放故障を判断する場合
４−１）充電回路１９が蓄電部２１を充電中、または充電後に、主電源側バイパスＦＥＴ３１と負荷側バイパスＦＥＴ３３をオフにし、蓄電部側ＦＥＴ３７をオンにした状態で、負荷１５の電圧Ｖａが第６既定値以下であれば開放故障
５）主電源側バイパスＦＥＴ３１の短絡故障を判断する場合
５−１）主電源側バイパスＦＥＴ３１と負荷側バイパスＦＥＴ３３をオフにした状態で、主電源側バイパスＦＥＴ３１と負荷側バイパスＦＥＴ３３の接続点の電圧Ｖｃが第８既定値以上であれば短絡故障
５−２）主電源側バイパスＦＥＴ３１と蓄電部側ＦＥＴ３７をオフにした状態で、主電源側バイパスＦＥＴ３１と負荷側バイパスＦＥＴ３３の接続点の電圧Ｖｃが第８既定値以上であれば短絡故障
６）負荷側バイパスＦＥＴ３３の短絡故障を判断する場合
６−１）充電回路１９が蓄電部２１を充電中、または充電後に、主電源側バイパスＦＥＴ３１と負荷側バイパスＦＥＴ３３をオフにし、蓄電部側ＦＥＴ３７をオンにした状態で、主電源側バイパスＦＥＴ３１と負荷側バイパスＦＥＴ３３の接続点の電圧Ｖｃが第９既定値以上であれば短絡故障
７）蓄電部側ＦＥＴ３７の短絡故障を判断する場合
７−１）充電回路１９が蓄電部２１を充電中、または充電後に、蓄電部側ＦＥＴ３７をオフにした状態で、蓄電部側ＦＥＴ３７と負荷側ダイオード４３の接続点の電圧Ｖｄが第１０既定値以上であれば短絡故障
８）負荷側ダイオード４３の短絡故障を判断する場合
８−１）主電源側バイパスＦＥＴ３１をオンにし、蓄電部側ＦＥＴ３７をオフにした状態で、蓄電部側ＦＥＴ３７と負荷側ダイオード４３の接続点の電圧Ｖｄが第１１既定値以上であれば短絡故障
なお、上記した第１既定値から第１１既定値は実施の形態３で述べたように、故障判断時の蓄電部２１の充電状態や各ＦＥＴの特性バラツキ等を考慮して適宜決定すればよい。また、本実施の形態７においても第１既定値から第７既定値はＶｍｉｎとし、第８既定値から第１１既定値はＶｎとした。また、実施の形態６で説明した第１既定値から第６既定値は、本実施の形態７で述べた第１既定値から第６既定値とは異なる。
【０１５１】
上記のような条件の組み合わせの内、最適な故障判断動作例について図１１により説明する。なお、図１１の各グラフの内容は図１０のものと同じである。
【０１５２】
まず、時間ｔ０で、制御部２９は主電源側バイパスＦＥＴ３１と負荷側バイパスＦＥＴ３３をオンに、蓄電部側ＦＥＴ３７をオフにする。この状態は図１０の時間ｔ０と同じ状態であるので、電圧検出回路２７で検出した負荷１５の電圧Ｖａが第１既定値（Ｖｍｉｎ）以下であるか、または第３既定値（Ｖｍｉｎ）以下であれば、主電源側バイパスＦＥＴ３１か、または負荷側バイパスＦＥＴ３３が開放故障していると判断する。
【０１５３】
主電源側バイパスＦＥＴ３１と負荷側バイパスＦＥＴ３３が開放故障していなければ、制御部２９は時間ｔ１で蓄電部２１を充電する。この際、蓄電部２１の電圧Ｖｔが主電源１３の電圧Ｖｂと充電回路１９の充電精度内で一致するように充電を行っている。従って、充電後の時間ｔ２では蓄電部２１の電圧Ｖｔは、図１１に示すように主電源１３の電圧Ｖｂとほぼ等しくなる。
【０１５４】
次に、蓄電部２１の充電後である時間ｔ２で、制御部２９は主電源側バイパスＦＥＴ３１と負荷側バイパスＦＥＴ３３をオンにし、蓄電部側ＦＥＴ３７をオフにする。この状態は前記した時間ｔ０と同じであるので、本実施の形態７では制御部２９は時間ｔ２で各ＦＥＴのオンオフ制御を行わなくてもよい。
【０１５５】
上記各ＦＥＴの状態は、図１０の時間ｔ３からｔ４と同じであるので、実施の形態６と同様に、電圧検出回路２７により検出した蓄電部側ＦＥＴ３７と負荷側ダイオード４３の接続点の電圧Ｖｄが第１０既定値（Ｖｎ）以上であるか、または第１１既定値（Ｖｎ）以上であれば、蓄電部側ＦＥＴ３７か、または負荷側ダイオード４３が短絡故障していると判断する。
【０１５６】
次に、制御部２９は時間ｔ３で電圧検出回路２７より主電源１３の電圧Ｖｂを、充電回路１９より蓄電部２１の電圧Ｖｔをそれぞれ読み込む。ここで、主電源１３の電圧Ｖｂが蓄電部２１の電圧Ｖｔと電圧降下ΔＶの差（＝Ｖｔ−ΔＶ）以上であるか否かを判断する。なお、本実施の形態７において、電圧降下ΔＶは寄生ダイオード３５によるものと、負荷側ダイオード４３によるものの両方を指し、電圧降下ΔＶは全て等しいものとする。もし、電圧Ｖｂが前記差よりも小さければ、時間ｔ３で各ＦＥＴを制御した時に、蓄電部２１から主電源１３に電流が逆流することになるので、これを避けるために前記判断を行っている。
【０１５７】
制御部２９は、電圧Ｖｂが前記電圧差（Ｖｔ−ΔＶ）以上であることを判断すると、主電源側バイパスＦＥＴ３１、負荷側バイパスＦＥＴ３３、および蓄電部側ＦＥＴ３７をオンにする。但し、図１１の時間ｔ２からｔ３ではすでに主電源側バイパスＦＥＴ３１と負荷側バイパスＦＥＴ３３がオンであるので、本実施の形態７では蓄電部側ＦＥＴ３７をオンにするだけでよい。これにより、蓄電部側ＦＥＴ３７が正常であれば蓄電部側ＦＥＴ３７と負荷側ダイオード４３の接続点の電圧Ｖｄは蓄電部２１の電圧Ｖｔまで上昇する。従って、電圧検出回路２７により検出した蓄電部側ＦＥＴ３７と負荷側ダイオード４３の接続点の電圧Ｖｄが第５既定値（Ｖｍｉｎ）以下であれば蓄電部側ＦＥＴ３７が開放故障していると判断する。
【０１５８】
次に、制御部２９は時間ｔ４で電圧検出回路２７より主電源１３の電圧Ｖｂを、充電回路１９より蓄電部２１の電圧Ｖｔをそれぞれ読み込む。ここで、主電源１３の電圧Ｖｂが、蓄電部２１の電圧Ｖｔと、寄生ダイオード３５および負荷側ダイオード４３による電圧降下（ΔＶ×２）の差（＝Ｖｔ−ΔＶ×２）以上であるか否かを判断する。もし、前記主電源１３の電圧Ｖｂが、蓄電部２１の電圧Ｖｔと、寄生ダイオード３５および負荷側ダイオード４３による電圧降下（ΔＶ×２）の差（＝Ｖｔ−ΔＶ×２）よりも小さければ、時間ｔ４で各ＦＥＴを制御した時に、負荷側バイパスＦＥＴ３３が短絡故障していれば、主電源１３から蓄電部２１に電流が急峻に流れることになるので、これを避けるために前記判断を行っている。制御部２９は、前記主電源１３の電圧Ｖｂが、蓄電部２１の電圧Ｖｔと、寄生ダイオード３５および負荷側ダイオード４３による電圧降下（ΔＶ×２）の差（＝Ｖｔ−ΔＶ×２）以上であることを判断すると、主電源側バイパスＦＥＴ３１と負荷側バイパスＦＥＴ３３をオフにし、蓄電部側ＦＥＴ３７をオンにする。但し、図１１の時間ｔ３からｔ４ではすでに蓄電部側ＦＥＴ３７がオンであるので、本実施の形態７では、主電源側バイパスＦＥＴ３１と負荷側バイパスＦＥＴ３３をオフにするだけでよい。これにより、負荷側ダイオード４３が正常であれば蓄電部側ＦＥＴ３７と負荷側ダイオード４３の接続点の電圧Ｖｄは蓄電部２１の電圧Ｖｔとほぼ等しくなる。従って、電圧検出回路２７により検出した負荷１５の電圧Ｖａが第６既定値（Ｖｍｉｎ）以下であれば負荷側ダイオード４３が開放故障していると判断する。
【０１５９】
次に、制御部２９は上記判断に引き続き、主電源側バイパスＦＥＴ３１と負荷側バイパスＦＥＴ３３の短絡故障判断を行う。この際、まず電圧検出回路２７より主電源１３の電圧Ｖｂを、充電回路１９より蓄電部２１の電圧Ｖｔをそれぞれ読み込んで、主電源１３の電圧Ｖｂが、蓄電部２１の電圧Ｖｔと、寄生ダイオード３５および負荷側ダイオード４３による電圧降下（ΔＶ×２）の差（＝Ｖｔ−ΔＶ×２）以上であるか否かを判断するのであるが、これはすでに時間ｔ４で判断済みである。さらに、制御部２９は、前記主電源１３の電圧Ｖｂが、蓄電部２１の電圧Ｖｔと寄生ダイオード３５と負荷側ダイオード４３による電圧降下（ΔＶ×２）の差（＝Ｖｔ−ΔＶ×２）以上であることを判断すると、主電源側バイパスＦＥＴ３１と負荷側バイパスＦＥＴ３３をオフにし、蓄電部側ＦＥＴ３７をオンにするのであるが、これもすでにその状態になっているので、引き続き以下の判断動作を行う。すなわち、主電源側バイパスＦＥＴ３１と負荷側バイパスＦＥＴ３３がオフなので、これらのＦＥＴが正常ならば電圧検出回路２７により検出した主電源側バイパスＦＥＴ３１と負荷側バイパスＦＥＴ３３の接続点の電圧Ｖｃは電圧検出回路２７により０Ｖ近傍になる。これがもし第８既定値（Ｖｎ）以上であるか、または第９既定値（Ｖｎ）以上であれば、主電源側バイパスＦＥＴ３１か、または負荷側バイパスＦＥＴ３３が短絡故障していると判断する。なお、時間ｔ４からｔ５の負荷１５の電圧Ｖａは、蓄電部側ＦＥＴ３７がオンであるので、蓄電部２１の電圧Ｖｔから負荷側ダイオード４３の電圧降下ΔＶだけ低い電圧（＝Ｖｔ−ΔＶ）となる。
【０１６０】
以上で故障判断が終了したので、時間ｔ５で主電源バイパスＦＥＴ３１と負荷側バイパスＦＥＴ３３をオンに、蓄電部側ＦＥＴ３７をオフにした後、通常動作状態とする。
【０１６１】
このように故障判断動作を行うことで、３つのＦＥＴと負荷側ダイオード４３の開放故障、および短絡故障を判断することができる上に、図１１より明らかなように、負荷１５の電圧Ｖａは故障判断を行っても、時間ｔ４からｔ５で僅かに電圧値が上がるものの、図１０と比較して全体的にほとんど変動しないことがわかる。従って、故障判断時に実施の形態６よりも安定した電圧を負荷１５に供給することができる。さらに、時間ｔ５までで故障判断が終了するので、実施の形態６よりも早く故障判断を行うことができる。
【０１６２】
以上の構成、動作により、主電源側バイパスＦＥＴ３１、負荷側バイパスＦＥＴ３３、および蓄電部側ＦＥＴ３７を限定された条件内で任意にオンオフ制御することにより、負荷１５に供給する電圧変動を低減した状態で、負荷１５の電圧Ｖａ、主電源側バイパスＦＥＴ３１と負荷側バイパスＦＥＴ３３の接続点の電圧Ｖｃ、蓄電部側ＦＥＴ３７と負荷側ダイオード４３の接続点の電圧Ｖｄから、３つのＦＥＴと負荷側ダイオード４３の短絡、および開放故障を高速に判断できるので、さらに高信頼な蓄電装置を実現できた。
【０１６３】
なお、本実施の形態７においても実施の形態２と同様に、制御部２９が車両始動後に主電源側バイパスＦＥＴ３１、または負荷側バイパスＦＥＴ３３の開放故障を判断した後、蓄電部２１の充電後に残りの故障判断を行うとともに、主電源側バイパスＦＥＴ３１の短絡故障を判断する時（時間ｔ４からｔ５）は、主電源側バイパスＦＥＴ３１と負荷側バイパスＦＥＴ３３をオフにし、蓄電部側ＦＥＴ３７をオンにするように制御することにより、負荷１５への電力供給を断つことなく３つのＦＥＴと負荷側ダイオード４３の故障判断を行うことができる。
【０１６４】
また、実施の形態１と同様に、上記故障判断を車両の使用後に行ってもよい。この場合の外部制御回路とのやり取り等の動作は実施の形態１と全く同じである。
【０１６５】
（実施の形態８）
図１２は、本発明の実施の形態８における蓄電装置のブロック回路図である。図１３は、本発明の実施の形態８における蓄電装置の故障判断時のタイミングチャートと電圧経時特性図である。なお、図１２の太線と細線の意味は図１と同じである。また、図１３の電圧経時特性図におけるカッコつきの記号の意味も図２と同じである。
【０１６６】
図１２における本実施の形態８の構成で、図６、図９の構成と同じものには同じ番号を付して詳細な説明を省略する。すなわち、本実施の形態８は実施の形態２の構成に比べ以下の点が異なる。
【０１６７】
１）負荷側バイパスＦＥＴ３３に替わって、主電源側バイパスＦＥＴ３１にアノードを負荷１５にカソードを接続した負荷側バイパスダイオード４１を設けた。従って、主電源側バイパスＦＥＴ３１と負荷側バイパスダイオード４１は直列接続される。
【０１６８】
２）負荷側ＦＥＴ３９に替わって、蓄電部側ＦＥＴ３７にアノードを負荷１５にカソードを接続した負荷側ダイオード４３を設けた。従って、蓄電部側ＦＥＴ３７と負荷側ダイオード４３は直列接続される。
【０１６９】
３）制御部２９は主電源側バイパスＦＥＴ３１、および蓄電部側ＦＥＴ３７の２つのＦＥＴを独立してオンオフ制御するためにオンオフ信号Ｆｏｆ１、およびＦｏｆ３をそれぞれ送信する構成とした。
【０１７０】
このように負荷側バイパスダイオード４１と負荷側ダイオード４３の２つのダイオードを設けることにより、負荷側バイパスＦＥＴ３３と負荷側ＦＥＴ３９、およびそれらの制御が不要になるので、実施の形態２〜４に比べ簡単な構成となる。
【０１７１】
次に、このような蓄電装置１１の動作について説明する。基本動作については実施の形態２とほぼ同じであるが、主電源１３から負荷１５への直接電力供給のオンオフ制御は主電源側バイパスＦＥＴ３１のみをオンオフすればよく、また蓄電部２１から負荷１５への電力供給のオンオフ制御は蓄電部側ＦＥＴ３７のみをオンオフすればよい。
【０１７２】
次に、切替回路部分である２つのＦＥＴと２つのダイオードの故障判断動作について図１３を参照しながら説明する。図１３において、横軸は時間を、縦軸は上から順に蓄電部２１の電圧Ｖｔ、負荷１５の電圧Ｖａ、主電源１３の電圧Ｖｂ、主電源側バイパスＦＥＴ３１と負荷側バイパスダイオード４１の接続点の電圧Ｖｃ、および蓄電部側ＦＥＴ３７と負荷側ダイオード４３の接続点の電圧Ｖｄを示す。また、下の２つのグラフはそれぞれ２つのＦＥＴのタイミングチャートである。
【０１７３】
時間ｔ０で、制御部２９は主電源側バイパスＦＥＴ３１をオンに、蓄電部側ＦＥＴ３７をオフにする。これにより、負荷１５に主電源１３の電力が供給される。なお、主電源側バイパスＦＥＴ３１のオンオフ設定を、ノーマリーオンとし、蓄電部側ＦＥＴ３７のオンオフ設定を、ノーマリーオフとすれば、起動時から主電源側バイパスＦＥＴ３１をオンに、蓄電部側ＦＥＴ３７をオフにしておくことができる。
【０１７４】
この状態で電圧検出回路２７により負荷１５の電圧Ｖａを検出する。主電源側バイパスＦＥＴ３１と負荷側バイパスダイオード４１が正常であれば、電圧Ｖａは主電源１３の電圧Ｖｂから負荷側バイパスダイオード４１の電圧降下ΔＶを差し引いた値（Ｖｂ−ΔＶ）と等しくなる。従って、もし負荷１５の電圧Ｖａが第１既定値（本実施の形態８においても負荷駆動最低電圧Ｖｍｉｎとした）以下であれば主電源側バイパスＦＥＴ３１、または負荷側バイパスダイオード４１が開放故障していると判断する。
【０１７５】
主電源側バイパスＦＥＴ３１と負荷側バイパスダイオード４１が開放故障していなければ、制御部２９は時間ｔ１で蓄電部２１を充電する。充電後の時間ｔ２で制御部２９は主電源側バイパスＦＥＴ３１をオフにし、蓄電部側ＦＥＴ３７をオンにする。これにより、負荷１５へは蓄電部２１の電力が供給される。但し、負荷側ダイオード４３を経由するので、電圧Ｖａは蓄電部２１の電圧Ｖｔより負荷側ダイオード４３の電圧降下ΔＶだけ低くなるが、負荷１５を駆動し続けることはできる。この状態で主電源側バイパスＦＥＴ３１が正常にオフならば電圧検出回路２７により検出した主電源側バイパスＦＥＴ３１と負荷側バイパスダイオード４１の接続点の電圧Ｖｃは０Ｖ近傍になる。これがもし第２既定値（ここでもＶｎとした）以上であれば主電源側バイパスＦＥＴ３１が短絡故障していると判断する。なお、この故障判断は蓄電部側ＦＥＴ３７をオフにしても可能であるが、この場合は故障判断中に負荷１５への電力供給が断たれる。また、この故障判断は蓄電部２１の充電後に行っているが、これは故障判断中に蓄電部２１の電力を負荷１５に供給し続けるためである。負荷１５への電力供給が断たれてもよい場合は蓄電部２１の充電前に上記故障判断を行ってもよい。
【０１７６】
次に時間ｔ３で制御部２９は主電源側バイパスＦＥＴ３１をオンにし、蓄電部側ＦＥＴ３７をオフにする。これにより、負荷１５へは再び主電源１３の電力が供給される。この時、蓄電部２１は充電された状態なので、蓄電部側ＦＥＴ３７が正常にオフ状態であり、負荷側ダイオード４３が正常であれば、両者の接続点の電圧Ｖｄは０Ｖ近傍になるが、蓄電部側ＦＥＴ３７が短絡故障をしていれば電圧Ｖｄは蓄電部２１の電圧Ｖｔに、負荷側ダイオード４３が短絡故障をしていれば電圧Ｖｄは負荷１５の電圧Ｖａになる。従って、上記した２つのＦＥＴの状態で電圧検出回路２７により検出した蓄電部側ＦＥＴ３７と負荷側ダイオード４３の接続点の電圧Ｖｄが第３既定値（Ｖｎ）以上であれば蓄電部側ＦＥＴ３７、または負荷側ダイオード４３が短絡故障していると判断する。
【０１７７】
次に時間ｔ４で制御部２９は蓄電部側ＦＥＴ３７をオンにする。これにより、蓄電部側ＦＥＴ３７が正常であれば蓄電部側ＦＥＴ３７と負荷側ダイオード４３の接続点の電圧Ｖｄは蓄電部２１の電圧Ｖｔまで上昇する。従って、電圧検出回路２７により検出した蓄電部側ＦＥＴ３７と負荷側ダイオード４３の接続点の電圧Ｖｄが第４既定値（ここでもＶｍｉｎとした）以下であれば蓄電部側ＦＥＴ３７が開放故障していると判断する。
【０１７８】
次に時間ｔ５で制御部２９は主電源側バイパスＦＥＴ３１をオフにする。この時、時間ｔ４からｔ５で蓄電部側ＦＥＴ３７がオンであるので、負荷１５には蓄電部２１の電力が供給される。但し、負荷側ダイオード４３を経由するので、負荷側ダイオード４３の電圧降下ΔＶが起こり、負荷１５の電圧ＶａはＶｔ−ΔＶとなる。この状態では、主電源側バイパスＦＥＴ３１が正常にオフになっており、負荷側バイパスダイオード４１が正常であれば両者の接続点の電圧Ｖｃは０Ｖ近傍になる。従って、電圧検出回路２７により検出した主電源側バイパスＦＥＴ３１と負荷側バイパスダイオード４１の接続点の電圧Ｖｃが第５既定値（Ｖｎ）以上であれば負荷１５の電圧Ｖａが前記接続点に回り込んでいることになるので、負荷側バイパスダイオード４１が短絡故障していると判断する。なお、この短絡故障は主電源側バイパスＦＥＴ３１をオフにして、蓄電部側ＦＥＴ３７をオンにする必要がある。また、上記故障判断を行う時の２つのＦＥＴの状態は時間ｔ２からｔ３の場合と全く同じであるので、実施の形態２で述べたように両者の故障判断を同時に行ってもよい。この場合、電圧Ｖｃが第２既定値（＝第５既定値＝Ｖｎ）以上であれば主電源側バイパスＦＥＴ３１、または負荷側バイパスダイオード４１が短絡故障していると判断する。但し、時間ｔ２からｔ３の故障判断を蓄電部２１の充電前に行う場合は、主電源側バイパスＦＥＴ３１と負荷側バイパスダイオード４１の短絡故障を別々に行う必要がある。
【０１７９】
また、時間ｔ５からｔ６の状態では負荷１５には蓄電部２１の電力が供給されている。従って、これまでの故障判断の結果、時間ｔ５からｔ６では蓄電部側ＦＥＴ３７が正常であるので、負荷側ダイオード４３が正常であれば負荷１５の電圧ＶａはＶｔ−ΔＶとなる。従って、制御部２９は電圧検出回路２７により検出した負荷１５の電圧Ｖａが第６既定値（ここでもＶｍｉｎとした）以下であれば負荷側ダイオード４３が開放故障していると判断する。
【０１８０】
これらのことから、時間ｔ５からｔ６では負荷側バイパスダイオード４１の短絡故障と負荷側ダイオード４３の開放故障を同時に判断する。さらに、前記したように時間ｔ２からｔ３の故障判断も同時に行うことができるので、より短時間で故障判断を行うことができる。
【０１８１】
以上で故障判断が終了したので、時間ｔ６で主電源バイパスＦＥＴ３１をオンに、蓄電部側ＦＥＴ３７をオフにした後、通常動作状態とする。
【０１８２】
以上の構成、動作により、切替回路部分である主電源側バイパスＦＥＴ３１、および蓄電部側ＦＥＴ３７をオンオフ制御した時の負荷の電圧Ｖａ、主電源側バイパスＦＥＴ３１と負荷側バイパスダイオード４１の接続点の電圧Ｖｃ、蓄電部側ＦＥＴ３７と負荷側ダイオード４３の接続点の電圧Ｖｄから、前記２つのＦＥＴと前記２つのダイオードの短絡、および開放故障を判断できるので、高信頼な蓄電装置を実現できた。
【０１８３】
なお、本実施の形態８で説明したように、制御部２９が車両始動後に主電源側バイパスＦＥＴ３１、または負荷側バイパスダイオード４１の開放故障を判断した後、蓄電部２１の充電後に残りの故障判断を行うとともに、主電源側バイパスＦＥＴ３１の短絡故障を判断する時は、蓄電部側ＦＥＴ３７をオンにするように制御することにより、負荷１５への電力供給を断つことなく２つのＦＥＴと２つのダイオードの故障判断を行うことができる。
【０１８４】
また、実施の形態１と同様に、上記故障判断を車両の使用後に行ってもよい。この場合の外部制御回路とのやり取り等の動作は実施の形態１と全く同じである。
【０１８５】
（実施の形態９）
図１４は、本発明の実施の形態９における蓄電装置の故障判断時のタイミングチャートと電圧経時特性図である。なお、図１４の電圧経時特性図におけるカッコつきの記号の意味は図２と同じである。
【０１８６】
本実施の形態９における蓄電装置１１の構成は図１２と同じであるので、構成上の説明を省略し、本実施の形態９の特徴となる故障判断方法について述べる。
【０１８７】
主電源側バイパスＦＥＴ３１、負荷側バイパスダイオード４１、蓄電部側ＦＥＴ３７、および負荷側ダイオード４３の故障判断は、前記した実施の形態８における方法も含め、以下の条件の組み合わせで行うことができる。なお、特に記載していないＦＥＴはオンでもオフでもよい。また、複数の条件が記載されている場合はいずれかの条件を用いればよい。
【０１８８】
１）主電源側バイパスＦＥＴ３１の開放故障を判断する場合
１−１）主電源側バイパスＦＥＴ３１をオン、蓄電部側ＦＥＴ３７をオフにした状態で、負荷１５の電圧Ｖａが第１既定値以下、または主電源側バイパスＦＥＴ３１をオンにした状態で、主電源側バイパスＦＥＴ３１と負荷側バイパスダイオード４１の接続点の電圧Ｖｃが第２既定値以下であれば開放故障
２）負荷側バイパスダイオード４１の開放故障を判断する場合
２−１）主電源側バイパスＦＥＴ３１をオン、蓄電部側ＦＥＴ３７をオフにした状態で、負荷１５の電圧Ｖａが第３既定値以下であれば開放故障
３）蓄電部側ＦＥＴ３７の開放故障を判断する場合
３−１）充電回路１９が蓄電部２１を充電中、または充電後に、蓄電部側ＦＥＴ３７をオンにした状態で、蓄電部側ＦＥＴ３７と負荷側ダイオード４３の接続点の電圧Ｖｄが第５既定値以下であれば開放故障
４）負荷側ダイオード４３の開放故障を判断する場合
４−１）充電回路１９が蓄電部２１を充電中、または充電後に、主電源側バイパスＦＥＴ３１をオフにし、蓄電部側ＦＥＴ３７をオンにした状態で、負荷１５の電圧Ｖａが第６既定値以下であれば開放故障
５）主電源側バイパスＦＥＴ３１の短絡故障を判断する場合
５−１）主電源側バイパスＦＥＴ３１をオフにした状態で、主電源側バイパスＦＥＴ３１と負荷側バイパスダイオード４１の接続点の電圧Ｖｃが第８既定値以上であれば短絡故障
６）負荷側バイパスダイオード４１の短絡故障を判断する場合
６−１）充電回路１９が蓄電部２１を充電中、または充電後に、主電源側バイパスＦＥＴ３１をオフにし、蓄電部側ＦＥＴ３７をオンにした状態で、主電源側バイパスＦＥＴ３１と負荷側バイパスダイオード４１の接続点の電圧Ｖｃが第９既定値以上であれば短絡故障
７）蓄電部側ＦＥＴ３７の短絡故障を判断する場合
７−１）充電回路１９が蓄電部２１を充電中、または充電後に、蓄電部側ＦＥＴ３７をオフにした状態で、蓄電部側ＦＥＴ３７と負荷側ダイオード４３の接続点の電圧Ｖｄが第１０既定値以上であれば短絡故障
８）負荷側ダイオード４３の短絡故障を判断する場合
８−１）主電源側バイパスＦＥＴ３１をオンにし、蓄電部側ＦＥＴ３７をオフにした状態で、蓄電部側ＦＥＴ３７と負荷側ダイオード４３の接続点の電圧Ｖｄが第１１既定値以上であれば短絡故障
なお、上記した第１既定値から第１１既定値は実施の形態３で述べたように、故障判断時の蓄電部２１の充電状態や各ＦＥＴの特性バラツキ等を考慮して適宜決定すればよい。また、本実施の形態９においても第１既定値から第７既定値はＶｍｉｎとし、第８既定値から第１１既定値はＶｎとした。また、実施の形態８で説明した第１既定値から第６既定値は、本実施の形態９で述べた第１既定値から第６既定値とは異なる。
【０１８９】
上記のような条件の組み合わせの内、最適な故障判断動作例について図１４により説明する。なお、図１４の各グラフの内容は図１３のものと同じである。
【０１９０】
まず、時間ｔ０で、制御部２９は主電源側バイパスＦＥＴ３１をオンに、蓄電部側ＦＥＴ３７をオフにする。この状態は図１３の時間ｔ０と同じ状態であるので、電圧検出回路２７で検出した負荷１５の電圧Ｖａが第１既定値（Ｖｍｉｎ）以下であるか、または第３既定値（Ｖｍｉｎ）以下であれば、主電源側バイパスＦＥＴ３１か、または負荷側バイパスダイオード４１が開放故障していると判断する。
【０１９１】
主電源側バイパスＦＥＴ３１と負荷側バイパスダイオード４１が開放故障していなければ、制御部２９は時間ｔ１で蓄電部２１を充電する。この際、蓄電部２１の電圧Ｖｔが主電源１３の電圧Ｖｂと充電回路１９の充電精度内で一致するように充電を行っている。従って、充電後の時間ｔ２では蓄電部２１の電圧Ｖｔは、図１４に示すように主電源１３の電圧Ｖｂとほぼ等しくなる。
【０１９２】
次に、蓄電部２１の充電後である時間ｔ２で、制御部２９は主電源側バイパスＦＥＴ３１をオンにし、蓄電部側ＦＥＴ３７をオフにする。この状態は前記した時間ｔ０と同じであるので、本実施の形態９では制御部２９は時間ｔ２で各ＦＥＴのオンオフ制御を行わなくてもよい。
【０１９３】
上記各ＦＥＴの状態は、図１３の時間ｔ３からｔ４と同じであるので、実施の形態８と同様に、電圧検出回路２７により検出した蓄電部側ＦＥＴ３７と負荷側ダイオード４３の接続点の電圧Ｖｄが第１０既定値（Ｖｎ）以上であるか、または第１１既定値（Ｖｎ）以上であれば、蓄電部側ＦＥＴ３７か、または負荷側ダイオード４３が短絡故障していると判断する。
【０１９４】
次に、制御部２９は時間ｔ３で主電源側バイパスＦＥＴ３１と蓄電部側ＦＥＴ３７をオンにする。但し、図１４の時間ｔ２からｔ３ではすでに主電源側バイパスＦＥＴ３１がオンであるので、本実施の形態９では蓄電部側ＦＥＴ３７をオンにするだけでよい。これにより、蓄電部側ＦＥＴ３７が正常であれば蓄電部側ＦＥＴ３７と負荷側ダイオード４３の接続点の電圧Ｖｄは蓄電部２１の電圧Ｖｔまで上昇する。従って、電圧検出回路２７により検出した蓄電部側ＦＥＴ３７と負荷側ダイオード４３の接続点の電圧Ｖｄが第５既定値（Ｖｍｉｎ）以下であれば蓄電部側ＦＥＴ３７が開放故障していると判断する。
【０１９５】
次に、制御部２９は時間ｔ４で電圧検出回路２７より主電源１３の電圧Ｖｂを、充電回路１９より蓄電部２１の電圧Ｖｔをそれぞれ読み込む。ここで、主電源１３の電圧Ｖｂが、蓄電部２１の電圧Ｖｔと、寄生ダイオード３５および負荷側ダイオード４３による電圧降下（ΔＶ×２）の差（＝Ｖｔ−ΔＶ×２）以上であるか否かを判断する。もし、前記主電源１３の電圧Ｖｂが、蓄電部２１の電圧Ｖｔと、寄生ダイオード３５および負荷側ダイオード４３による電圧降下（ΔＶ×２）の差（＝Ｖｔ−ΔＶ×２）よりも小さければ、時間ｔ４で各ＦＥＴを制御した時に、負荷側バイパスＦＥＴ３３が短絡故障していれば、主電源１３から蓄電部２１に電流が急峻に流れることになるので、これを避けるために前記判断を行っている。制御部２９は、前記主電源１３の電圧Ｖｂが、蓄電部２１の電圧Ｖｔと、寄生ダイオード３５および負荷側ダイオード４３による電圧降下（ΔＶ×２）の差（＝Ｖｔ−ΔＶ×２）以上であることを判断すると、主電源側バイパスＦＥＴ３１をオフにし、蓄電部側ＦＥＴ３７をオンにする。但し、図１４の時間ｔ３からｔ４ではすでに蓄電部側ＦＥＴ３７がオンであるので、本実施の形態９では、主電源側バイパスＦＥＴ３１をオフにするだけでよい。これにより、負荷側ダイオード４３が正常であれば蓄電部側ＦＥＴ３７と負荷側ダイオード４３の接続点の電圧Ｖｄは蓄電部２１の電圧Ｖｔとほぼ等しくなる。従って、電圧検出回路２７により検出した負荷１５の電圧Ｖａが第６既定値（Ｖｍｉｎ）以下であれば負荷側ダイオード４３が開放故障していると判断する。
【０１９６】
次に、制御部２９は上記判断に引き続き、主電源側バイパスＦＥＴ３１と負荷側バイパスダイオード４１の短絡故障判断を行う。この際、まず電圧検出回路２７より主電源１３の電圧Ｖｂを、充電回路１９より蓄電部２１の電圧Ｖｔをそれぞれ読み込んで、主電源１３の電圧Ｖｂが、蓄電部２１の電圧Ｖｔと、寄生ダイオード３５および負荷側ダイオード４３による電圧降下（ΔＶ×２）の差（＝Ｖｔ−ΔＶ×２）以上であるか否かを判断するのであるが、これはすでに時間ｔ４で判断済みである。さらに、制御部２９は、前記主電源１３の電圧Ｖｂが、蓄電部２１の電圧Ｖｔと、寄生ダイオード３５および負荷側ダイオード４３による電圧降下（ΔＶ×２）の差（＝Ｖｔ−ΔＶ×２）以上であることを判断すると、主電源側バイパスＦＥＴ３１をオフにし、蓄電部側ＦＥＴ３７をオンにするのであるが、これもすでにその状態になっているので、引き続き以下の判断動作を行う。すなわち、主電源側バイパスＦＥＴ３１がオフなので、これが正常ならば電圧検出回路２７により検出した主電源側バイパスＦＥＴ３１と負荷側バイパスダイオード４１の接続点の電圧Ｖｃは電圧検出回路２７により０Ｖ近傍になる。これがもし第８既定値（Ｖｎ）以上であるか、または第９既定値（Ｖｎ）以上であれば、主電源側バイパスＦＥＴ３１か、または負荷側バイパスダイオード４１が短絡故障していると判断する。なお、時間ｔ４からｔ５の負荷１５の電圧Ｖａは、蓄電部側ＦＥＴ３７がオンであるので、蓄電部２１の電圧Ｖｔから負荷側ダイオード４３の電圧降下ΔＶだけ低い電圧（＝Ｖｔ−ΔＶ）となる。この電圧は、主電源１３の電圧Ｖｂと蓄電部２１の電圧Ｖｔがほぼ等しくなるように充電していることから、時間ｔ４以前の電圧（＝Ｖｂ−ΔＶ）とほぼ等しくなる。
【０１９７】
以上で故障判断が終了したので、時間ｔ５で主電源バイパスＦＥＴ３１をオンに、蓄電部側ＦＥＴ３７をオフにした後、通常動作状態とする。
【０１９８】
このように故障判断動作を行うことで、２つのＦＥＴと２つのダイオードの開放故障、および短絡故障を判断することができる上に、図１４より明らかなように、負荷１５の電圧Ｖａは図１３と比較して、故障判断を行ってもほとんど変動しないことがわかる。従って、故障判断時に実施の形態８よりも安定した電圧を負荷１５に供給することができる。さらに、時間ｔ５までで故障判断が終了するので、実施の形態８よりも早く故障判断を行うことができる。
【０１９９】
以上の構成、動作により、主電源側バイパスＦＥＴ３１と蓄電部側ＦＥＴ３７を限定された条件内で任意にオンオフ制御することにより、負荷１５に供給する電圧変動を低減した状態で、負荷１５の電圧Ｖａ、主電源側バイパスＦＥＴ３１と負荷側バイパスダイオード４１の接続点の電圧Ｖｃ、蓄電部側ＦＥＴ３７と負荷側ダイオード４３の接続点の電圧Ｖｄから、２つのＦＥＴと２つのダイオードの短絡、および開放故障を高速に判断できるので、さらに高信頼な蓄電装置を実現できた。
【０２００】
なお、本実施の形態９においても実施の形態２と同様に、制御部２９が車両始動後に主電源側バイパスＦＥＴ３１、または負荷側バイパスダイオード４１の開放故障を判断した後、蓄電部２１の充電後に残りの故障判断を行うとともに、主電源側バイパスＦＥＴ３１の短絡故障を判断する時（時間ｔ４からｔ５）は、主電源側バイパスＦＥＴ３１をオフにし、蓄電部側ＦＥＴ３７をオンにするように制御することにより、負荷１５への電力供給を断つことなく２つのＦＥＴと２つのダイオードの故障判断を行うことができる。
【０２０１】
また、実施の形態１と同様に、上記故障判断を車両の使用後に行ってもよい。この場合の外部制御回路とのやり取り等の動作は実施の形態１と全く同じである。
【０２０２】
（実施の形態１０）
図１５は、本発明の実施の形態１０における蓄電装置のブロック回路図である。図１６は、本発明の実施の形態１０における蓄電装置の故障判断時のタイミングチャートと電圧経時特性図である。なお、図１５の太線と細線の意味は図１と同じである。また、図１６の電圧経時特性図におけるカッコつきの記号の意味も図２と同じである。
【０２０３】
図１５における本実施の形態１０の構成で、図３の構成と同じものには同じ番号を付して詳細な説明を省略する。すなわち、本実施の形態１０の特徴は以下の通りである。
【０２０４】
１）主電源用バイパスＦＥＴ３１を廃した。
【０２０５】
２）それに伴い、オンオフ信号Ｆｏｆ１の信号線を廃した。
【０２０６】
３）図３における電圧Ｖｃは図１５の構成では電圧Ｖｂと等しくなるので、電圧Ｖｃを検出するために電圧検出回路２７から接続されていた信号線を廃した。
【０２０７】
このような構成とすることで、実施の形態２に比べ簡単な構成が得られる。
【０２０８】
次に、このような蓄電装置１１の動作について説明する。基本動作については実施の形態２とほぼ同じであるが、主電源１３から負荷１５への直接電力供給のオンオフ制御は負荷側バイパスＦＥＴ３３のみをオンオフすればよい。
【０２０９】
次に、切替回路部分である３つのＦＥＴの故障判断動作について図１６を参照しながら説明する。図１６において、横軸は時間を、縦軸は上から順に蓄電部２１の電圧Ｖｔ、負荷１５の電圧Ｖａ、主電源１３の電圧Ｖｂ、および蓄電部側ＦＥＴ３７と負荷側ＦＥＴ３９の接続点の電圧Ｖｄを示す。また、下の３つのグラフはそれぞれ３つのＦＥＴのタイミングチャートである。
【０２１０】
時間ｔ０で、制御部２９は負荷側バイパスＦＥＴ３３をオンに、蓄電部側ＦＥＴ３７と負荷側ＦＥＴ３９をオフにする。これにより、負荷１５に主電源１３の電力が供給される。なお、負荷側バイパスＦＥＴ３３のオンオフ設定を、ノーマリーオンとし、蓄電部側ＦＥＴ３７と負荷側ＦＥＴ３９のオンオフ設定を、ノーマリーオフとすれば、起動時から負荷側バイパスＦＥＴ３３をオンに、蓄電部側ＦＥＴ３７と負荷側ＦＥＴ３９をオフにしておくことができる。
【０２１１】
この状態で電圧検出回路２７により負荷１５の電圧Ｖａを検出する。負荷側バイパスＦＥＴ３３が正常であれば、電圧Ｖａは主電源１３の電圧Ｖｂと等しくなる。従って、もし負荷１５の電圧Ｖａが第１既定値（本実施の形態１０においても負荷駆動最低電圧Ｖｍｉｎとした）以下であれば負荷側バイパスＦＥＴ３３が開放故障していると判断する。なお、この故障判断は負荷側バイパスＦＥＴ３３がオフであってもよい。但し、この場合は負荷側バイパスＦＥＴ３３の寄生ダイオード３５により電圧降下ΔＶ（≒０．７Ｖ）が起こるので、電圧ＶａはＶｂ−ΔＶとなる。
【０２１２】
負荷側バイパスＦＥＴ３３が開放故障していなければ、制御部２９は時間ｔ１で蓄電部２１を充電する。充電後の時間ｔ２で制御部２９は負荷側バイパスＦＥＴ３３と蓄電部側ＦＥＴ３７をオフにする。この時、すでに負荷側ＦＥＴ３９はオフであるので、全てのＦＥＴがオフになる。この際、主電源１３の電力が負荷側バイパスＦＥＴ３３の寄生ダイオード３５を経由して負荷１５に供給される。従って、電圧Ｖａは主電源１３の電圧Ｖｂより寄生ダイオード３５の電圧降下ΔＶだけ低くなるが、負荷１５を駆動し続けることはできる。この状態では負荷側バイパスＦＥＴ３３がオフなので、正常であれば電圧検出回路２７により検出した主電源１３の電圧Ｖｂ、および負荷１５の電圧Ｖａの差は前記したように理想的にはΔＶとなる。しかし、実施の形態１で述べたようにリーク電流やノイズの影響による電圧値Ｖｎ（＝０．１Ｖ程度）が上乗せされる。従って、制御部２９は電圧Ｖａと電圧Ｖｂの差を求め、もし第２既定値（ここでは上記理由によりΔＶ＋Ｖｎとする）以下であれば負荷側バイパスＦＥＴ３３が短絡故障していると判断する。なお、この故障判断を行っても負荷１５へは主電源１３から電力供給が継続されるので、蓄電部２１の充電前や充電中に故障判断してもよい。
【０２１３】
また、時間ｔ２からｔ３における全てのＦＥＴがオフの状態では、蓄電部側ＦＥＴ３７と負荷側ＦＥＴ３９の接続点の電圧Ｖｄは、これらが正常であれば０Ｖ近傍となる。従って、電圧検出回路２７により検出した蓄電部側ＦＥＴ３７と負荷側ＦＥＴ３９の接続点の電圧Ｖｄが第３既定値（ここでもＶｎとした）以上であれば蓄電部側ＦＥＴ３７、または負荷側ＦＥＴ３９が短絡故障していると判断する。なお、この故障判断では、負荷側バイパスＦＥＴ３３のオンオフ状態はどちらでもよい。
【０２１４】
次に時間ｔ３で制御部２９は蓄電部側ＦＥＴ３７をオンにする。この時、蓄電部２１は充電された状態なので、蓄電部側ＦＥＴ３７と負荷側ＦＥＴ３９が正常であれば、両者の接続点の電圧Ｖｄは蓄電部２１の電圧Ｖｔになる。従って、電圧検出回路２７により検出した蓄電部側ＦＥＴ３７と負荷側ＦＥＴ３９の接続点の電圧Ｖｄが第４既定値（Ｖｍｉｎ）以下なら蓄電部側ＦＥＴ３７が開放故障していると判断する。なお、この故障判断の際に負荷側ＦＥＴ３９がオフに、蓄電部側ＦＥＴ３７がオンになっていれば、負荷側バイパスＦＥＴ３３はオンでもオフでもよい。但し、負荷側バイパスＦＥＴ３３がオフの場合は負荷１５への電力供給が寄生ダイオード３５を介してなされるため、負荷１５の電圧ＶａはＶｂ−ΔＶとなる。
【０２１５】
次に時間ｔ４で制御部２９は、まず負荷１５の電圧Ｖａと蓄電部２１の電圧Ｖｔを取り込み、両者を比較する。この時点では３つのＦＥＴの状態は時間ｔ３からｔ４と同じであるので、負荷側ＦＥＴ３９はオフである。従って、蓄電部２１の電圧Ｖｔは満充電電圧の１２．８Ｖ、負荷１５の電圧ＶａはＶａ＝Ｖｂ−ΔＶ≒１４−０．７＝１３．３Ｖとなる。従って、Ｖａ−Ｖｔ＝０．５Ｖとなる。この電圧差であれば、後述するように負荷側ＦＥＴ３９をオンにしても負荷１５側から蓄電部２１へ突入電流が流れても僅かであり、ＦＥＴへの影響を低減できる。なお、突入電流の観点からＶａ−Ｖｔ≦１Ｖ（第５既定値）であれば問題ない。また、Ｖａ−Ｖｔが負、すなわちＶｔ＞Ｖａの場合は突入電流が流れない。これらのことから、まず制御部２９は現在の負荷１５の電圧Ｖａと蓄電部２１の電圧Ｖｔを比較して、突入電流が僅かしか流れない条件にあるかを判断し、例えば充電初期などで蓄電部２１の電圧Ｖｔが十分高くない時には以後の故障判断を行わず、条件が成立するまで待つ。
【０２１６】
ここでは、前記した通りＶａ−Ｖｔ＝０．５Ｖで第５既定値（１Ｖ）以下であるので、故障判断を行うことができる。そこで、制御部２９は負荷側ＦＥＴ３９をオンにする。これにより、負荷側ＦＥＴ３９が正常であれば、負荷１５の電圧Ｖａ、および蓄電部側ＦＥＴ３７と負荷側ＦＥＴ３９の接続点の電圧Ｖｄがほぼ等しくなる。従って、制御部２９は電圧検出回路２７により検出した負荷１５の電圧Ｖａ、および蓄電部側ＦＥＴ３７と負荷側ＦＥＴ３９の接続点の電圧Ｖｄの差を求め、第６既定値（ここでもリーク電流やノイズの影響を考慮してＶｎ＝０．１Ｖとした）以上であれば負荷側ＦＥＴ３９が開放故障していると判断する。なお、この故障判断は負荷側ＦＥＴ３９がオンであれば、他のＦＥＴはオンでもオフでもよい。
【０２１７】
以上で故障判断が終了したので、時間ｔ５で負荷側バイパスＦＥＴ３３をオンに、蓄電部側ＦＥＴ３７と負荷側ＦＥＴ３９をオフにした後、通常動作状態とする。
【０２１８】
以上の構成、動作により、切替回路部分である負荷側バイパスＦＥＴ３３、蓄電部側ＦＥＴ３７、および負荷側ＦＥＴ３９をオンオフ制御した時の負荷の電圧Ｖａ、主電源１３の電圧Ｖｂ、および蓄電部側ＦＥＴ３７と負荷側ＦＥＴ３９の接続点の電圧Ｖｄから、前記３つのＦＥＴの短絡、および開放故障を判断できるので、高信頼な蓄電装置を実現できた。
【０２１９】
なお、本実施の形態１０で説明したように、制御部２９が車両始動後に負荷側バイパスＦＥＴ３３の開放故障を判断した後、蓄電部２１の充電後に残りの故障判断を行うことにより、負荷１５への電力供給を断つことなく３つのＦＥＴの故障判断を行うことができる。
【０２２０】
また、実施の形態１と同様に、上記故障判断を車両の使用後に行ってもよい。この場合の外部制御回路とのやり取り等の動作は実施の形態１と全く同じである。
【０２２１】
また、負荷側バイパスＦＥＴ３３に替えて、アノードを主電源１３に、カソードを負荷１５に接続した負荷側バイパスダイオードを接続する構成でもよい。この場合、故障判断は上記したものと同じであるが、図１６の負荷側バイパスＦＥＴ３３のタイミングチャートが常時オフの状態になることに相当する。従って、負荷１５の電圧Ｖａは常時Ｖｂ−ΔＶとなる。また、前記負荷側バイパスダイオードの故障判断は次のようにして行う。
【０２２２】
まず、制御部２９は蓄電部側ＦＥＴ３７、および負荷側ＦＥＴ３９をオフにした状態（図１６の時間ｔ０からｔ１）で電圧検出回路２７により負荷１５の電圧Ｖａ、および主電源１３の電圧Ｖｂを検出する。
【０２２３】
次に、負荷１５の電圧Ｖａが上記した第１既定値（Ｖｍｉｎ）以下であれば前記負荷側バイパスダイオードが開放故障していると判断する。同時に、負荷１５の電圧Ｖａと主電源１３の電圧Ｖｂの差を求め、上記した第２既定値（ΔＶ＋Ｖｎ）以下であれば前記負荷側バイパスダイオードが短絡故障していると判断する。
【０２２４】
このような構成とすることで、主電源１３から負荷１５に直接電力を供給する時は負荷側バイパスダイオードの電圧降下ΔＶだけ負荷１５の電圧Ｖａが下がるものの、ＦＥＴを２個にすることができ、簡単な構成の蓄電装置１１が実現できる。
【０２２５】
また、負荷側ＦＥＴ３９に替えて、アノードを蓄電部側ＦＥＴ３７に、カソードを負荷１５に接続した負荷側ダイオードを接続する構成でもよい。この場合、故障判断は基本的に図１６で説明したものと同じであるが、図１６の負荷側ＦＥＴ３９のタイミングチャートが常時オフの状態になることに相当する。従って、時間ｔ４からｔ５の動作がなくなる。この場合の前記負荷側ダイオードの故障判断は次のようにして行う。
【０２２６】
まず、制御部２９は蓄電部側ＦＥＴ３７をオフにした状態（図１６の時間ｔ２からｔ３）で電圧検出回路２７により蓄電部側ＦＥＴ３７と前記負荷側ダイオードの接続点の電圧Ｖｄを検出する。
【０２２７】
次に、電圧Ｖｄが上記した第３既定値（Ｖｎ）以上であれば前記負荷側ダイオードが短絡故障していると判断する。
【０２２８】
次に、負荷１５の電圧Ｖａと蓄電部２１の電圧Ｖｔの差が前記第５既定値（１Ｖ）以下の時、または蓄電部２１の電圧Ｖｔが負荷１５の電圧Ｖａよりも大きい時で、かつ充電回路１９が蓄電部２１を充電中、または充電後（図１６の時間ｔ３からｔ４）に電圧検出回路２７により検出した負荷１５の電圧Ｖａ、および蓄電部側ＦＥＴ３７と前記負荷側ダイオードの接続点の電圧Ｖｄの差を求める。
【０２２９】
次に、前記差が上記した第６既定値（Ｖｎ）以上であれば前記負荷側ダイオードが開放故障していると判断する。
【０２３０】
このような構成とすることによっても、ＦＥＴを２個にすることができ、簡単な構成の蓄電装置１１が実現できる。
【０２３１】
また、負荷側バイパスＦＥＴ３３を前記負荷側バイパスダイオードに替える構成と、負荷側ＦＥＴ３９を前記負荷側ダイオードに替える構成とを同時に行ってもよい。この場合の接続方法はそれぞれ上記した通りである。この構成においても負荷側ＦＥＴ３９がないので図１６の時間ｔ４からｔ５の動作がなくなる。また、これら２個のダイオードの故障判断は、それぞれ上記した方法を組み合わせることで行うことができる。
【０２３２】
すなわち、前記負荷側バイパスダイオードの故障判断は次のようにして行う。
【０２３３】
まず、この構成では負荷側ＦＥＴ３９がないので、制御部２９は蓄電部側ＦＥＴ３７のみをオフにした状態（図１６の時間ｔ０からｔ１）で電圧検出回路２７により負荷１５の電圧Ｖａ、および主電源１３の電圧Ｖｂを検出する。
【０２３４】
次に、負荷１５の電圧Ｖａが上記した第１既定値（Ｖｍｉｎ）以下であれば前記負荷側バイパスダイオードが開放故障していると判断する。同時に、負荷１５の電圧Ｖａと主電源１３の電圧Ｖｂの差を求め、上記した第２既定値（ΔＶ＋Ｖｎ）以下であれば前記負荷側バイパスダイオードが短絡故障していると判断する。
【０２３５】
一方、前記負荷側ダイオードの故障判断は前記した方法と同様に、次のようにして行う。
【０２３６】
まず、制御部２９は蓄電部側ＦＥＴ３７をオフにした状態（図１６の時間ｔ２からｔ３）で電圧検出回路２７により蓄電部側ＦＥＴ３７と前記負荷側ダイオードの接続点の電圧Ｖｄを検出する。
【０２３７】
次に、電圧Ｖｄが上記した第３既定値（Ｖｎ）以上であれば前記負荷側ダイオードが短絡故障していると判断する。
【０２３８】
次に、負荷１５の電圧Ｖａと蓄電部２１の電圧Ｖｔの差が前記第５既定値（１Ｖ）以下の時、または蓄電部２１の電圧Ｖｔが負荷１５の電圧Ｖａよりも大きい時で、かつ充電回路１９が蓄電部２１を充電中、または充電後（図１６の時間ｔ３からｔ４）に電圧検出回路２７により検出した負荷１５の電圧Ｖａ、および蓄電部側ＦＥＴ３７と前記負荷側ダイオードの接続点の電圧Ｖｄの差を求める。
【０２３９】
次に、前記差が上記した第６既定値（Ｖｎ）以上であれば前記負荷側ダイオードが開放故障していると判断する。
【０２４０】
このような構成とすることにより、ＦＥＴを１個だけにすることができ、さらに簡単な構成の蓄電装置１１が実現できる。
【０２４１】
（実施の形態１１）
図１７は、本発明の実施の形態１１における蓄電装置の故障判断時のタイミングチャートと電圧経時特性図である。なお、図１７の電圧経時特性図におけるカッコつきの記号の意味は図２と同じである。
【０２４２】
本実施の形態１１における蓄電装置１１の構成は図１５と同じであるので、構成上の説明を省略し、本実施の形態１１の特徴となる故障判断方法について述べる。
【０２４３】
負荷側バイパスＦＥＴ３３、蓄電部側ＦＥＴ３７、および負荷側ＦＥＴ３９の故障判断は、以下の条件の組み合わせで行うことができる。なお、特に記載していないＦＥＴはオンでもオフでもよい。
【０２４４】
１）負荷側バイパスＦＥＴ３３の開放故障を判断する場合
１−１）蓄電部側ＦＥＴ３７と負荷側ＦＥＴ３９をオフにした状態で、負荷１５の電圧Ｖａが第３既定値以下であれば開放故障
２）蓄電部側ＦＥＴ３７の開放故障を判断する場合
２−１）充電回路１９が蓄電部２１を充電中、または充電後に、蓄電部側ＦＥＴ３７をオンにし、負荷側ＦＥＴ３９をオフにした状態で、蓄電部側ＦＥＴ３７と負荷側ＦＥＴ３９の接続点の電圧Ｖｄが第５既定値以下であれば開放故障
３）負荷側ＦＥＴ３９の開放故障を判断する場合
３−１）充電回路１９が蓄電部２１を充電中、または充電後に、負荷側ＦＥＴ３９をオンにし、蓄電部側ＦＥＴ３７をオフにした状態で、蓄電部側ＦＥＴ３７と負荷側ＦＥＴ３９の接続点の電圧Ｖｄが第７既定値以下であれば開放故障
４）負荷側バイパスＦＥＴ３３の短絡故障を判断する場合
４−１）負荷側バイパスＦＥＴ３３、蓄電部側ＦＥＴ３７、および負荷側ＦＥＴ３９をオフにした状態で、主電源１３の電圧Ｖｂと負荷１５の電圧Ｖａの差が第１２既定値以下であれば短絡故障
５）蓄電部側ＦＥＴ３７の短絡故障を判断する場合
５−１）充電回路１９が蓄電部２１を充電中、または充電後に、蓄電部側ＦＥＴ３７と負荷側ＦＥＴ３９をオフにした状態で、蓄電部側ＦＥＴ３７と負荷側ＦＥＴ３９の接続点の電圧Ｖｄが第１０既定値以上であれば短絡故障
６）負荷側ＦＥＴ３９の短絡故障を判断する場合
６−１）蓄電部側ＦＥＴ３７と負荷側ＦＥＴ３９をオフにした状態で、蓄電部側ＦＥＴ３７と負荷側ＦＥＴ３９の接続点の電圧Ｖｄが第１１既定値以上であれば短絡故障
なお、上記した第３既定値から第１１既定値は実施の形態３で述べたように、故障判断時の蓄電部２１の充電状態や各ＦＥＴの特性バラツキ等を考慮して適宜決定すればよい。また、本実施の形態１１において、第３既定値、第５既定値、および第７既定値はＶｍｉｎとし、第１０既定値と第１１既定値はＶｎとした。第１２既定値については、後述するようにΔＶ＋Ｖｎとした。また、実施の形態１０で説明した第３既定値と第５既定値は、本実施の形態１１で述べた第３既定値や第５既定値とは異なる。
【０２４５】
上記のような条件の組み合わせの内、最適な故障判断動作例について図１７により説明する。なお、図１７の各グラフの内容は図１６のものと同じである。
【０２４６】
まず、時間ｔ０で、制御部２９は負荷側バイパスＦＥＴ３３をオンに、蓄電部側ＦＥＴ３７と負荷側ＦＥＴ３９をオフにする。この状態は図１６の時間ｔ０と同じ状態であるので、電圧検出回路２７で検出した負荷１５の電圧Ｖａが第３既定値（Ｖｍｉｎ）以下であれば、負荷側バイパスＦＥＴ３３が開放故障していると判断する。
【０２４７】
負荷側バイパスＦＥＴ３３が開放故障していなければ、制御部２９は時間ｔ１で蓄電部２１を充電する。この際、蓄電部２１の電圧Ｖｔが主電源１３の電圧Ｖｂと充電回路１９の充電精度内で一致するように充電を行っている。従って、充電後の時間ｔ２では蓄電部２１の電圧Ｖｔは、図１７に示すように主電源１３の電圧Ｖｂとほぼ等しくなる。
【０２４８】
次に、蓄電部２１の充電後である時間ｔ２で、制御部２９は負荷側バイパスＦＥＴ３３、蓄電部側ＦＥＴ３７、および負荷側ＦＥＴ３９をオフにする。この時、すでに蓄電部側ＦＥＴ３７と負荷側ＦＥＴ３９はオフであるので、本実施の形態１１では負荷側バイパスＦＥＴ３３をオフにするだけでよい。これにより、全てのＦＥＴがオフになる。この際、主電源１３の電力が負荷側バイパスＦＥＴ３３の寄生ダイオード３５を経由して負荷１５に供給される。従って、電圧Ｖａは主電源１３の電圧Ｖｂより寄生ダイオード３５の電圧降下ΔＶだけ低くなるが、負荷１５を駆動し続けることはできる。この状態では負荷側バイパスＦＥＴ３３がオフなので、正常であれば電圧検出回路２７により検出した主電源１３の電圧Ｖｂ、および負荷１５の電圧Ｖａの差は前記したように理想的にはΔＶとなる。しかし、実施の形態１で述べたようにリーク電流やノイズの影響による電圧値Ｖｎ（＝０．１Ｖ程度）が上乗せされる。従って、制御部２９は電圧Ｖａと電圧Ｖｂの差を求め、もし第１２既定値（ここでは上記理由によりΔＶ＋Ｖｎとする）以下であれば負荷側バイパスＦＥＴ３３が短絡故障していると判断する。なお、この故障判断を行っても負荷１５へは主電源１３から電力供給が継続されるので、蓄電部２１の充電前や充電中に故障判断してもよい。なお、本実施の形態１１では各ＦＥＴの寄生ダイオード３５による電圧降下ΔＶは全て等しいとする。
【０２４９】
次に、制御部２９は時間ｔ３で、負荷側バイパスＦＥＴ３３をオンにし、蓄電部側ＦＥＴ３７と負荷側ＦＥＴ３９をオフにする。但し、図１７の時間ｔ２からｔ３ではすでに蓄電部側ＦＥＴ３７と負荷側ＦＥＴ３９がオフであるので、本実施の形態１１では負荷側バイパスＦＥＴ３３をオンにするだけでよい。これにより、蓄電部側ＦＥＴ３７と負荷側ＦＥＴ３９が正常であれば、蓄電部側ＦＥＴ３７と負荷側ＦＥＴ３９の接続点の電圧Ｖｄは電圧検出回路２７により０Ｖを維持する。従って、電圧検出回路２７により検出した蓄電部側ＦＥＴ３７と負荷側ＦＥＴ３９の接続点の電圧Ｖｄが第１０既定値（Ｖｎ）以上であるか、または第１１既定値（Ｖｎ）以上であれば、蓄電部側ＦＥＴ３７、または負荷側ＦＥＴ３９が短絡故障していると判断する。
【０２５０】
次に、制御部２９は時間ｔ４で電圧検出回路２７より主電源１３の電圧Ｖｂを、充電回路１９より蓄電部２１の電圧Ｖｔをそれぞれ読み込む。ここで、主電源１３の電圧Ｖｂが蓄電部２１の電圧Ｖｔと寄生ダイオード３５による電圧降下ΔＶの差（＝Ｖｔ−ΔＶ）以上であるか否かを判断する。もし、電圧Ｖｂが前記差よりも小さければ、時間ｔ４で各ＦＥＴを制御した時に、蓄電部２１から主電源１３に電流が逆流することになるので、これを避けるために前記判断を行っている。
【０２５１】
制御部２９は、電圧Ｖｂが前記電圧差（Ｖｔ−ΔＶ）以上であることを判断すると、負荷側バイパスＦＥＴ３３と蓄電部側ＦＥＴ３７をオンにし、負荷側ＦＥＴ３９をオフにする。但し、図１７の時間ｔ３からｔ４ではすでに負荷側バイパスＦＥＴ３３がオン、負荷側ＦＥＴ３９がオフであるので、本実施の形態１１では蓄電部側ＦＥＴ３７をオンにするだけでよい。これにより、蓄電部側ＦＥＴ３７が正常であれば蓄電部側ＦＥＴ３７と負荷側ＦＥＴ３９の接続点の電圧Ｖｄは蓄電部２１の電圧Ｖｔまで上昇する。従って、電圧検出回路２７により検出した蓄電部側ＦＥＴ３７と負荷側ＦＥＴ３９の接続点の電圧Ｖｄが第５既定値（Ｖｍｉｎ）以下であれば蓄電部側ＦＥＴ３７が開放故障していると判断する。
【０２５２】
次に、制御部２９は時間ｔ５で電圧検出回路２７より主電源１３の電圧Ｖｂを、充電回路１９より蓄電部２１の電圧Ｖｔをそれぞれ読み込む。ここで、蓄電部２１の電圧Ｖｔが主電源１３の電圧Ｖｂと寄生ダイオード３５による電圧降下ΔＶの差（＝Ｖｂ−ΔＶ）以上であるか否かを判断する。もし、電圧Ｖｔが前記差よりも小さければ、時間ｔ５で各ＦＥＴを制御した時に、主電源１３から蓄電部２１に電流が急激に流れることになるので、これを避けるために前記判断を行っている。制御部２９は、電圧Ｖｂが前記差以上であることを判断すると、負荷側バイパスＦＥＴ３３、および負荷側ＦＥＴ３９をオンにし、蓄電部側ＦＥＴ３７をオフにする。但し、図１７の時間ｔ４からｔ５ではすでに負荷側バイパスＦＥＴ３３がオンであるので、本実施の形態１１では、蓄電部側ＦＥＴ３７をオフに、負荷側ＦＥＴ３９をオンにするだけでよい。これにより、負荷側ＦＥＴ３９が正常であれば蓄電部側ＦＥＴ３７と負荷側ＦＥＴ３９の接続点の電圧Ｖｄは主電源１３の電圧Ｖｂとほぼ等しくなる。従って、電圧検出回路２７により検出した蓄電部側ＦＥＴ３７と負荷側ＦＥＴ３９の接続点の電圧Ｖｄが第７既定値（Ｖｍｉｎ）以下であれば負荷側ＦＥＴ３９が開放故障していると判断する。
【０２５３】
以上で故障判断が終了したので、時間ｔ６で負荷側バイパスＦＥＴ３３をオンに、蓄電部側ＦＥＴ３７と負荷側ＦＥＴ３９をオフにした後、通常動作状態とする。
【０２５４】
このように故障判断動作を行うことで、３つのＦＥＴの開放故障、および短絡故障を判断することができる上に、図１７より明らかなように、負荷１５の電圧Ｖａは故障判断を行っても、時間ｔ２からｔ３で僅かに電圧値が下がるものの、図１６と比較してほとんど変動しないことがわかる。従って、故障判断時に実施の形態１０よりも安定した電圧を負荷１５に供給することができる。
【０２５５】
以上の構成、動作により、切替回路部分である負荷側バイパスＦＥＴ３３、蓄電部側ＦＥＴ３７、および負荷側ＦＥＴ３９を限定された条件内で任意にオンオフ制御することにより、負荷１５に供給する電圧変動を低減した状態で、負荷１５の電圧Ｖａ、主電源１３の電圧Ｖｂ、および蓄電部側ＦＥＴ３７と負荷側ＦＥＴ３９の接続点の電圧Ｖｄから、３つのＦＥＴの短絡、および開放故障を判断できるので、さらに高信頼で簡易構成の蓄電装置を実現できた。
【０２５６】
なお、本実施の形態１１においても実施の形態１０と同様に、制御部２９が車両始動後に負荷側バイパスＦＥＴ３３の開放故障を判断した後、蓄電部２１の充電後に残りの故障判断を行ってもよい。また、実施の形態１と同様に、上記故障判断を車両の使用後に行ってもよい。この場合の外部制御回路とのやり取り等の動作は実施の形態１と全く同じである。
【０２５７】
（実施の形態１２）
図１８は、本発明の実施の形態１２における蓄電装置の故障判断時のタイミングチャートと電圧経時特性図である。なお、図１８の電圧経時特性図におけるカッコつきの記号の意味は図２と同じである。
【０２５８】
本実施の形態１２における蓄電装置１１の構成は、実施の形態１０の構成（図１５）に対し、負荷側バイパスＦＥＴ３３に替えて、アノードを主電源１３に、カソードを負荷１５に接続した負荷側バイパスダイオード４１とした点以外は同じであるので、蓄電装置１１のブロック回路図、および他の構成上の説明を省略し、本実施の形態１２の特徴となる故障判断方法について述べる。
【０２５９】
負荷側バイパスダイオード４１、蓄電部側ＦＥＴ３７、および負荷側ＦＥＴ３９の故障判断は、以下の条件の組み合わせで行うことができる。なお、特に記載していないＦＥＴはオンでもオフでもよい。
【０２６０】
１）負荷側バイパスダイオード４１の開放故障を判断する場合
１−１）蓄電部側ＦＥＴ３７と負荷側ＦＥＴ３９をオフにした状態で、負荷１５の電圧Ｖａが第３既定値以下であれば開放故障
２）蓄電部側ＦＥＴ３７の開放故障を判断する場合
２−１）充電回路１９が蓄電部２１を充電中、または充電後に、蓄電部側ＦＥＴ３７をオンにし、負荷側ＦＥＴ３９をオフにした状態で、蓄電部側ＦＥＴ３７と負荷側ＦＥＴ３９の接続点の電圧Ｖｄが第５既定値以下であれば開放故障
３）負荷側ＦＥＴ３９の開放故障を判断する場合
３−１）充電回路１９が蓄電部２１を充電中、または充電後に、負荷側ＦＥＴ３９をオンにし、蓄電部側ＦＥＴ３７をオフにした状態で、蓄電部側ＦＥＴ３７と負荷側ＦＥＴ３９の接続点の電圧Ｖｄが第７既定値以下であれば開放故障
４）負荷側バイパスダイオード４１の短絡故障を判断する場合
４−１）蓄電部側ＦＥＴ３７、および負荷側ＦＥＴ３９をオフにした状態で、主電源１３の電圧Ｖｂと負荷１５の電圧Ｖａの差が第１２既定値以下であれば短絡故障
５）蓄電部側ＦＥＴ３７の短絡故障を判断する場合
５−１）充電回路１９が蓄電部２１を充電中、または充電後に、蓄電部側ＦＥＴ３７と負荷側ＦＥＴ３９をオフにした状態で、蓄電部側ＦＥＴ３７と負荷側ＦＥＴ３９の接続点の電圧Ｖｄが第１０既定値以上であれば短絡故障
６）負荷側ＦＥＴ３９の短絡故障を判断する場合
６−１）蓄電部側ＦＥＴ３７と負荷側ＦＥＴ３９をオフにした状態で、蓄電部側ＦＥＴ３７と負荷側ＦＥＴ３９の接続点の電圧Ｖｄが第１１既定値以上であれば短絡故障
なお、上記した第３既定値から第１１既定値は実施の形態３で述べたように、故障判断時の蓄電部２１の充電状態や各ＦＥＴの特性バラツキ等を考慮して適宜決定すればよい。また、本実施の形態１２において、第３既定値、第５既定値、および第７既定値はＶｍｉｎとし、第１０既定値と第１１既定値はＶｎとした。第１２既定値については、実施の形態１１で述べた理由からΔＶ＋Ｖｎとした。また、実施の形態１０で説明した第３既定値と第５既定値は、本実施の形態１２で述べた第３既定値や第５既定値とは異なる。
【０２６１】
上記のような条件の組み合わせの内、最適な故障判断動作例について図１８により説明する。なお、図１８の各グラフの内容は、負荷側バイパスＦＥＴ３３のタイミングチャートがない以外は図１７のものと同じである。
【０２６２】
まず、時間ｔ０で、制御部２９は蓄電部側ＦＥＴ３７と負荷側ＦＥＴ３９をオフにする。この状態は図１７の時間ｔ０において、負荷側バイパスＦＥＴ３３がオフの状態に相当するので、負荷１５の電圧Ｖａは図１８に示すように主電源１３の電圧Ｖｂから負荷側バイパスダイオード４１の電圧降下ΔＶだけ低い値（＝Ｖｂ−ΔＶ）となる。しかし、実質的には図１７の時間ｔ０と同等の状態であるので、電圧検出回路２７で検出した負荷１５の電圧Ｖａが第３既定値（Ｖｍｉｎ）以下であれば、負荷側バイパスダイオード４１が開放故障していると判断する。なお、本実施の形態１２においても各ＦＥＴの寄生ダイオード３５と負荷側バイパスダイオード４１による電圧降下ΔＶは全て等しいとする。
【０２６３】
次に、制御部２９は引き続き負荷側バイパスダイオード４１の短絡故障判断を行う。これは、実施の形態１１と同様に蓄電部２１の充電後に行ってもよいが、ここでは、充電前に短絡故障判断を行う場合について説明する。すなわち、制御部２９は蓄電部側ＦＥＴ３７と負荷側ＦＥＴ３９がオフの状態で、電圧検出回路２７により検出した主電源１３の電圧Ｖｂ、および負荷１５の電圧Ｖａの差を求め、もし第１２既定値（ΔＶ＋Ｖｎ）以下であれば負荷側バイパスダイオード４１が短絡故障していると判断する。なお、この故障判断は図１７の時間ｔ２からｔ３における動作と同じである。
【０２６４】
負荷側バイパスダイオード４１が短絡、開放故障していなければ、制御部２９は時間ｔ１で蓄電部２１を充電する。この際、蓄電部２１の電圧Ｖｔが主電源１３の電圧Ｖｂと充電回路１９の充電精度内で一致するように充電を行っている。従って、充電後の時間ｔ２では蓄電部２１の電圧Ｖｔは、図１８に示すように主電源１３の電圧Ｖｂとほぼ等しくなる。
【０２６５】
次に、蓄電部２１の充電後である時間ｔ２で、制御部２９は蓄電部側ＦＥＴ３７と負荷側ＦＥＴ３９をオフにする。本実施の形態１２では、すでに蓄電部側ＦＥＴ３７と負荷側ＦＥＴ３９はオフであるので、制御部２９は引き続き蓄電部側ＦＥＴ３７と負荷側ＦＥＴ３９の短絡故障を判断する。すなわち、時間ｔ２において、蓄電部側ＦＥＴ３７と負荷側ＦＥＴ３９が正常であれば、蓄電部側ＦＥＴ３７と負荷側ＦＥＴ３９の接続点の電圧Ｖｄは電圧検出回路２７により０Ｖを維持する。従って、電圧検出回路２７により検出した蓄電部側ＦＥＴ３７と負荷側ＦＥＴ３９の接続点の電圧Ｖｄが第１０既定値（Ｖｎ）以上であるか、または第１１既定値（Ｖｎ）以上であれば、蓄電部側ＦＥＴ３７、または負荷側ＦＥＴ３９が短絡故障していると判断する。
【０２６６】
次に、制御部２９は時間ｔ３で蓄電部側ＦＥＴ３７をオンにし、負荷側ＦＥＴ３９をオフにする。但し、図１８の時間ｔ２からｔ３ではすでに負荷側ＦＥＴ３９がオフであるので、本実施の形態１２では蓄電部側ＦＥＴ３７をオンにするだけでよい。これにより、蓄電部側ＦＥＴ３７が正常であれば蓄電部側ＦＥＴ３７と負荷側ＦＥＴ３９の接続点の電圧Ｖｄは蓄電部２１の電圧Ｖｔまで上昇する。従って、電圧検出回路２７により検出した蓄電部側ＦＥＴ３７と負荷側ＦＥＴ３９の接続点の電圧Ｖｄが第５既定値（Ｖｍｉｎ）以下であれば蓄電部側ＦＥＴ３７が開放故障していると判断する。
【０２６７】
次に、制御部２９は時間ｔ４で電圧検出回路２７より主電源１３の電圧Ｖｂを、充電回路１９より蓄電部２１の電圧Ｖｔをそれぞれ読み込む。ここで、前記蓄電部２１の電圧Ｖｔが、主電源１３の電圧Ｖｂと、寄生ダイオード３５および負荷側バイパスダイオード４１による電圧降下（ΔＶ×２）の差（＝Ｖｂ−ΔＶ×２）以上であるか否かを判断する。もし蓄電部２１の電圧Ｖｔが、主電源１３の電圧Ｖｂと、寄生ダイオード３５および負荷側バイパスダイオード４１による電圧降下（ΔＶ×２）の差（＝Ｖｂ−ΔＶ×２）よりも小さければ、時間ｔ４で各ＦＥＴを制御したときに、主電源１３から蓄電部２１に急峻に電流が流れることになるので、これを避けるために前記判断を行っている。制御部２９は、前記蓄電部２１の電圧Ｖｔが、主電源１３の電圧Ｖｂと、寄生ダイオード３５および負荷側バイパスダイオード４１による電圧降下（ΔＶ×２）の差（＝Ｖｂ−ΔＶ×２）以上であることを判断すると、負荷側ＦＥＴ３９をオンにし、蓄電部側ＦＥＴ３７をオフにする。これにより、負荷側ＦＥＴ３９が正常であれば蓄電部側ＦＥＴ３７と負荷側ＦＥＴ３９の接続点の電圧Ｖｄは負荷１５の電圧Ｖａとほぼ等しくなる。ここで、図１８より時間ｔ４からｔ５における負荷１５の電圧Ｖａは主電源１３の電圧Ｖｂから負荷側バイパスダイオード４１の電圧降下ΔＶだけ低い電圧（＝Ｖｂ−ΔＶ）になっている。よって、負荷側ＦＥＴ３９が正常ならば、Ｖｄ＝Ｖａ＝Ｖｂ−ΔＶの関係が成立する。このことから、電圧検出回路２７により検出した蓄電部側ＦＥＴ３７と負荷側ＦＥＴ３９の接続点の電圧ＶｄがＶｂ−ΔＶに至らず、第７既定値（Ｖｍｉｎ）以下であれば負荷側ＦＥＴ３９が開放故障していると判断する。
【０２６８】
以上で故障判断が終了したので、時間ｔ５で蓄電部側ＦＥＴ３７と負荷側ＦＥＴ３９をオフにした後、通常動作状態とする。
【０２６９】
このように故障判断動作を行うことで、２つのＦＥＴと負荷側バイパスダイオード４１の開放故障、および短絡故障を判断することができる上に、図１８より明らかなように、負荷１５の電圧Ｖａは図１７と比較して、故障判断を行ってもほとんど変動しないことがわかる。従って、故障判断時に実施の形態１１よりも安定した電圧を負荷１５に供給することができる。但し、通常動作時は主電源１３の電力が必ず負荷側バイパスダイオード４１を経由して負荷１５に供給されるので、負荷側バイパスダイオード４１による損失が常時発生する。
【０２７０】
以上の構成、動作により、負荷側バイパスダイオード４１、蓄電部側ＦＥＴ３７、および負荷側ＦＥＴ３９を限定された条件内で任意にオンオフ制御することにより、負荷１５に供給する電圧変動を低減した状態で、負荷１５の電圧Ｖａ、主電源１３の電圧Ｖｂ、および蓄電部側ＦＥＴ３７と負荷側ＦＥＴ３９の接続点の電圧Ｖｄから、２つのＦＥＴと負荷側バイパスダイオード４１の短絡、および開放故障を判断できるので、さらに高信頼で簡易構成の蓄電装置を実現できた。
【０２７１】
なお、本実施の形態１２においても実施の形態１０と同様に、制御部２９が車両始動後に負荷側バイパスダイオード４１の開放故障を判断した後、蓄電部２１の充電後に残りの故障判断を行ってもよい。また、実施の形態１と同様に、上記故障判断を車両の使用後に行ってもよい。この場合の外部制御回路とのやり取り等の動作は実施の形態１と全く同じである。
【０２７２】
また、実施の形態１〜１２で述べた充電後に行う故障判断は負荷駆動最低電圧Ｖｍｉｎ（＝１０．５Ｖ）より高い電圧まで蓄電部２１が充電されていれば、充電中に故障判断を行ってもよい。
【０２７３】
また、実施の形態１〜１２で述べた故障判断の順番は、それらに限定されるものではなく、任意の順番で行ってもよい。但し、蓄電部２１の充電中、または充電後に行う故障判断は、その条件下で任意の順番で行えばよい。なお、車両始動後にいち早く高信頼に主電源１３から負荷１５に電力を供給するために、主電源１３と負荷１５を直接接続する第１スイッチ１７や主電源側バイパスＦＥＴ３１、負荷側バイパスＦＥＴ３３、負荷側バイパスダイオード４１の開放故障判断を最初に行う方が望ましい。
【０２７４】
また、実施の形態１〜１２において、故障判断された場合には、以降の判断動作を中止して故障信号を発するようにしてもよい。
【０２７５】
また、実施の形態１〜１２で述べた切替回路部分の故障判断は蓄電装置１１を使用している間に適宜繰り返し（例えば一定時間毎に）行ってもよい。
【０２７６】
また、実施の形態１〜１２の構成において、第１スイッチ１７、負荷側バイパスＦＥＴ３３、負荷側バイパスダイオード４１、主電源側バイパスＦＥＴ３１と負荷側バイパスＦＥＴ３３の直列回路、または主電源側バイパスＦＥＴ３１と負荷側バイパスダイオード４１の直列回路を、それぞれ複数設け、それらを並列接続する構成としてもよい。この場合、第１スイッチ１７や負荷側バイパスＦＥＴ３３、負荷側バイパスダイオード４１に流れる電流が並列接続数に応じて分散されるため、電流容量の小さなスイッチやＦＥＴ、ダイオードを用いることができ、蓄電装置１１の小型化が可能となる。同様に、第２スイッチ２３、蓄電部側ＦＥＴ３７と負荷側ＦＥＴ３９の直列回路、または蓄電部側ＦＥＴ３７と負荷側ダイオード４３の直列回路を、それぞれ複数設け、それらを並列接続する構成としてもよい。
【０２７７】
また、実施の形態１〜１２の構成において、負荷１５を複数設け、それぞれの負荷１５に対して、主電源１３の電力を供給する経路（第１スイッチ１７、負荷側バイパスＦＥＴ３３、負荷側バイパスダイオード４１、主電源側バイパスＦＥＴ３１と負荷側バイパスＦＥＴ３３の直列回路、または主電源側バイパスＦＥＴ３１と負荷側バイパスダイオード４１の直列回路を含む経路）と、蓄電部２１の電力を供給する経路（第２スイッチ２３、蓄電部側ＦＥＴ３７と負荷側ＦＥＴ３９の直列回路、または蓄電部側ＦＥＴ３７と負荷側ダイオード４３の直列回路を含む経路）を設ける構成としてもよい。これにより、それぞれの負荷１５の消費電流に応じてスイッチやＦＥＴ、ダイオードの電流容量を最適なものとすることができる。
【０２７８】
また、実施の形態１〜１２の構成において、必要に応じて主電源１３と負荷１５の間、または蓄電部２１と負荷１５の間に、ヒューズ、ＦＥＴ等の半導体素子、あるいはリレー等からなる回路保護素子を挿入してもよい。この場合、回路保護素子は電圧降下の微小なものを選択すれば、故障判断のときの電圧値に与える影響を少なくすることができる。
【０２７９】
また、実施の形態１〜１２では蓄電部２１に電気二重層キャパシタを用いたが、これは電気化学キャパシタ等の他の蓄電素子を用いてもよい。
【０２８０】
また、実施の形態１〜１２では蓄電装置をアイドリングストップ車に適用した場合について述べたが、それに限らず、ハイブリッド車や、電動パワーステアリング、電動ターボ、電気的な油圧制御による車両制動等の各システムにおける車両用補助電源、あるいは一般の非常用バックアップ電源等にも適用可能である。
【産業上の利用可能性】
【０２８１】
本発明にかかる蓄電装置は切替回路部分の故障判断ができ、高信頼性が得られるので、特に主電源の電圧低下時に蓄電部から電力を供給する補助電源用の蓄電装置等として有用である。
【図面の簡単な説明】
【０２８２】
【図１】本発明の実施の形態１における蓄電装置のブロック回路図
【図２】本発明の実施の形態１における蓄電装置の故障判断時のタイミングチャートと電圧経時特性図
【図３】本発明の実施の形態２における蓄電装置のブロック回路図
【図４】本発明の実施の形態２における蓄電装置の故障判断時のタイミングチャートと電圧経時特性図
【図５】本発明の実施の形態３における蓄電装置の故障判断時のタイミングチャートと電圧経時特性図
【図６】本発明の実施の形態４における蓄電装置のブロック回路図
【図７】本発明の実施の形態４における蓄電装置の故障判断時のタイミングチャートと電圧経時特性図
【図８】本発明の実施の形態５における蓄電装置の故障判断時のタイミングチャートと電圧経時特性図
【図９】本発明の実施の形態６における蓄電装置のブロック回路図
【図１０】本発明の実施の形態６における蓄電装置の故障判断時のタイミングチャートと電圧経時特性図
【図１１】本発明の実施の形態７における蓄電装置の故障判断時のタイミングチャートと電圧経時特性図
【図１２】本発明の実施の形態８における蓄電装置のブロック回路図
【図１３】本発明の実施の形態８における蓄電装置の故障判断時のタイミングチャートと電圧経時特性図
【図１４】本発明の実施の形態９における蓄電装置の故障判断時のタイミングチャートと電圧経時特性図
【図１５】本発明の実施の形態１０における蓄電装置のブロック回路図
【図１６】本発明の実施の形態１０における蓄電装置の故障判断時のタイミングチャートと電圧経時特性図
【図１７】本発明の実施の形態１１における蓄電装置の故障判断時のタイミングチャートと電圧経時特性図
【図１８】本発明の実施の形態１２における蓄電装置の故障判断時のタイミングチャートと電圧経時特性図
【図１９】従来の蓄電装置の概略回路図
【符号の説明】
【０２８３】
１１  蓄電装置
１３  主電源
１５  負荷
１７  第１スイッチ
１９  充電回路
２１  蓄電部
２３  第２スイッチ
２７  電圧検出回路
２９  制御部
３１  主電源側バイパスＦＥＴ
３３  負荷側バイパスＦＥＴ
３７  蓄電部側ＦＥＴ
３９  負荷側ＦＥＴ
４１  負荷側バイパスダイオード
４３  負荷側ダイオード
【図１】
2008182872.tif 000003
【図２】
2008182872.tif 000004
【図３】
2008182872.tif 000005
【図４】
2008182872.tif 000006
【図５】
2008182872.tif 000007
【図６】
2008182872.tif 000008
【図７】
2008182872.tif 000009
【図８】
2008182872.tif 000010
【図９】
2008182872.tif 000011
【図１０】
2008182872.tif 000012
【図１１】
2008182872.tif 000013
【図１２】
2008182872.tif 000014
【図１３】
2008182872.tif 000015
【図１４】
2008182872.tif 000016
【図１５】
2008182872.tif 000017
【図１６】
2008182872.tif 000018
【図１７】
2008182872.tif 000019
【図１８】
2008182872.tif 000020
【図１９】
2008182872.tif 000021